(57)【特許請求の範囲】
【請求項１】
第１の表示パネル及び第２の表示パネルを有し、
前記第１の表示パネルは、第１の表示領域と、可視光を透過する領域と、を有し、
前記第２の表示パネルは、第２の表示領域と、第３の表示領域と、可視光を遮る領域と、を有し、
前記第１の表示領域は、前記可視光を透過する領域と隣接し、
前記第３の表示領域は、前記第２の表示領域と前記可視光を遮る領域との間に位置し、かつ、前記第２の表示領域と前記可視光を遮る領域に隣接し、
前記第２の表示領域は、表示を行う面側で、前記可視光を透過する領域と重なり、
前記可視光を遮る領域は、前記第１の表示領域と重なり、
前記第１の表示領域及び前記可視光を透過する領域のうち少なくとも一方は、前記第３の表示領域と重なり、
前記第２の表示領域は、ｍ行ｎ列（ｍ、ｎはそれぞれ独立に２以上の整数）に配設された複数の画素を有し、
前記第３の表示領域は、列方向に配設された複数の画素を有し、
前記第３の表示領域は、前記第２の表示領域が有するｎ列目の画素に隣接し、
前記第３の表示領域が有するｉ行（ｉは１以上ｍ以下の整数）目の画素に供給されるゲート信号及びソース信号は、前記第２の表示領域が有するｉ行ｎ列目の画素に供給されるゲート信号及びソース信号と等しい、表示装置。
【請求項２】
請求項１において、
前記第２の表示領域が有するｉ行ｎ列目の画素は、第１の発光素子及び第１の駆動トランジスタを有し、
前記第３の表示領域が有するｉ行目の画素は、第２の発光素子及び第２の駆動トランジスタを有し、
前記第１の駆動トランジスタのソース又はドレインは、前記第１の発光素子と電気的に接続され、
前記第２の駆動トランジスタのソース又はドレインは、前記第２の発光素子と電気的に接続される、表示装置。
【請求項３】
請求項２において、
前記第２の発光素子の面積は、前記第１の発光素子の面積よりも大きい、表示装置。
【請求項４】
請求項３において、
前記第２の駆動トランジスタのチャネル長（Ｌ）とチャネル幅（Ｗ）の比Ｗ／Ｌは、前記第１の駆動トランジスタのＷ／Ｌに比べて大きい、表示装置。
【請求項５】
請求項２乃至４のいずれか一において、
前記第１の駆動トランジスタは、シングルゲート型であり、
前記第２の駆動トランジスタは、デュアルゲート型である、表示装置。
【請求項６】
請求項１乃至５のいずれか一において、
前記第２の表示パネルは、複数のソース線を有し、
ｎ＋１列目以降のソース線は、ｎ列目のソース線に接続される、表示装置。
【請求項７】
請求項１において、
前記第２の表示領域が有するｉ行ｎ列目の画素は、第１の発光素子、第１の駆動トランジスタ、及び選択トランジスタを有し、
前記第３の表示領域が有するｉ行目の画素は、第２の発光素子及び第２の駆動トランジスタを有し、
前記第１の駆動トランジスタのソース又はドレインは、前記第１の発光素子と電気的に接続され、
前記第２の駆動トランジスタのソース又はドレインは、前記第２の発光素子と電気的に接続され、
前記選択トランジスタのソース又はドレインは、前記第１の駆動トランジスタのゲート及び前記第２の駆動トランジスタのゲートと電気的に接続される、表示装置。
【請求項８】
請求項１において、
前記第２の表示領域が有するｉ行ｎ列目の画素は、第１の発光素子、選択トランジスタ、及び第１の駆動トランジスタを有し、
前記第３の表示領域が有するｉ行目の画素は、第２の発光素子を有し、
前記第１の駆動トランジスタのソース又はドレインは、前記第１の発光素子の画素電極及び前記第２の発光素子の画素電極と電気的に接続され、
前記選択トランジスタのソース又はドレインは、前記第１の駆動トランジスタのゲートと電気的に接続される、表示装置。
【発明の詳細な説明】
【技術分野】
【０００１】
本発明の一態様は、複数の表示パネルを有する表示装置に関する。
【０００２】
なお、本発明の一態様は、上記の技術分野に限定されない。本発明の一態様の技術分野としては、半導体装置、表示装置、発光装置、蓄電装置、記憶装置、電子機器、照明装置、入力装置（例えば、タッチセンサなど）、入出力装置（例えば、タッチパネルなど）、それらの駆動方法、又はそれらの製造方法を一例として挙げることができる。
【背景技術】
【０００３】
近年、表示装置の大型化が求められている。大型の表示装置の用途としては、例えば、家庭用のテレビジョン装置（テレビ又はテレビジョン受信機ともいう）、デジタルサイネージ（Ｄｉｇｉｔａｌ  Ｓｉｇｎａｇｅ：電子看板）、ＰＩＤ（Ｐｕｂｌｉｃ  Ｉｎｆｏｒｍａｔｉｏｎ  Ｄｉｓｐｌａｙ）等が挙げられる。表示装置の表示領域が広いほど、一度に提供できる情報量を増やすことができる。また、表示領域が広いほど、人の目につきやすく、例えば、広告の宣伝効果を高めることが期待される。
【０００４】
エレクトロルミネッセンス（Ｅｌｅｃｔｒｏｌｕｍｉｎｅｓｃｅｎｃｅ、以下ＥＬと記す）現象を利用した発光素子（ＥＬ素子とも記す）は、薄型軽量化が容易である、入力信号に対し高速に応答可能である、直流低電圧電源を用いて駆動可能である等の特徴を有し、表示装置への応用が検討されている。例えば、特許文献１に、有機ＥＬ素子が適用された、可撓性を有する発光装置が開示されている。
【先行技術文献】
【特許文献】
【０００５】
【特許文献１】特開２０１４−１９７５２２号公報
【発明の概要】
【発明が解決しようとする課題】
【０００６】
本発明の一態様は、表示装置の大型化を課題の一とする。または、本発明の一態様は、継ぎ目が視認されにくい広い表示領域を有する表示装置を提供することを課題の一とする。または、本発明の一態様は、一覧性に優れた表示装置を提供することを課題の一とする。または、本発明の一態様は、表示装置の薄型化もしくは軽量化を課題の一とする。または、本発明の一態様は、曲面に沿って表示することが可能な表示装置を提供することを課題の一とする。または、本発明の一態様は、信頼性の高い表示装置を提供することを課題の一とする。
【０００７】
なお、これらの課題の記載は、他の課題の存在を妨げるものではない。なお、本発明の一態様は、これらの課題の全てを解決する必要はないものとする。なお、明細書、図面、請求項の記載から、これら以外の課題を抽出することが可能である。
【課題を解決するための手段】
【０００８】
本発明の一態様の表示装置は、第１の表示パネル及び第２の表示パネルを有する。第１の表示パネルは、第１の表示領域と、可視光を透過する領域と、を有する。第２の表示パネルは、第２の表示領域と、第３の表示領域と、可視光を遮る領域と、を有する。第１の表示領域は、可視光を透過する領域と隣接する。第３の表示領域は、第２の表示領域と可視光を遮る領域との間に位置し、かつ、第２の表示領域と可視光を遮る領域に隣接する。第２の表示領域は、表示を行う面側で、可視光を透過する領域と重なる。可視光を遮る領域は、第１の表示領域と重なる。第１の表示領域及び可視光を透過する領域のうち少なくとも一方は、第３の表示領域と重なる。第２の表示領域は、ｍ行ｎ列（ｍ、ｎはそれぞれ独立に２以上の整数）に配設された複数の画素を有する。第３の表示領域は、列方向に配設された複数の画素を有する。第３の表示領域は、第２の表示領域が有するｎ列目の画素に隣接する。第３の表示領域が有するｉ行（ｉは１以上ｍ以下の整数）目の画素に供給されるゲート信号及びソース信号は、第２の表示領域が有するｉ行ｎ列目の画素に供給されるゲート信号及びソース信号と等しい。
【０００９】
上記において、第２の表示領域が有するｉ行ｎ列目の画素は、第１の発光素子及び第１の駆動トランジスタを有し、第３の表示領域が有するｉ行目の画素は、第２の発光素子及び第２の駆動トランジスタを有することが好ましい。第１の駆動トランジスタのソース又はドレインは、第１の発光素子と電気的に接続される。第２の駆動トランジスタのソース又はドレインは、第２の発光素子と電気的に接続される。
【００１０】
第２の発光素子の面積は、第１の発光素子の面積よりも大きいことが好ましい。このとき、第２の駆動トランジスタのチャネル長（Ｌ）とチャネル幅（Ｗ）の比Ｗ／Ｌは、第１の駆動トランジスタのＷ／Ｌに比べて大きいことが好ましい。
【００１１】
第１の駆動トランジスタは、シングルゲート型であり、第２の駆動トランジスタは、デュアルゲート型であることが好ましい。
【００１２】
第２の表示パネルは、複数のソース線を有し、ｎ＋１列目以降のソース線は、ｎ列目のソース線に接続されることが好ましい。
【００１３】
または、上記において、第２の表示領域が有するｉ行ｎ列目の画素は、第１の発光素子、第１の駆動トランジスタ、及び選択トランジスタを有し、第３の表示領域が有するｉ行目の画素は、第２の発光素子及び第２の駆動トランジスタを有し、第１の駆動トランジスタのソース又はドレインは、第１の発光素子と電気的に接続され、第２の駆動トランジスタのソース又はドレインは、第２の発光素子と電気的に接続され、選択トランジスタのソース又はドレインは、第１の駆動トランジスタのゲート及び第２の駆動トランジスタのゲートと電気的に接続されることが好ましい。
【００１４】
または、上記において、第２の表示領域が有するｉ行ｎ列目の画素は、第１の発光素子、第１の駆動トランジスタ、及び選択トランジスタを有し、第３の表示領域が有するｉ行目の画素は、第２の発光素子を有し、第１の駆動トランジスタのソース又はドレインは、第１の発光素子の画素電極及び第２の発光素子の画素電極と電気的に接続され、選択トランジスタのソース又はドレインは、第１の駆動トランジスタのゲートと電気的に接続されることが好ましい。
【００１５】
第３の表示領域が有するｉ行目の画素は、第２の表示領域が有するｉ行ｎ列目の画素と同じ色であることが好ましい。
【００１６】
さらに、第３の表示領域は、行方向に配設された複数の画素を有し、第３の表示領域は、第２の表示領域が有するｍ行目の画素に隣接し、第３の表示領域が有するｊ列（ｊは１以上ｎ以下の整数）目の画素に供給されるゲート信号及びソース信号は、第２の表示領域が有するｍ行ｊ列目の画素に供給されるゲート信号及びソース信号と等しいことが好ましい。
【００１７】
上記において、第２の表示領域が有するｍ行ｊ列目の画素は、第３の発光素子及び第３の駆動トランジスタを有し、第３の表示領域が有するｊ列目の画素は、第４の発光素子及び第４の駆動トランジスタを有することが好ましい。第３の駆動トランジスタのソース又はドレインは、第３の発光素子と電気的に接続される。第４の駆動トランジスタのソース又はドレインは、第４の発光素子と電気的に接続される。
【００１８】
第４の発光素子の面積は、第３の発光素子の面積よりも大きいことが好ましい。このとき、第４の駆動トランジスタのＷ／Ｌは、第３の駆動トランジスタのＷ／Ｌに比べて大きいことが好ましい。
【００１９】
第３の駆動トランジスタは、シングルゲート型であり、第４の駆動トランジスタは、デュアルゲート型であることが好ましい。
【００２０】
第２の表示パネルは、複数のゲート線を有し、ｍ＋１行目以降のゲート線は、ｍ行目のゲート線に接続されることが好ましい。
【００２１】
または、上記において、第２の表示領域が有するｍ行ｊ列目の画素は、第３の発光素子、第３の駆動トランジスタ、及び選択トランジスタを有し、第３の表示領域が有するｊ列目の画素は、第４の発光素子及び第４の駆動トランジスタを有し、第３の駆動トランジスタのソース又はドレインは、第３の発光素子と電気的に接続され、第４の駆動トランジスタのソース又はドレインは、第４の発光素子と電気的に接続され、選択トランジスタのソース又はドレインは、第３の駆動トランジスタのゲート及び第４の駆動トランジスタのゲートと電気的に接続されることが好ましい。
【００２２】
または、上記において、第２の表示領域が有するｍ行ｊ列目の画素は、第３の発光素子、選択トランジスタ、及び第３の駆動トランジスタを有し、第３の表示領域が有するｊ列目の画素は、第４の発光素子を有し、第３の駆動トランジスタのソース又はドレインは、第３の発光素子の画素電極及び第４の発光素子の画素電極と電気的に接続され、選択トランジスタのソース又はドレインは、第３の駆動トランジスタのゲートと電気的に接続されることが好ましい。
【００２３】
第３の表示領域が有するｊ列目の画素は、第２の表示領域が有するｍ行ｊ列目の画素と同じ色であることが好ましい。
【００２４】
第２の表示領域と第３の表示領域は、合わせて、ｍ＋ｘ行ｎ＋ｙ列（ｘ、ｙはそれぞれ独立に１以上の整数）の画素を有し、ｍ＋１行以降かつｎ＋１列以降の画素に供給されるゲート信号及びソース信号は、ｍ行ｎ列目の画素に供給されるゲート信号及びソース信号と等しいことが好ましい。
【００２５】
ｍ＋１行ｎ＋１列目の画素が有する発光素子の面積は、ｍ行ｎ列目の画素が有する発光素子の面積よりも大きいことが好ましい。このとき、ｍ＋１行ｎ＋１列目の画素が有する駆動トランジスタのＷ／Ｌは、ｍ行ｎ列目の画素が有する駆動トランジスタのＷ／Ｌに比べて大きいことが好ましい。
【００２６】
ｍ行ｎ列目の画素が有する駆動トランジスタは、シングルゲート型であり、ｍ＋１行ｎ＋１列目の画素が有する駆動トランジスタは、デュアルゲート型であることが好ましい。
【００２７】
ｍ＋１行以降かつｎ＋１列以降の画素は、ｍ行ｎ列目の画素と同じ色であることが好ましい。
【００２８】
本発明の一態様の表示装置は、第１の表示パネル及び第２の表示パネルを有する。第１の表示パネルは、第１の表示領域と、可視光を透過する領域と、を有する。第２の表示パネルは、第２の表示領域と、可視光を遮る領域と、を有する。第１の表示領域は、可視光を透過する領域と隣接する。第２の表示領域は、可視光を遮る領域と隣接する。第２の表示領域は、表示を行う面側で、可視光を透過する領域と重なる。可視光を遮る領域は、第１の表示領域と重なる。第２の表示領域は、ｍ行ｎ列（ｍ、ｎはそれぞれ独立に２以上の整数）に配設された複数の画素を有する。可視光を遮る領域は、ｎ列目の画素に隣接する。ｉ行ｎ−１列目の画素は、第１の発光素子及び第１の駆動トランジスタを有する。ｉ行ｎ列目の画素は、第２の発光素子及び第２の駆動トランジスタを有する。第１の駆動トランジスタのソース又はドレインは、第１の発光素子と電気的に接続される。第２の駆動トランジスタのソース又はドレインは、第２の発光素子と電気的に接続される。第２の発光素子の面積は、第１の発光素子の面積よりも大きい。
【００２９】
第２の駆動トランジスタのＷ／Ｌは、第１の駆動トランジスタのＷ／Ｌに比べて大きいことが好ましい。
【００３０】
第１の駆動トランジスタは、シングルゲート型であり、第２の駆動トランジスタは、デュアルゲート型であることが好ましい。
【００３１】
可視光を遮る領域は、第２の表示領域のｍ行目の画素に隣接し、ｍ行ｊ列（ｊは１以上ｎ以下の整数）目の画素が有する発光素子の面積は、ｍ−１行ｊ列目の画素が有する発光素子の面積よりも大きいことが好ましい。
【００３２】
ｍ行ｊ列目の画素が有する駆動トランジスタのＷ／Ｌは、ｍ−１行ｊ列目の画素が有する駆動トランジスタのＷ／Ｌに比べて大きいことが好ましい。
【００３３】
ｍ−１行ｊ列目の画素が有する駆動トランジスタは、シングルゲート型であり、ｍ行ｊ列目の画素が有する駆動トランジスタは、デュアルゲート型であることが好ましい。
【００３４】
本発明の一態様は、上記のいずれかの表示装置と、アンテナ、バッテリ、筐体、カメラ、スピーカ、マイク、又は操作ボタンの少なくともいずれか一と、を有する電子機器である。
【発明の効果】
【００３５】
本発明の一態様により、表示装置の大型化が可能となる。または、本発明の一態様により、継ぎ目が視認されにくい広い表示領域を有する表示装置を提供することができる。または、本発明の一態様により、一覧性に優れた表示装置を提供することができる。または、本発明の一態様により、表示装置の薄型化もしくは軽量化が可能となる。または、本発明の一態様により、曲面に沿って表示することが可能な表示装置を提供することができる。または、本発明の一態様により、信頼性の高い表示装置を提供することができる。
【００３６】
なお、これらの効果の記載は、他の効果の存在を妨げるものではない。なお、本発明の一態様は、必ずしも、これらの効果の全てを有する必要はない。なお、明細書、図面、請求項の記載から、これら以外の効果を抽出することが可能である。
【図面の簡単な説明】
【００３７】
【図１】表示パネルの一例を示す上面図。
【図２】表示装置の一例を示す上面図。
【図３】表示装置の一例を示す上面図。
【図４】表示パネル及び表示装置の一例を示す上面図。
【図５】表示パネル及び表示装置の一例を示す上面図。
【図６】表示パネルの一例を示す上面図。
【図７】表示装置の一例を示す上面図。
【図８】表示装置の一例を示す上面図。
【図９】表示パネル及び表示装置の一例を示す上面図。
【図１０】表示パネル及び表示装置の一例を示す上面図。
【図１１】画素と駆動回路の接続の一例を示す回路図。
【図１２】画素と駆動回路の接続の一例を示す回路図。
【図１３】画素と駆動回路の接続の一例を示す回路図。
【図１４】画素と駆動回路の接続の一例を示す回路図。
【図１５】画素と駆動回路の接続の一例を示す回路図。
【図１６】画素と駆動回路の接続の一例を示す回路図。
【図１７】画素と駆動回路の接続の一例を示す回路図。
【図１８】画素と駆動回路の接続の一例を示す回路図。
【図１９】画素の一例を示す回路図。
【図２０】画素の一例を示す上面図。
【図２１】画素の一例を示す上面図。
【図２２】画素の配置を説明する図と表示素子の表示領域の配置を説明する図。
【図２３】画素の配置を説明する図と表示素子の表示領域の配置を説明する図。
【図２４】表示装置の一例を示す斜視図。
【図２５】表示装置の一例を示す上面図。
【図２６】表示装置の一例を示す断面図。
【図２７】表示装置の一例を示す断面図。
【図２８】表示パネルの一例を示す上面図及び断面図。
【図２９】表示パネルの一例を示す上面図及び断面図。
【図３０】表示パネルの一例を示す上面図及び断面図。
【図３１】表示装置の一例を示す断面図。
【図３２】表示パネルの作製方法の一例を示す断面図。
【図３３】表示パネルの作製方法の一例を示す断面図。
【図３４】表示パネルの一例を示す断面図。
【図３５】表示パネルの一例を示す断面図。
【図３６】タッチパネルの一例を示す斜視図。
【図３７】タッチパネルの一例を示す断面図。
【図３８】タッチパネルの一例を示す断面図、並びに、トランジスタの上面図及び断面図。
【図３９】タッチパネルの一例を示す断面図。
【図４０】タッチパネルの一例を示す断面図。
【図４１】タッチパネルの一例を示す断面図。
【図４２】タッチパネルの一例を示す斜視図。
【図４３】タッチパネルの一例を示す断面図。
【図４４】タッチパネルの一例を示す断面図。
【図４５】電子機器及び照明装置の一例を示す図。
【図４６】電子機器の一例を示す図。
【図４７】表示装置及び電子機器の使用例を示す図。
【発明を実施するための形態】
【００３８】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３９】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００４０】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００４１】
なお、「膜」という言葉と、「層」という言葉とは、場合によっては、又は、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００４２】
（実施の形態１）
本実施の形態では、本発明の一態様の表示装置について図１〜図２７を用いて説明する。
【００４３】
複数の表示パネルを１以上の方向（例えば、一列又はマトリクス状等）に並べることで、広い表示領域を有する表示装置を作製することができる。
【００４４】
複数の表示パネルを用いて大型の表示装置を作製する場合、１つの表示パネルの大きさは大型である必要がない。したがって、該表示パネルを作製するための製造装置を大型化しなくてもよく、省スペース化が可能である。また、中小型の表示パネルの製造装置を用いることができ、表示装置の大型化のために新規な製造装置を利用しなくてもよいため、製造コストを抑えることができる。また、表示パネルの大型化に伴う歩留まりの低下を抑制できる。
【００４５】
表示パネルの大きさが同じである場合、１つの表示パネルを有する表示装置に比べ、複数の表示パネルを有する表示装置の方が、表示領域が広く、一度に表示できる情報量が多い等の効果を有する。
【００４６】
しかし、各表示パネルは表示領域を囲むように非表示領域を有する。したがって、例えば、複数の表示パネルの出力画像を合わせて一つの画像を表示する場合、当該一つの画像は、表示装置の使用者にとって分離したように視認されてしまう。
【００４７】
各表示パネルの非表示領域を狭くする（狭額縁な表示パネルを用いる）ことで、各表示パネルの表示が分離して見えることを抑制できるが、表示パネルの非表示領域を完全になくすことは困難である。
【００４８】
また、表示パネルの非表示領域の面積が狭いと、表示パネルの端部と表示パネル内の素子との距離が短くなり、表示パネルの外部から侵入する不純物によって、素子が劣化しやすくなる場合がある。
【００４９】
そこで、本発明の一態様では、複数の表示パネルの一部が重なるように配置する。重ねた２つの表示パネルのうち、少なくとも表示面側（上側）に位置する表示パネルは、可視光を透過する領域を表示領域と隣接して有する。本発明の一態様では、下側に配置される表示パネルの表示領域と、上側に配置される表示パネルの可視光を透過する領域とが重なる。したがって、重ねた２つの表示パネルの表示領域の間の非表示領域を縮小すること、さらには無くすことができる。これにより、使用者から表示パネルの継ぎ目が認識されにくい、大型の表示装置を実現することができる。
【００５０】
上側に位置する表示パネルの非表示領域の少なくとも一部は、可視光を透過する領域であり、下側に位置する表示パネルの表示領域と重ねることができる。また、下側に位置する表示パネルの非表示領域の少なくとも一部は、上側に位置する表示パネルの表示領域、又は可視光を遮る領域と重ねることができる。これらの部分については、表示装置の狭額縁化（表示領域以外の面積の縮小化）に影響しないため、面積の縮小化をしなくてもよい。
【００５１】
表示パネルの非表示領域が広いと、表示パネルの端部と表示パネル内の素子との距離が長くなり、表示パネルの外部から侵入する不純物によって、素子が劣化することを抑制できる。例えば、表示素子として有機ＥＬ素子を用いる場合は、表示パネルの端部と有機ＥＬ素子との距離を長くするほど、表示パネルの外部から水分又は酸素等の不純物が有機ＥＬ素子に侵入しにくくなる（又は到達しにくくなる）。本発明の一態様の表示装置では、表示パネルの非表示領域の面積を十分に確保できるため、有機ＥＬ素子等を用いた表示パネルを適用しても、信頼性が高い大型の表示装置を実現できる。
【００５２】
ここで、２つの表示パネルを重ねて配置した後に、２つの表示パネルの相対的な位置がずれる場合がある。また、表示パネルの表示領域に設けられる画素の密度が高いほど、位置合わせに高い精度が求められるため、２つの表示パネルを重ねて配置する際に、表示パネルが所定の位置からずれやすくなる。
【００５３】
このとき、２つの表示パネルの相対的な位置が、２つの表示パネルが離れる方向にずれると、下側に配置された表示パネルの非表示領域が、上側に配置された表示パネルの可視光を透過する領域と重なる。つまり、表示装置では、２つの表示パネルの表示領域の間に非表示領域が形成されてしまう。例えば、表示領域の近傍に有する駆動回路又は配線等が、表示装置の使用者に視認されやすくなる。すると、２つの表示パネルの出力画像を合わせて一つの画像を表示する場合に、使用者は、当該一つの画像が分離されたように見えてしまう。
【００５４】
そこで、本発明の一態様では、下側に配置される表示パネルにおいて、表示領域と、可視光を遮る領域と、の間に、余分に画素を設ける（ダミー画素を設ける、ともいえる）。ダミー画素は、表示領域においてダミー画素に最も近い画素と同じ色である。ダミー画素に供給されるゲート信号及びソース信号は、表示領域においてダミー画素に最も近い画素に供給されるゲート信号及びソース信号と等しい。２つの表示パネルが離れる方向にずれると、下側に配置された表示パネルのダミー画素が、上側に配置される表示パネルの可視光を透過する領域と重なる。これらダミー画素を用いて表示を行うことで、２つの表示パネルが離れる方向に位置ずれが生じていても、表示装置において、重ねた２つの表示パネルの表示領域の間に非表示領域が形成されることを抑制できる。これにより、使用者から表示パネルの継ぎ目が認識されにくい、大型の表示装置を実現することができる。
【００５５】
または、本発明の一態様では、下側に配置される表示パネルにおいて、可視光を遮る領域と隣接する画素が有する表示素子の面積（表示素子の表示領域の面積ともいえる）を、他の画素が有する表示素子の面積に比べて大きくする。２つの表示パネルが離れる方向にずれると、下側に配置された表示パネルの、可視光を遮る領域と隣接する画素が、上側に配置される表示パネルの可視光を透過する領域と重なる面積は大きくなる。位置ずれが生じても、重ねた２つの表示パネルの表示領域の間に非表示領域が形成されることを抑制できる。これにより、使用者から表示パネルの継ぎ目が認識されにくい、大型の表示装置を実現することができる。
【００５６】
以下では、本発明の一態様の表示パネル及び表示装置の具体例を説明する。
【００５７】
＜構成例Ａ＞
図１（Ａ）に、表示パネル１００の上面図を示す。
【００５８】
図１（Ａ）に示す表示パネル１００は、表示領域１０１、表示領域１０９、及び領域１０２を有する。ここで、領域１０２は、表示パネル１００の上面図における、表示領域１０１と表示領域１０９とを除いた部分を指す。領域１０２は、非表示領域と呼ぶこともできる。
【００５９】
領域１０２は、可視光を透過する領域１１０及び可視光を遮る領域１２０を有する。可視光を透過する領域１１０は、表示領域１０１と隣接する。表示領域１０９は、表示領域１０１と可視光を遮る領域１２０との間に位置し、双方に隣接する。表示領域１０９、可視光を透過する領域１１０、及び可視光を遮る領域１２０は、それぞれ、表示領域１０１の外周の一部に沿って設けることができる。
【００６０】
図１（Ａ）に示す表示パネル１００では、表示領域１０９が、表示領域１０１の１辺に沿って配置されている。表示パネル１００には、表示領域１０９を、表示領域１０１の１辺以上に沿って配置することができる。
【００６１】
図１（Ａ）に示す表示パネル１００では、可視光を透過する領域１１０が、表示領域１０１の１辺に沿って配置されている。表示パネル１００には、可視光を透過する領域１１０を、表示領域１０１の１辺以上に沿って配置することができる。可視光を透過する領域１１０は、図１（Ａ）に示すように、表示領域１０１と接して、表示パネル１００の端部にまで設けられていることが好ましい。
【００６２】
表示領域１０１の対向する２辺のうち、一方の辺に沿って、可視光を透過する領域１１０が配置され、他方の辺に沿って、表示領域１０９が配置される。
【００６３】
図１（Ａ）に示す表示パネル１００では、可視光を遮る領域１２０が、表示領域１０１の２辺に沿って配置されている。表示パネル１００には、可視光を遮る領域１２０を、表示パネル１００の端部近傍にまで設けることができる。
【００６４】
なお、図１（Ａ）に示す領域１０２のうち、可視光を透過する領域１１０及び可視光を遮る領域１２０以外の領域における、可視光の透過性は問わない。
【００６５】
表示領域１０１は、マトリクス状に配置された複数の画素を含み、画像を表示することができる。各画素には１つ以上の表示素子が設けられている。表示素子としては、例えば、ＥＬ素子などの発光素子、電気泳動素子、ＭＥＭＳ（マイクロ・エレクトロ・メカニカル・システム）を用いた表示素子、又は液晶素子等を用いることができる。本実施の形態では、主に、ＥＬ素子を用いる場合について説明する。
【００６６】
表示領域１０９は、１以上の方向に配置された複数の画素を含み、画像を表示することができる。各画素には１つ以上の表示素子が設けられている。表示領域１０９には、表示領域１０１と同様の表示素子を用いることができる。なお、表示領域１０９はダミー画素を有する、ということもできる。
【００６７】
可視光を透過する領域１１０には、可視光を透過する材料を用いる。可視光を透過する領域１１０は、例えば、表示パネル１００を構成する基板、及び接着層等を含む。可視光を透過する領域１１０の可視光の透過率が高いほど、下に重なる表示パネルの光取り出し効率を高められるため、好ましい。可視光を透過する領域１１０において、波長４５０ｎｍ以上７００ｎｍ以下の範囲の光の透過率の平均値は７０％以上であると好ましく、８０％以上であるとより好ましく、９０％以上であるとさらに好ましい。
【００６８】
可視光を遮る領域１２０には、例えば、表示領域１０１に含まれる画素（具体的には、トランジスタ又は表示素子等）に電気的に接続する配線が設けられている。また、このような配線に加え、画素を駆動するための駆動回路（走査線駆動回路又は信号線駆動回路等）を設けることができる。
【００６９】
表示パネルは、走査線駆動回路及び信号線駆動回路のうち少なくとも一方を有することができる。または、表示パネルは、走査線駆動回路及び信号線駆動回路の双方を有さない構成とすることができる。例えば、走査線駆動回路及び信号線駆動回路のうち少なくとも一方として機能する集積回路（ＩＣ）を、表示パネルに電気的に接続させることができる。表示パネルと、ＩＣと、を有する表示装置を作製することができる。ＩＣは、ＣＯＧ（Ｃｈｉｐ  Ｏｎ  Ｇｌａｓｓ）方式又はＣＯＦ（Ｃｈｉｐ  Ｏｎ  Ｆｉｌｍ）方式により表示パネルに実装することができる。または、ＩＣが実装されたフレキシブルプリント回路基板（Ｆｌｅｘｉｂｌｅ  ｐｒｉｎｔｅｄ  ｃｉｒｃｕｉｔ、以下ＦＰＣと記す）、ＴＡＢ（Ｔａｐｅ  Ａｕｔｏｍａｔｅｄ  Ｂｏｎｄｉｎｇ）、又はＴＣＰ（Ｔａｐｅ  Ｃａｒｒｉｅｒ  Ｐａｃｋａｇｅ）等を表示装置に用いることができる。
【００７０】
可視光を遮る領域１２０には、ＦＰＣ等と電気的に接続する端子（接続端子ともいう）、及び当該端子と電気的に接続する配線等を含む。なお、端子及び配線等が、可視光を透過する場合には、これら端子及び配線等を、可視光を透過する領域１１０にまで延在するように設けることができる。
【００７１】
ここで、図１（Ａ）に示す可視光を透過する領域１１０の幅Ｗ１は、０．１ｍｍ以上１５０ｍｍ以下であると好ましく、０．５ｍｍ以上１００ｍｍ以下がより好ましく、１ｍｍ以上５０ｍｍ以下がさらに好ましい。可視光を透過する領域１１０の幅Ｗ１が表示パネルによって異なる場合、又は１つの表示パネルの中でも場所によって異なる場合には、最も短い長さが上記の範囲であると好ましい。可視光を透過する領域１１０は封止領域としての機能を有するため、可視光を透過する領域１１０の幅Ｗ１が大きいほど表示パネル１００の端部と表示領域１０１との距離を長くすることができ、外部から水などの不純物が表示領域１０１にまで侵入することを抑制することが可能となる。なお、可視光を透過する領域１１０の幅Ｗ１は、表示領域１０１から表示パネル１００の端部までの最短距離に相当する場合がある。
【００７２】
例えば、表示素子として有機ＥＬ素子を用いた場合には可視光を透過する領域１１０の幅Ｗ１を０．５ｍｍ以上とすることで、有機ＥＬ素子の劣化を効果的に抑制することができ、信頼性を高めることができる。なお、可視光を透過する領域１１０以外の部分においても、表示領域１０１の端部と表示パネル１００の端部との距離が上述の範囲になるように設定することが好ましい。
【００７３】
図１（Ａ）に示す表示領域１０９の幅Ｗ２は、０．１ｍｍ以上５ｍｍ以下であると好ましく、０．５ｍｍ以上５ｍｍ以下がより好ましく、１ｍｍ以上５ｍｍ以下がさらに好ましい。表示領域１０９の幅Ｗ２が大きいほど、２つの表示パネルを重ねる際の位置ずれの許容範囲が広がり好ましい。なお、１つの画素の幅が５ｍｍよりも大きい場合は、表示領域１０９の幅Ｗ２も、５ｍｍより大きくすることができる。
【００７４】
表示領域１０９の幅Ｗ２が表示パネルによって異なる場合、又は１つの表示パネルの中でも場所によって異なる場合には、最も短い長さを幅Ｗ２とすることができる。
【００７５】
図１（Ｂ）、（Ｃ）に、図１（Ａ）における領域Ｐ１の拡大図の一例をそれぞれ示す。
【００７６】
図１（Ｂ）、（Ｃ）に示すように、表示領域１０１には、複数の画素１４１がマトリクス状に配置されている。赤色、緑色、青色の３色を用いてフルカラー表示が可能な表示パネル１００とする場合、複数の画素１４１は、それぞれ、上記３色のうちいずれかの副画素に対応する。また、上記３色に加えて白色又は黄色等の副画素を設けることもできる。
【００７７】
本実施の形態では、表示領域１０１に、画素１４１がｍ行ｎ列（ｍ、ｎはそれぞれ独立に２以上の整数）に配設されている場合を例に挙げて説明する。表示領域１０９は、画素１４９を有する。なお、ａ行ｂ列目の画素を説明する際には、符号の後に（ａ，ｂ）を付記する。
【００７８】
本実施の形態では、図面の横方向を行方向、縦方向を列方向として説明するが、これに限定されず、行方向と列方向は入れ替えることができる。本発明の一態様において、信号線方向と走査線方向のどちらを行方向としても構わない。また、本実施の形態では、最も下の行を１行目とし、最も左の列を１列目として説明するが、これに限定されず、最も上の行を１行目とする、又は最も右の列を１列目とすることもできる。
【００７９】
図１（Ｂ）、（Ｃ）では、ｎ列目の画素１４１（すなわち、表示領域１０１の最も端の列の画素１４１）に隣接して、列方向に画素１４９が設けられている。画素１４９は、１列以上設けることができる。図１（Ｂ）では、画素１４９を１列有する例を示す。図１（Ｃ）では、画素１４９を２列有する例を示す。
【００８０】
画素１４９が複数行又は複数列設けられていると、２つの表示パネルを重ねる際の位置ずれの許容範囲が広がり好ましい。
【００８１】
図１（Ｂ）では、画素１４１（ｉ，ｎ）（ｉは、１以上ｍ以下の整数）の左隣には、画素１４１（ｉ，ｎ−１）が位置し、右隣には、画素１４９（ｉ，ｎ＋１）が位置している。同様に、画素１４１（ｉ＋１，ｎ）の左隣には、画素１４１（ｉ＋１，ｎ−１）が位置し、右隣には、画素１４９（ｉ＋１，ｎ＋１）が位置している。
【００８２】
図１（Ｃ）では、画素１４１（ｉ，ｎ）の右隣には、画素１４９（ｉ，ｎ＋１）が位置し、画素１４９（ｉ，ｎ＋１）の右隣には、画素１４９（ｉ，ｎ＋２）が位置している。同様に、画素１４１（ｉ＋１，ｎ）の右隣には、画素１４９（ｉ＋１，ｎ＋１）が位置し、画素１４９（ｉ＋１，ｎ＋１）の右隣には、画素１４９（ｉ＋１，ｎ＋２）が位置している。
【００８３】
ｉ行目の画素１４９は、ｉ行ｎ列目の画素１４１と同じ色である。そして、ｉ行目の画素１４９に供給されるゲート信号及びソース信号は、ｉ行ｎ列目の画素１４１に供給されるゲート信号及びソース信号と等しい。これにより、ｉ行目の画素１４９は、ｉ行ｎ列目の画素１４１と同じ色の光を、同じタイミング、かつ、同程度の輝度で出力する。したがって、重ねられた２つの表示パネルに位置ずれが生じていても、２つの表示パネルの境界で画像が途切れて見えることを抑制できる。例えば、図１（Ｂ）において、画素１４９（ｉ，ｎ＋１）は、画素１４１（ｉ，ｎ）と同じ色である。そして、画素１４９（ｉ，ｎ＋１）に供給されるゲート信号及びソース信号は、画素１４１（ｉ，ｎ）に供給されるゲート信号及びソース信号と等しい。図１（Ｃ）において、画素１４９（ｉ，ｎ＋１）及び画素１４９（ｉ，ｎ＋２）は、画素１４１（ｉ，ｎ）と同じ色である。画素１４９（ｉ，ｎ＋１）及び画素１４９（ｉ，ｎ＋２）に供給されるゲート信号及びソース信号は、画素１４１（ｉ，ｎ）に供給されるゲート信号及びソース信号と等しい。
【００８４】
図２（Ａ）に、表示装置１０の上面図を示す。本発明の一態様の表示装置は、１以上の方向に並べて配置された複数の表示パネルを有する。図２（Ａ）に示す表示装置１０は、図１（Ａ）に示す表示パネル１００を２つ有する。具体的には、表示装置１０は、表示パネル１００ａ及び表示パネル１００ｂを有する。
【００８５】
なお、本実施の形態では、各々の表示パネル同士、各々の表示パネルに含まれる構成要素同士、又は各々の表示パネルに関連する構成要素同士を区別するために、符号の後にアルファベットを付記して説明する。特に説明のない限り、最も下側（表示面側とは反対側）に配置される表示パネル又は構成要素に対して「ａ」を付記し、その上側に配置される一以上の表示パネル及びその構成要素に対しては、下側から順に「ｂ」、「ｃ」、とアルファベット順に付記することとする。
【００８６】
表示装置１０では、表示パネル１００ｂにＦＰＣ１１２ｂが接続されている例を示す。表示パネル１００ｂには、ＦＰＣ１１２ｂを介して、ＩＣ１１５ｂが電気的に接続されている。表示パネル１００ａにも同様に、ＦＰＣを介してＩＣが電気的に接続されている。
【００８７】
表示パネル１００ａは、表示領域１０１ａ、表示領域１０９ａ、及び領域１０２ａを有する。領域１０２ａは、可視光を遮る領域１２０ａを有する。領域１０２ａは、可視光を透過する領域１１０ａを有していてもよい。例えば、表示パネル１００ａの下側にさらに表示パネルを配置する場合、領域１０２ａは、可視光を透過する領域１１０ａを有することが好ましい。
【００８８】
表示パネル１００ｂは、表示領域１０１ｂ及び領域１０２ｂを有する。領域１０２ｂは、可視光を透過する領域１１０ｂ及び可視光を遮る領域１２０ｂを有する。表示パネル１００ｂは、表示領域１０９ｂを有していてもよい。例えば、表示パネル１００ｂの上側にさらに表示パネルを配置する場合、表示パネル１００ｂは、表示領域１０９ｂを有することが好ましい。
【００８９】
表示パネル１００ｂは、その一部が表示パネル１００ａの上側（表示面側）に重ねて配置されている。具体的には、表示パネル１００ａの表示領域１０１ａ上に表示パネル１００ｂの可視光を透過する領域１１０ｂが重なるように配置されている。また、表示パネル１００ａの表示領域１０１ａ上に表示パネル１００ｂの可視光を遮る領域１２０ｂが重ならないように配置されている。また、表示パネル１００ａの可視光を遮る領域１２０ａ上に表示パネル１００ｂの表示領域１０１ｂが重なるように配置されている。
【００９０】
表示領域１０１ａ上には可視光を透過する領域１１０ｂが重なるため、表示パネル１００ｂが表示パネル１００ａの表示面上に重なっていても、表示装置１０の使用者は、表示領域１０１ａの表示全体を視認することが可能となる。
【００９１】
また、可視光を遮る領域１２０ａの上側に、表示パネル１００ｂの表示領域１０１ｂが重なることで、表示領域１０１ａ及び表示領域１０１ｂの間に非表示領域が存在しない。したがって、表示領域１０１ａ、１０１ｂが継ぎ目なく配置された領域を表示装置１０の表示領域１３とすることが可能となる。
【００９２】
図２（Ｂ）に、図２（Ａ）における領域Ｑ１の拡大図の一例を示す。
【００９３】
図２（Ｂ）では、一例として、表示パネル１００ａが有するｎ−２列目、ｎ−１列目、及びｎ列目の画素１４１ａに、可視光を透過する領域１１０ｂが重なっている場合を示す。
【００９４】
図２（Ｂ）では、表示パネル１００ａにおける、最も表示パネル１００ｂ側の列であるｎ列目の画素１４１ａと、表示パネル１００ｂにおける、最も表示パネル１００ａ側の列である１列目の画素１４１ｂとが、隣接している。すなわち、図２（Ｂ）は、表示パネル１００ａと表示パネル１００ｂとがずれることなく重なった、理想的な状態を示している。
【００９５】
図２（Ａ）、（Ｂ）に示すように表示パネル１００ａと表示パネル１００ｂを重ねると、表示装置１０の使用者は、２つの表示パネルの境界近傍に可視光を遮る領域が見えない。したがって、使用者には、表示パネルの継ぎ目が視認されにくい。
【００９６】
次に、図２（Ａ）の状態から、表示パネル１００ａが、表示パネル１００ｂから離れる方向にずれた場合の表示装置１０の上面図を図３（Ａ）に示す。図３（Ｂ）に、図３（Ａ）における領域Ｑ２の拡大図の一例を示す。
【００９７】
図３（Ａ）では、表示パネル１００ａの表示領域１０１ａ及び表示領域１０９ａ上に、表示パネル１００ｂの可視光を透過する領域１１０ｂが重なっている。
【００９８】
前述の通り、表示パネル１００ａは、表示領域１０１ａと可視光を遮る領域１２０ａの間に、表示領域１０９ａを有する。したがって、表示パネル１００ａが、表示パネル１００ｂから離れる方向にずれた場合に、可視光を遮る領域１２０ａ上に可視光を透過する領域１１０ｂが重なることを抑制できる。つまり、使用者から、表示パネルの継ぎ目が視認されやすくなることを抑制できる。
【００９９】
図３（Ｂ）では、図２（Ｂ）において隣接していた、ｎ列目の画素１４１ａと、１列目の画素１４１ｂとの間に、画素１４９ａの一部が位置する。例えば、画素１４１ａ（ｉ，ｎ）と画素１４１ｂ（ｉ，１）との間には、画素１４９（ｉ，ｎ＋１）が位置している。
【０１００】
図３（Ａ）、（Ｂ）に示すように表示パネル１００ａと表示パネル１００ｂを重ねると、表示装置１０の使用者には、２つの表示パネルの境界近傍に、表示領域１０９ａの少なくとも一部が見える。
【０１０１】
前述の通り、ｉ行目の画素１４９ａは、ｉ行ｎ列目の画素１４１ａと同じ色である。さらに、ｉ行目の画素１４９ａに供給されるゲート信号及びソース信号は、ｉ行ｎ列目の画素１４１ａに供給されるゲート信号及びソース信号と等しい。これにより、ｉ行目の画素１４９ａは、ｉ行ｎ列目の画素１４１ａと同じ色の光を、同じタイミング、かつ、同程度の輝度で出力する。したがって、表示パネルの位置ずれにより表示領域１０１ａと表示領域１０１ｂの間で画像が途切れて見えることを抑制できる。
【０１０２】
＜構成例Ｂ＞
図４（Ａ）に、図１（Ａ）とは異なる表示パネル１００の上面図を示す。図４（Ａ）に示す表示パネル１００は、表示領域１０９を有さない点で、図１（Ａ）の構成と異なる。なお、図１（Ａ）と同様の構成については、説明を省略する。
【０１０３】
表示パネル１００は、表示領域１０１及び領域１０２を有する。
【０１０４】
領域１０２は、可視光を透過する領域１１０及び可視光を遮る領域１２０を有する。可視光を透過する領域１１０及び可視光を遮る領域１２０は、それぞれ、表示領域１０１と隣接する。
【０１０５】
図４（Ｂ）に、図４（Ａ）における領域Ｐ２の拡大図の一例を示す。
【０１０６】
図４（Ｂ）では、ｎ列目の画素１４１の面積が、ｎ−１列目の画素１４１の面積に比べて大きい。例えば、画素１４１（ｉ，ｎ）の面積は、画素１４１（ｉ，ｎ−１）の面積よりも大きい。
【０１０７】
本発明の一態様では、ｎ列目の画素１４１が有する表示素子の面積を、ｎ−１列目の画素１４１が有する表示素子の面積よりも大きくする。ｎ列目の画素１４１が有する表示素子の面積が大きいほど、２つの表示パネルを重ねる際の位置ずれの許容範囲が広がり好ましい。
【０１０８】
ここで、画素が、表示素子として発光素子を有する場合、画素は、発光素子に流れる電流を制御する駆動トランジスタを有する構成とすることができる。該駆動トランジスタのソース又はドレインは、発光素子に接続される。
【０１０９】
図４（Ｂ）において、ｎ列目の画素１４１が有する駆動トランジスタのゲートに供給される電位は、ｎ−１列目の画素１４１が有する駆動トランジスタのゲートに供給される電位よりも高いことが好ましい。これにより、ｎ−１列目の画素１４１とｎ列目の画素１４１の単位面積当たりの明るさの差を抑制することができる。
【０１１０】
または、図４（Ｂ）において、ｎ列目の画素１４１が有する駆動トランジスタは、ｎ−１列目の画素１４１が有する駆動トランジスタよりも、大きな電流を流すことができると好ましい。これにより、ｎ−１列目の画素１４１とｎ列目の画素１４１の単位面積当たりの明るさの差を抑制することができる。例えば、他よりも大きな電流を流したいトランジスタをデュアルゲート型とし、他のトランジスタをシングルゲート型とすることができる。例えば、他よりも大きな電流を流したいトランジスタのチャネル長（Ｌ）とチャネル幅（Ｗ）の比Ｗ／Ｌを、他のトランジスタのＷ／Ｌよりも大きくすることができる。
【０１１１】
２枚の表示パネル１００ａ、１００ｂを重ねる場合、下側の表示パネル１００ａが有するｎ列目の画素１４１ａは、ｎ−１列目の画素１４１ａと同じ面積分、上側の表示パネル１００ｂの可視光を透過する領域１１０ｂと重なることが好ましい。このとき、表示パネル１００ａが有するｎ列目の画素１４１ａの一部は、表示パネル１００ｂの表示領域１０１ｂと重なる。
【０１１２】
図４（Ｃ）に示すように、２つの表示パネルが互いに重なる領域が狭くなるほど、表示パネル１００ａのｎ列目の画素１４１ａが、表示パネル１００ｂの可視光を透過する領域１１０ｂと重なる面積は大きくなる。２つの表示パネルが離れる方向にずれても、表示領域１０１ａと表示領域１０１ｂが離れることを抑制できる。したがって、表示パネルの位置ずれによって画像が途切れて見えることを抑制できる。
【０１１３】
＜構成例Ｃ＞
図５（Ａ）に、図１（Ｂ）の変形例を示す。図５（Ｂ）に、図３（Ｂ）の変形例を示す。
【０１１４】
図５（Ａ）では、画素１４９の面積が、ｎ列目の画素１４１の面積に比べて大きい。例えば、画素１４９（ｉ，ｎ＋１）の面積は、画素１４１（ｉ，ｎ）の面積よりも大きい。
【０１１５】
本発明の一態様では、画素１４９が有する表示素子の面積を、ｎ列目の画素１４１が有する表示素子の面積よりも大きくする。画素１４９が有する表示素子の面積が大きいほど、２つの表示パネルを重ねる際の位置ずれの許容範囲が広がり好ましい。
【０１１６】
ここで、画素が、表示素子として発光素子を有する場合、図５（Ａ）において、画素１４９が有する駆動トランジスタのゲートに供給される電位は、ｎ列目の画素１４１が有する駆動トランジスタのゲートに供給される電位よりも高いことが好ましい。または、図５（Ａ）において、画素１４９が有する駆動トランジスタは、ｎ列目の画素１４１が有する駆動トランジスタよりも、大きな電流を流すことができると好ましい。これにより、画素１４９とｎ列目の画素１４１の単位面積当たりの明るさの差を抑制することができる。
【０１１７】
図５（Ｂ）に示すように、２つの表示パネルが互いに重なる領域が狭くなるほど、表示パネル１００ａの画素１４９ａが、表示パネル１００ｂの可視光を透過する領域１１０ｂと重なる面積は大きくなる。表示パネルの位置ずれにより表示領域１０１ａと表示領域１０１ｂの間で画像が途切れて見えることを、表示領域１０９ａで表示を行うことによって抑制できる。
【０１１８】
＜構成例Ｄ＞
図６（Ａ）に、図１（Ａ）とは異なる表示パネル１００の上面図を示す。なお、図１（Ａ）と同様の構成については、説明を省略する。
【０１１９】
図６（Ａ）に示す表示パネル１００は、表示領域１０１、表示領域１０９、及び領域１０２を有する。
【０１２０】
領域１０２は、可視光を透過する領域１１０及び可視光を遮る領域１２０を有する。可視光を透過する領域１１０は、表示領域１０１と隣接する。表示領域１０９は、表示領域１０１と可視光を遮る領域１２０との間に位置し、双方に隣接する。
【０１２１】
図６（Ａ）に示す表示パネル１００では、表示領域１０９が、表示領域１０１の２辺に沿って配置されている。図６（Ａ）では、表示領域１０９の幅Ｗ２が２辺で等しい場合を例示したが、辺によって幅Ｗ２が異なっていてもよい。
【０１２２】
図６（Ａ）に示す表示パネル１００では、可視光を透過する領域１１０が、表示領域１０１の２辺に沿って配置されている。図６（Ａ）では、可視光を透過する領域１１０の幅Ｗ１が２辺で等しい場合を例示したが、辺によって幅Ｗ１が異なっていてもよい。
【０１２３】
図６（Ａ）に示す表示パネル１００では、可視光を遮る領域１２０が、表示領域１０１の２辺に沿って配置されている。
【０１２４】
図６（Ｂ）、（Ｃ）に、図６（Ａ）における領域Ｐ３の拡大図の一例をそれぞれ示す。
【０１２５】
図６（Ｂ）では、ｍ行目及びｎ列目の画素１４１に隣接して、行方向及び列方向に１列ずつ画素１４９が設けられている。図６（Ｂ）では、画素１４１（ｍ，ｎ）の左隣には、画素１４１（ｍ，ｎ−１）が位置し、右隣には、画素１４９（ｍ，ｎ＋１）が位置している。さらに、画素１４１（ｍ，ｎ）の上隣には、画素１４９（ｍ＋１，ｎ）が位置し、下隣には、画素１４１（ｍ−１，ｎ）が位置している。
【０１２６】
さらに、図６（Ｂ）では、画素１４１（ｍ，ｎ）の斜め右上に、画素１４９（ｍ＋１，ｎ＋１）が設けられている。つまり、表示領域１０１と表示領域１０９は、合わせて、ｍ＋１行ｎ＋１列の画素を有する。
【０１２７】
図６（Ｃ）では、表示領域１０１と表示領域１０９は、合わせて、ｍ＋２行ｎ＋２列の画素を有する。図６（Ｃ）では、画素１４１（ｍ，ｎ）の右隣には、画素１４９（ｍ，ｎ＋１）が位置し、画素１４９（ｍ，ｎ＋１）の右隣には、画素１４９（ｍ，ｎ＋２）が位置している。さらに、画素１４１（ｍ，ｎ）の上隣には、画素１４９（ｍ＋１，ｎ）が位置し、画素１４９（ｍ＋１，ｎ）の上隣には、画素１４９（ｍ＋２，ｎ）が位置している。図６（Ｃ）では、画素１４１（ｍ，ｎ）の斜め右上に、画素１４９（ｍ＋１，ｎ＋１）が設けられ、画素１４９（ｍ＋１，ｎ＋１）の斜め右上に、画素１４９（ｍ＋２，ｎ＋２）が設けられている。
【０１２８】
なお、画素１４９の行方向の数と列方向の数は、異なっていてもよい。画素１４１の幅が行方向と列方向とで異なる場合には、画素１４１の短辺方向に、画素１４１の長辺方向よりも多くの画素１４９を設けることが好ましい。
【０１２９】
ｉ行（ｉは、１以上ｍ以下の整数）目の画素１４９は、ｉ行ｎ列目の画素１４１と同じ色である。ｉ行目の画素１４９に供給されるゲート信号及びソース信号は、ｉ行ｎ列目の画素１４１に供給されるゲート信号及びソース信号と等しい。これにより、ｉ行目の画素１４９は、ｉ行ｎ列目の画素１４１と同じ色の光を、同じタイミング、かつ、同程度の輝度で出力する。
【０１３０】
ｊ列（ｊは、１以上ｎ以下の整数）目の画素１４９は、ｍ行ｊ列目の画素１４１と同じ色である。ｊ列目の画素１４９に供給されるゲート信号及びソース信号は、ｍ行ｊ列目の画素１４１に供給されるゲート信号及びソース信号と等しい。これにより、ｊ列目の画素１４９は、ｍ行ｊ列目の画素１４１と同じ色の光を、同じタイミング、かつ、同程度の輝度で出力する。
【０１３１】
ｍ＋１行以降かつｎ＋１列以降の画素１４９は、画素１４１（ｍ，ｎ）と同じ色である。ｍ＋１行以降かつｎ＋１列以降の画素１４９に供給されるゲート信号及びソース信号は、画素１４１（ｍ，ｎ）に供給されるゲート信号及びソース信号と等しい。これにより、ｍ＋１行以降かつｎ＋１列以降の画素１４９は、画素１４１（ｍ，ｎ）と同じ色の光を、同じタイミング、かつ、同程度の輝度で出力する。
【０１３２】
これにより、行方向又は列方向に重ねられた２つの表示パネルに位置ずれが生じていても、２つの表示パネルの境界で画像が途切れて見えることを抑制できる。
【０１３３】
例えば、図６（Ｂ）において、画素１４９（ｍ＋１，ｎ−１）は、画素１４１（ｍ，ｎ−１）と同じ色である。そして、画素１４９（ｍ＋１，ｎ−１）に供給されるゲート信号及びソース信号は、画素１４１（ｍ，ｎ−１）に供給されるゲート信号及びソース信号と等しい。図６（Ｃ）において、画素１４９（ｍ＋１，ｎ）及び画素１４９（ｍ＋２，ｎ）は、画素１４１（ｍ，ｎ）と同じ色である。そして、画素１４９（ｍ＋１，ｎ）及び画素１４９（ｍ＋２，ｎ）に供給されるゲート信号及びソース信号は、画素１４１（ｍ，ｎ）に供給されるゲート信号及びソース信号と等しい。
【０１３４】
図７（Ａ）に、図６（Ａ）に示す表示パネル１００を４つ有する表示装置１０を示す。具体的には、表示装置１０は、表示パネル１００ａ、１００ｂ、１００ｃ、１００ｄを有する。
【０１３５】
図７（Ａ）において、表示パネル１００ａ、１００ｂの短辺同士が重なり、表示領域１０１ａの一部と、可視光を透過する領域１１０ｂの一部が重なっている。また、表示パネル１００ａ、１００ｃの長辺同士が重なり、表示領域１０１ａの一部と、可視光を透過する領域１１０ｃの一部が重なっている。
【０１３６】
図７（Ａ）において、表示領域１０１ｂの一部は、可視光を透過する領域１１０ｃの一部、及び可視光を透過する領域１１０ｄの一部と重なっている。また、表示領域１０１ｃの一部は、可視光を透過する領域１１０ｄの一部と重なっている。
【０１３７】
したがって、図７（Ａ）に示すように、表示領域１０１ａ〜１０１ｄが継ぎ目なく配置された領域を表示装置１０の表示領域１３とすることが可能となる。
【０１３８】
図７（Ｂ）に、図７（Ａ）における領域Ｑ３の拡大図の一例を示す。
【０１３９】
図７（Ｂ）では、一例として、表示パネル１００ａが有するｎ−２列目、ｎ−１列目、及びｎ列目の画素１４１ａに、可視光を透過する領域１１０ｂ、１１０ｄが重なっており、表示パネル１００ａが有するｍ−２列目、ｍ−１列目、及びｍ列目の画素１４１ａに、可視光を透過する領域１１０ｃ、１１０ｄが重なっている場合を示す。
【０１４０】
図７（Ｂ）では、表示パネル１００ａにおける、最も表示パネル１００ｂ側の列であるｎ列目の画素１４１ａと、表示パネル１００ｂにおける、最も表示パネル１００ａ側の列である１列目の画素１４１ｂとが、隣接している。また、表示パネル１００ａにおける、最も表示パネル１００ｃ側の行であるｍ行目の画素１４１ａと、表示パネル１００ｃにおける、最も表示パネル１００ａ側の行である１行目の画素１４１ｃとが、隣接している。また、表示パネル１００ｃにおける、最も表示パネル１００ｄ側の列であるｎ列目の画素１４１ｃと、表示パネル１００ｄにおける、最も表示パネル１００ｃ側の列である１列目の画素１４１ｄとが、隣接している。また、表示パネル１００ｂにおける、最も表示パネル１００ｄ側の行であるｍ行目の画素１４１ｂと、表示パネル１００ｄにおける、最も表示パネル１００ｂ側の行である１行目の画素１４１ｄとが、隣接している。すなわち、図７（Ｂ）は、４枚の表示パネル１００がずれることなく重なった、理想的な状態を示している。
【０１４１】
図７（Ａ）、（Ｂ）に示すように４つの表示パネルを重ねると、表示装置１０の使用者は、２つの表示パネルの境界近傍に可視光を遮る領域が見えない。したがって、使用者には、表示パネルの継ぎ目が視認されにくい。
【０１４２】
次に、図７（Ａ）の状態から、表示パネル１００ａが、表示パネル１００ｂ〜１００ｄから離れる方向にずれた場合の表示装置１０の上面図を図８（Ａ）に示す。図８（Ｂ）に、図８（Ａ）における領域Ｑ４の拡大図の一例を示す。
【０１４３】
図８（Ａ）では、表示パネル１００ａの表示領域１０１ａ及び表示領域１０９ａ上に、表示パネル１００ｂの可視光を透過する領域１１０ｂ〜１１０ｄが重なっている。
【０１４４】
前述の通り、表示パネル１００ａは、表示領域１０１ａと可視光を遮る領域１２０ａの間に、表示領域１０９ａを有する。したがって、表示パネル１００ａが、表示パネル１００ｂ〜１００ｄから離れる方向にずれた場合に、可視光を遮る領域１２０ａ上に可視光を透過する領域１１０ｂ〜１１０ｄが重なることを抑制できる。つまり、使用者から、表示パネルの継ぎ目が視認されやすくなることを抑制できる。
【０１４５】
図８（Ｂ）では、図７（Ｂ）において隣接していた、表示パネル１００ａのｎ列目の画素１４１ａと、表示パネル１００ｂの１列目の画素１４１ｂとの間に、表示パネル１００ａの画素１４９ａの一部が位置する。同様に、表示パネル１００ａのｍ行目の画素１４１ａと、表示パネル１００ｃの１行目の画素１４１ｃとの間に、表示パネル１００ａの画素１４９ａの一部が位置する。さらに、表示パネル１００ａの画素１４１ａ（ｍ，ｎ）の斜め右上、かつ、表示パネル１００ｄの画素１４１ｄ（１，１）の斜め左下の位置に、表示パネル１００ａの画素１４９ａの一部が存在する。
【０１４６】
図８（Ａ）、（Ｂ）に示すように４つの表示パネルを重ねると、表示装置１０の使用者には、表示パネル１００ｂ〜１００ｄが有する可視光を透過する領域１１０を介して、表示パネル１００ａの表示領域１０９ａの少なくとも一部が見える。
【０１４７】
前述の通り、ｉ行目の画素１４９は、ｉ行ｎ列目の画素１４１と同じ色であり、ｊ列目の画素１４９は、ｍ行ｊ列目の画素１４１と同じ色である。そして、ｉ行目の画素１４９に供給されるゲート信号及びソース信号は、ｉ行ｎ列目の画素１４１に供給されるゲート信号及びソース信号と等しく、ｊ行目の画素１４９に供給されるゲート信号及びソース信号は、ｍ行ｊ列目の画素１４１に供給されるゲート信号及びソース信号と等しい。さらに、ｍ＋１行以降かつｎ＋１列以降の画素１４９は、画素１４１（ｍ，ｎ）と同じ色である。そして、ｍ＋１行以降かつｎ＋１列以降の画素１４９に供給されるゲート信号及びソース信号は、画素１４１（ｍ，ｎ）に供給されるゲート信号及びソース信号と等しい。これにより、画素１４９は、隣接した画素１４１と同じ色の光を、同じタイミング、かつ、同程度の輝度で出力する。したがって、行方向又は列方向に重ねられた２つの表示パネルに位置ずれが生じていても、２つの表示パネルの境界で画像が途切れて見えることを抑制できる。
【０１４８】
＜構成例Ｅ＞
図９（Ａ）に、図６（Ａ）とは異なる表示パネル１００の上面図を示す。図９（Ａ）に示す表示パネル１００は、表示領域１０９を有さない点で、図６（Ａ）の構成と異なる。なお、図６（Ａ）と同様の構成については、説明を省略する。
【０１４９】
表示パネル１００は、表示領域１０１及び領域１０２を有する。
【０１５０】
領域１０２は、可視光を透過する領域１１０及び可視光を遮る領域１２０を有する。可視光を透過する領域１１０及び可視光を遮る領域１２０は、それぞれ、表示領域１０１と隣接する。
【０１５１】
図９（Ｂ）に、図９（Ａ）における領域Ｐ４の拡大図の一例を示す。
【０１５２】
図９（Ｂ）では、ｎ列目の画素１４１の面積が、ｎ−１列目の画素１４１の面積に比べて大きい。例えば、画素１４１（ｍ−１，ｎ）の面積は、画素１４１（ｍ−１，ｎ−１）の面積よりも大きい。同様に、ｍ行目の画素１４１の面積は、ｍ−１行目の画素１４１の面積に比べて大きい。例えば、画素１４１（ｍ，ｎ−１）の面積は、画素１４１（ｍ−１，ｎ−１）の面積よりも大きい。さらに、画素１４１（ｍ，ｎ）の面積は、画素１４１（ｍ−１，ｎ−１）の面積よりも大きい。
【０１５３】
本発明の一態様では、ｎ列目の画素１４１が有する表示素子の面積を、ｎ−１列目の画素１４１が有する表示素子の面積よりも大きくする。同様に、ｍ行目の画素１４１が有する表示素子の面積を、ｍ−１行目の画素１４１が有する表示素子の面積よりも大きくする。また、画素１４１（ｍ，ｎ）が有する表示素子の面積を、画素１４１（ｍ−１，ｎ−１）が有する表示素子の面積よりも大きくする。これにより、行方向又は列方向に重ねられた２つの表示パネルの位置ずれの許容範囲を広げることができる。
【０１５４】
画素が、表示素子として発光素子を有する場合、図９（Ｂ）において、ｎ列目の画素１４１が有する駆動トランジスタのゲートに供給される電位は、ｎ−１列目の画素１４１が有する駆動トランジスタのゲートに供給される電位よりも高いことが好ましい。同様に、ｍ行目の画素１４１が有する駆動トランジスタのゲートに供給される電位は、ｍ−１行目の画素１４１が有する駆動トランジスタのゲートに供給される電位よりも高いことが好ましい。また、画素１４１（ｍ，ｎ）が有する駆動トランジスタのゲートに供給される電位は、画素１４１（ｍ−１，ｎ−１）が有する駆動トランジスタのゲートに供給される電位よりも、高いことが好ましい。
【０１５５】
または、図９（Ｂ）において、ｎ列目の画素１４１が有する駆動トランジスタは、ｎ−１列目の画素１４１が有する駆動トランジスタよりも、大きな電流を流すことができると好ましい。同様に、ｍ行目の画素１４１が有する駆動トランジスタは、ｍ−１行目の画素１４１が有する駆動トランジスタよりも、大きな電流を流すことができると好ましい。また、画素１４１（ｍ，ｎ）が有する駆動トランジスタは、画素１４１（ｍ−１，ｎ−１）が有する駆動トランジスタよりも、大きな電流を流すことができると好ましい。
【０１５６】
４枚の表示パネルを重ねる場合、最も下側の表示パネル１００ａが有する、他の画素１４１ａよりも面積が大きい画素１４１ａは、他の画素１４１ａと同じ面積分、上側の表示パネル１００ｂの可視光を透過する領域１１０ｂと重なることが好ましい。このとき、表示パネル１００ａが有する、他の画素１４１ａよりも面積が大きい画素１４１ａの一部は、表示パネル１００ｂ〜１００ｄの表示領域１０１ｂ〜１０１ｄと重なる。
【０１５７】
図９（Ｃ）に示すように、表示パネル１００ａが、他の表示パネルから離れる方向にずれるほど、表示パネル１００ａの、他の画素１４１ａよりも面積が大きい画素１４１ａが、表示パネル１００ｂ〜１００ｄの可視光を透過する領域１１０ｂ〜１１０ｄと重なる面積は大きくなる。表示パネル１００ａが他の表示パネルから離れる方向にずれても、表示領域１０１ａと表示領域１０１ｂ〜１０１ｄが離れることを抑制できる。したがって、表示パネルの位置ずれによって画像が途切れて見えることを抑制できる。
【０１５８】
＜構成例Ｆ＞
図１０（Ａ）に、図６（Ｂ）の変形例を示す。図１０（Ｂ）に、図７（Ｂ）の変形例を示す。
【０１５９】
図１０（Ａ）では、列方向に配設された画素１４９の面積が、ｎ列目の画素１４１の面積に比べて大きい。例えば、画素１４９（ｍ，ｎ＋１）の面積は、画素１４１（ｍ，ｎ）の面積よりも大きい。同様に、行方向に配設された画素１４９の面積が、ｍ行目の画素１４１の面積に比べて大きい。例えば、画素１４９（ｍ＋１，ｎ）の面積は、画素１４１（ｍ，ｎ）の面積よりも大きい。さらに、画素１４９（ｍ＋１，ｎ＋１）の面積は、画素１４１（ｍ，ｎ）の面積よりも大きい。
【０１６０】
本発明の一態様では、列方向に配設された画素１４９が有する表示素子の面積を、ｎ列目の画素１４１が有する表示素子の面積よりも大きくする。同様に、行方向に配設された画素１４９が有する表示素子の面積を、ｍ行目の画素１４１が有する表示素子の面積よりも大きくする。また、画素１４９（ｍ＋１，ｎ＋１）が有する表示素子の面積を、画素１４１（ｍ，ｎ）が有する表示素子の面積よりも大きくする。これにより、行方向又は列方向に重ねられた２つの表示パネルの位置ずれの許容範囲を広げることができる。
【０１６１】
画素が、表示素子として発光素子を有する場合、図１０（Ａ）において、列方向に配設された画素１４９が有する駆動トランジスタのゲートに供給される電位は、ｎ列目の画素１４１が有する駆動トランジスタのゲートに供給される電位よりも高いことが好ましい。同様に、行方向に配設された画素１４９が有する駆動トランジスタのゲートに供給される電位は、ｍ行目の画素１４１が有する駆動トランジスタのゲートに供給される電位よりも高いことが好ましい。また、画素１４９（ｍ＋１，ｎ＋１）が有する駆動トランジスタのゲートに供給される電位は、画素１４１（ｍ，ｎ）が有する駆動トランジスタのゲートに供給される電位よりも、高いことが好ましい。
【０１６２】
または、図１０（Ａ）において、列方向に配設された画素１４９が有する駆動トランジスタは、ｎ列目の画素１４１が有する駆動トランジスタよりも、大きな電流を流すことができると好ましい。同様に、行方向に配設された画素１４９が有する駆動トランジスタは、ｍ行目の画素１４１が有する駆動トランジスタよりも、大きな電流を流すことができると好ましい。また、画素１４９（ｍ＋１，ｎ＋１）が有する駆動トランジスタは、画素１４１（ｍ，ｎ）が有する駆動トランジスタよりも、大きな電流を流すことができると好ましい。
【０１６３】
図１０（Ｂ）に示すように、表示パネル１００ａが、他の表示パネルから離れる方向にずれるほど、表示パネル１００ａの画素１４９ａが、表示パネル１００ｂ〜１００ｄの可視光を透過する領域１１０ｂ〜１１０ｄと重なる面積は大きくなる。表示パネルの位置ずれにより２つの表示領域間で画像が途切れて見えることを、表示領域１０９ａで表示を行うことによって抑制できる。
【０１６４】
＜構成例Ａの回路図＞
構成例Ａにおける、ｉ行目の画素１４９に供給されるゲート信号及びソース信号と、ｉ行ｎ列目の画素に供給されるゲート信号及びソース信号とを、等しくする方法の一例を説明する。
【０１６５】
図１１に、表示領域１０１、表示領域１０９、走査線駆動回路ＧＤ、及び信号線駆動回路ＳＤの接続関係を説明する回路図を示す。
【０１６６】
表示領域１０１は、画素１４１を複数有する。表示領域１０９は、画素１４９を複数有する。画素１４１及び画素１４９は、それぞれ、選択トランジスタ７０ａ、駆動トランジスタ７０ｂ、及び発光素子４０を有する。
【０１６７】
画素１４１（ｉ，ｊ）（ｉは１以上ｍ以下の整数、ｊは１以上ｎ以下の整数）には、１つの信号線５１（ｊ）及び１つの走査線５２（ｉ）が電気的に接続されている。信号線５１（ｊ）は、信号線駆動回路ＳＤと電気的に接続されている。走査線５２（ｉ）は、走査線駆動回路ＧＤと電気的に接続されている。
【０１６８】
画素１４１（ｉ，ｊ）の選択トランジスタ７０ａにおいて、ゲートは、走査線５２（ｉ）と電気的に接続され、ソース又はドレインの一方は、信号線５１（ｊ）と電気的に接続され、ソース又はドレインの他方は、駆動トランジスタ７０ｂのゲートと電気的に接続される。駆動トランジスタ７０ｂのソース又はドレインの一方は、発光素子４０の画素電極と電気的に接続され、ソース又はドレインの他方には、定電位が与えられる。
【０１６９】
画素１４９（ｉ，ｑ）（ｑはｎ＋１、ｎ＋２、又はｎ＋３）には、１つの信号線５１（ｑ）及び１つの走査線５２（ｉ）が電気的に接続されている。信号線５１（ｑ）は、信号線駆動回路ＳＤと電気的に接続されている。
【０１７０】
画素１４９（ｉ，ｑ）の選択トランジスタ７０ａにおいて、ゲートは、走査線５２（ｉ）と電気的に接続され、ソース又はドレインの一方は、信号線５１（ｑ）と電気的に接続され、ソース又はドレインの他方は、駆動トランジスタ７０ｂのゲートと電気的に接続される。駆動トランジスタ７０ｂのソース又はドレインの一方は、発光素子４０の画素電極と電気的に接続され、ソース又はドレインの他方には、定電位が与えられる。
【０１７１】
ｉ行目の画素１４１及びｉ行目の画素１４９が有する選択トランジスタ７０ａのゲートは、いずれも、走査線５２（ｉ）と電気的に接続される。つまり、ｉ行目の画素１４１に供給されるゲート信号と、ｉ行目の画素１４９に供給されるゲート信号と、は、等しい。
【０１７２】
画素１４１（ｉ，ｎ）の選択トランジスタ７０ａのソース又はドレインの一方は、信号線５１（ｎ）と電気的に接続される。画素１４９（ｉ，ｑ）の選択トランジスタ７０ａのソース又はドレインの一方は、信号線５１（ｑ）と電気的に接続される。信号線駆動回路ＳＤが、信号線５１（ｑ）と信号線５１（ｎ）に同じソース信号を供給することで、画素１４９に供給されるソース信号とｎ列目の画素１４１に供給されるソース信号とを、等しくすることができる。
【０１７３】
図１２及び図１３に、図１１の回路図の変形例を示す。図１２は、信号線５１（ｎ＋１）に、信号線５１（ｎ＋２）及び信号線５１（ｎ＋３）が接続されている点で、図１１と異なる。図１３は、信号線５１（ｎ）に、信号線５１（ｎ＋１）、信号線５１（ｎ＋２）及び信号線５１（ｎ＋３）が接続されている点で、図１１と異なる。
【０１７４】
図１１において、表示領域１０９が有する画素１４９には、全て同じソース信号を供給する。そのため、表示領域１０９に接続される信号線を、それぞれ独立に、信号線駆動回路ＳＤに接続する構成に限られない。例えば、図１２に示すように、表示領域１０９が有する画素１４９に接続される１つの信号線のみが信号線駆動回路ＳＤに直接接続する構成とすることもできる。
【０１７５】
信号線駆動回路ＳＤに接続される信号線の本数を減らすことで、図１２の構成では、図１１の構成に比べて、信号線１本あたりの書き込み時間を長くすることができる。
【０１７６】
図１１において、表示領域１０９が有する画素には、表示領域１０１のｎ列目の画素と同じソース信号を供給する。そのため、図１３に示すように、表示領域１０９が有する画素１４９に接続される信号線は、信号線駆動回路ＳＤに直接接続されなくてもよい。
【０１７７】
図１３の構成と、表示領域１０９を設けない構成とでは、信号線駆動回路ＳＤに接続される信号線の本数が変わらない。つまり、表示領域１０９を有する表示パネルを表示装置に適用する際に、新規な駆動回路を設計しなくてよい、新規なＩＣを作製しなくてよい、又は新規な映像データを作成しなくてよいため、製造コストを抑えることができる。
【０１７８】
図１４では、表示領域１０９を表示領域１０１のｍ行目の画素に隣接して設ける場合の例を示す。
【０１７９】
画素１４１（ｉ，ｊ）の構成及び接続関係は、図１１と同様である。
【０１８０】
画素１４９（ｐ，ｊ）（ｐはｍ＋１、ｍ＋２、又はｍ＋３）には、１つの信号線５１（ｊ）及び１つの走査線５２（ｍ）が電気的に接続されている。
【０１８１】
画素１４９（ｐ，ｊ）の選択トランジスタ７０ａにおいて、ゲートは、走査線５２（ｍ）と電気的に接続され、ソース又はドレインの一方は、信号線５１（ｊ）と電気的に接続され、ソース又はドレインの他方は、駆動トランジスタ７０ｂのゲートと電気的に接続される。駆動トランジスタ７０ｂのソース又はドレインの一方は、発光素子４０の画素電極と電気的に接続され、ソース又はドレインの他方には、定電位が与えられる。
【０１８２】
画素１４１（ｍ，ｊ）と画素１４９が有する選択トランジスタ７０ａのゲートは、いずれも、走査線５２（ｍ）と電気的に接続される。ｊ列目の画素１４１及びｊ列目の画素１４９が有する選択トランジスタ７０ａのソース又はドレインの一方は、信号線５１（ｊ）と電気的に接続される。つまり、ｊ列目の画素１４１に供給されるゲート信号及びソース信号と、ｊ列目の画素１４９に供給されるゲート信号及びソース信号と、は、等しい。
【０１８３】
本発明の一態様において、表示領域１０９が有する画素１４９には、表示領域１０１のｍ行目の画素１４１と同じゲート信号を供給する。そのため、図１４に示すように、表示領域１０９が有する画素１４９に接続される走査線は、走査線駆動回路ＧＤに直接接続されなくてもよい。
【０１８４】
図１４の構成と、表示領域１０９を設けない構成とでは、走査線駆動回路ＧＤに接続される走査線の本数が変わらない。つまり、表示領域１０９を有する表示パネルを表示装置に適用する際に、新規な駆動回路を設計しなくてよい、新規なＩＣを作製しなくてよい、又は新規な映像データを作成しなくてよいため、製造コストを抑えることができる。
【０１８５】
図１５に、構成例Ｄにおける、表示領域１０１、表示領域１０９、走査線駆動回路ＧＤ、及び信号線駆動回路ＳＤの接続関係を説明する回路図を示す。
【０１８６】
画素１４１（ｉ，ｊ）の構成及び接続関係は、図１１と同様である。
【０１８７】
画素１４９（ｉ，ｑ）（ｑはｎ＋１、ｎ＋２、又はｎ＋３）には、１つの信号線５１（ｎ）及び１つの走査線５２（ｉ）が電気的に接続されている。
【０１８８】
画素１４９（ｐ，ｊ）（ｐはｍ＋１、ｍ＋２、又はｍ＋３）には、１つの信号線５１（ｊ）及び１つの走査線５２（ｍ）が電気的に接続されている。
【０１８９】
画素１４９（ｐ，ｑ）（ｐはｍ＋１、ｍ＋２、又はｍ＋３、ｑは、ｎ＋１、ｎ＋２、又はｎ＋３）には、１つの信号線５１（ｎ）及び１つの走査線５２（ｍ）が電気的に接続されている。
【０１９０】
画素１４９（ｐ，ｑ）の選択トランジスタ７０ａにおいて、ゲートは、走査線５２（ｍ）と電気的に接続され、ソース又はドレインの一方は、信号線５１（ｎ）と電気的に接続され、ソース又はドレインの他方は、駆動トランジスタ７０ｂのゲートと電気的に接続される。駆動トランジスタ７０ｂのソース又はドレインの一方は、発光素子４０の画素電極と電気的に接続され、ソース又はドレインの他方には、定電位が与えられる。
【０１９１】
画素１４１（ｍ，ｎ）と画素１４９（ｐ，ｑ）が有する選択トランジスタ７０ａのゲートは、いずれも、走査線５２（ｍ）と電気的に接続される。つまり、画素１４１（ｍ，ｎ）に供給されるゲート信号と、画素１４９（ｐ，ｑ）に供給されるゲート信号と、は、等しい。
【０１９２】
画素１４１（ｍ，ｎ）と画素１４９（ｐ，ｑ）が有する選択トランジスタ７０ａのソース又はドレインの一方は、いずれも、信号線５１（ｎ）と電気的に接続される。つまり、画素１４１（ｍ，ｎ）に供給されるソース信号と、画素１４９（ｐ，ｑ）に供給されるソース信号と、は、等しい。
【０１９３】
図１５の構成と、表示領域１０９を設けない構成とでは、信号線駆動回路ＳＤに接続される信号線の本数及び走査線駆動回路ＧＤに接続される走査線の本数が変わらない。つまり、表示領域１０９を有する表示パネルを表示装置に適用する際に、新規な駆動回路を設計しなくてよい、新規なＩＣを作製しなくてよい、又は新規な映像データを作成しなくてよいため、製造コストを抑えることができる。
【０１９４】
図１１〜図１５では、画素１４１と画素１４９とで、画素内の構成が同一である例を示したが、本発明の一態様はこれに限られない。
【０１９５】
図１６（Ａ）、（Ｂ）では、画素１４９が、駆動トランジスタ７０ｂ及び発光素子４０を有し、選択トランジスタ７０ａを有さない例を示す。
【０１９６】
図１６（Ａ）では、画素１４９（ｍ＋２，ｎ）及び画素１４９（ｍ＋１，ｎ）のそれぞれが有する駆動トランジスタ７０ｂのゲートが、画素１４１（ｍ，ｎ）が有する駆動トランジスタ７０ｂのゲートと電気的に接続されている。
【０１９７】
図１６（Ｂ）では、画素１４９（ｍ，ｎ＋１）及び画素１４９（ｍ，ｎ＋２）のそれぞれが有する駆動トランジスタ７０ｂのゲートが、画素１４１（ｍ，ｎ）が有する駆動トランジスタ７０ｂのゲートと電気的に接続されている。
【０１９８】
図１６（Ｃ）、（Ｄ）では、画素１４９が、発光素子４０を有し、選択トランジスタ７０ａ及び駆動トランジスタ７０ｂを有さない例を示す。
【０１９９】
図１６（Ｃ）では、画素１４９（ｍ＋１，ｎ）が有する発光素子４０の画素電極が、画素１４１（ｍ，ｎ）が有する発光素子４０の画素電極と電気的に接続されている。
【０２００】
図１６（Ｄ）では、画素１４９（ｍ，ｎ＋１）が有する発光素子４０の画素電極が、画素１４１（ｍ，ｎ）が有する発光素子４０の画素電極と電気的に接続されている。
【０２０１】
図１６（Ｃ）、（Ｄ）で、複数の発光素子４０と電気的に接続される駆動トランジスタ７０ｂは、一つの発光素子４０と電気的に接続される駆動トランジスタに比べて、大きな電流を流すことができると好ましい。
【０２０２】
このように、画素内の構成を変えることでも、画素１４９に供給されるゲート信号及びソース信号と、該画素１４９と同じ行のｎ列目の画素１４１又は同じ列のｍ行目の画素１４１に供給されるゲート信号及びソース信号とを、等しくすることができる。また、表示領域１０９を設けても、信号線駆動回路ＳＤに接続される信号線の本数及び走査線駆動回路ＧＤに接続される走査線の本数が増えないという効果も奏する。
【０２０３】
＜構成例Ｂの回路図＞
構成例Ｂにおける、ｎ列目の画素１４１が有する駆動トランジスタに、ｎ−１列目の画素１４１が有する駆動トランジスタよりも、大きな電流を流す方法の一例を説明する。
【０２０４】
図１７に、画素１４１、走査線駆動回路ＧＤ、及び信号線駆動回路ＳＤの接続関係を説明する回路図を示す。
【０２０５】
１列目からｎ−１列目までに配設された画素１４１は、それぞれ、選択トランジスタ７０ａ、駆動トランジスタ７０ｂ、及び発光素子４０を有する。ｎ列目に配設された画素１４１は、それぞれ、選択トランジスタ７０ａ、駆動トランジスタ７０ｃ、及び発光素子４０を有する。
【０２０６】
画素１４１（ｉ，ｊ）（ｉは１以上ｍ以下の整数、ｊは１以上ｎ以下の整数）には、１つの信号線５１（ｊ）及び１つの走査線５２（ｉ）が電気的に接続されている。信号線５１（ｊ）は、信号線駆動回路ＳＤと電気的に接続されている。走査線５２（ｉ）は、走査線駆動回路ＧＤと電気的に接続されている。
【０２０７】
画素１４１（ｉ，ｊ）の選択トランジスタ７０ａにおいて、ゲートは、走査線５２（ｉ）と電気的に接続され、ソース又はドレインの一方は、信号線５１（ｊ）と電気的に接続され、ソース又はドレインの他方は、駆動トランジスタ７０ｂ（ｊ＝ｎのときは、駆動トランジスタ７０ｃ）のゲートと電気的に接続される。駆動トランジスタ７０ｂ（ｊ＝ｎのときは、駆動トランジスタ７０ｃ）のソース又はドレインの一方は、発光素子４０と電気的に接続され、ソース又はドレインの他方には、定電位が与えられる。
【０２０８】
駆動トランジスタ７０ｃは、バックゲートを有する。バックゲートは、ゲートと電気的に接続されている。シングルゲート型のトランジスタに比べて、デュアルゲート型のトランジスタは、大きな電流を流すことができる。したがって、ｎ列目の画素１４１に、デュアルゲート型の駆動トランジスタ７０ｃを用い、ｎ−１列目の画素１４１に、シングルゲート型の駆動トランジスタ７０ｂを用いることで、ｎ列目の画素１４１が有する駆動トランジスタに、ｎ−１列目の画素１４１が有する駆動トランジスタよりも、大きな電流を流すことができる。
【０２０９】
構成例Ｃにおける、画素１４９が有する駆動トランジスタに、ｎ列目の画素１４１が有する駆動トランジスタよりも、大きな電流を流すためにも同様の方法を適用できる。
【０２１０】
図１８に、画素１４９に、デュアルゲート型の駆動トランジスタ７０ｃを用い、画素１４１に、シングルゲート型の駆動トランジスタ７０ｂを用いる例を示す。
【０２１１】
なお、図１８では、ｎ−１列目の画素１４１に接続される信号線と、ｎ列目の画素１４１に接続される信号線と、が異なる。そのため、ｎ列目の画素１４１に供給する電位を、ｎ−１列目の画素１４１に供給する電位よりも、高くすることができる。これにより、ｎ列目の画素１４１が有する駆動トランジスタのゲートに供給される電位を、ｎ−１列目の画素１４１が有する駆動トランジスタのゲートに供給される電位よりも高くすることができる。この場合、ｎ−１列目の画素１４１とｎ列目の画素１４１を同じ構成とすることができる。例えば、ｎ−１列目の画素１４１とｎ列目の画素１４１の双方を、選択トランジスタ７０ａ、駆動トランジスタ７０ｂ、及び発光素子４０を有する構成とすることができる。または、例えば、ｎ−１列目の画素１４１とｎ列目の画素１４１の双方を、選択トランジスタ７０ａ、駆動トランジスタ７０ｃ、及び発光素子４０を有する構成とすることができる。
【０２１２】
＜構成例Ｃの画素レイアウト図＞
構成例Ｃにおける、画素１４９が有する駆動トランジスタに、ｎ列目の画素１４１が有する駆動トランジスタよりも、大きな電流を流す別の方法を説明する。なお、構成例Ｂ、Ｅ、Ｆにも同様の方法を適用することができる。
【０２１３】
図１９（Ａ）〜（Ｄ）に、画素の回路図の例を示す。図２０（Ａ）、（Ｂ）及び図２１（Ａ）、（Ｂ）に、画素のレイアウトの例を示す。レイアウト図では、絶縁層など、一部の構成を省略して示す。図２０（Ｂ）及び図２１（Ｂ）は、図２０（Ａ）及び図２１（Ａ）に、画素電極３６を追加した図である。
【０２１４】
図１９（Ａ）に示す画素回路８０は、選択トランジスタ７０ａ、駆動トランジスタ７０ｂ、及び容量素子８５を有する。画素回路８０には、信号線５１、走査線５２、及び電源線５５が接続されている。発光素子４０は、画素電極３６及び共通電極３８を有する。電源線５５は、容量素子８５及び駆動トランジスタ７０ｂのソース又はドレインの一方に所定の電位又は信号を供給する。
【０２１５】
図１９（Ｂ）に示す画素回路８０は、容量素子８５の接続関係が、図１９（Ａ）と異なる。図１９（Ｃ）、（Ｄ）に示す画素回路８０は、シングルゲート型の駆動トランジスタ７０ｂを有さず、デュアルゲート型の駆動トランジスタ７０ｃを有する点で、図１９（Ａ）、（Ｂ）と異なる。
【０２１６】
図２０（Ａ）、（Ｂ）及び図２１（Ａ）、（Ｂ）に示す画素のレイアウトは、例えば、図５（Ａ）又は図１０（Ａ）に示す表示パネル１００に適用することができる。また、図４（Ａ）又は図９（Ａ）など、画素によって表示素子の表示領域の面積が異なる表示パネルにも適用することができる。
【０２１７】
図２０（Ａ）、（Ｂ）、図２１（Ａ）、（Ｂ）に示す画素１４１には、図１９（Ａ）に示す画素回路８０が適用されている。図２０（Ａ）、（Ｂ）に示す画素１４９にも、図１９（Ａ）に示す画素回路８０が適用されている。図２１（Ａ）、（Ｂ）に示す画素１４９には、図１９（Ｃ）に示す画素回路８０が適用されている。
【０２１８】
各画素における接続関係について説明する。走査線５２の一部は選択トランジスタ７０ａのゲートとして機能する。信号線５１の一部は選択トランジスタ７０ａのソース又はドレインとして機能する。走査線５２の一部と重ねて半導体層７２ａが配置され、半導体層７２ａの一部と重ねて信号線５１が配置されている。半導体層７２ａの信号線５１とは反対側には、選択トランジスタ７０ａのソース又はドレインの他方として機能する導電層７４ｂが設けられている。導電層７４ｂは、導電層７６と電気的に接続している。導電層７６の一部は、駆動トランジスタ７０ｂ、７０ｂ１、７０ｂ２、又は７０ｃのゲート電極として機能する。導電層７６の他の一部は容量素子８５の一方の電極として機能する。電源線５５の一部は、容量素子８５の他方の電極として機能し、他の一部は駆動トランジスタ７０ｂ、７０ｂ１、７０ｂ２、又は７０ｃのソース又はドレインの一方として機能する。駆動トランジスタ７０ｂ、７０ｂ１、７０ｂ２、又は７０ｃのソース又はドレインの他方は、画素電極３６、３６ａ、又は３６ｂと電気的に接続している。
【０２１９】
図２０（Ｂ）及び図２１（Ｂ）では、発光領域８３ｂが、発光領域８３ａに比べて広い。
【０２２０】
図２０（Ａ）、（Ｂ）では、画素１４９の駆動トランジスタ７０ｂ２のＷ／Ｌを、画素１４１の駆動トランジスタ７０ｂ１のＷ／Ｌよりも大きくしている。駆動トランジスタのＷ／Ｌを大きくするほど、大きな電流を流すことができる。そのため、発光領域８３ｂを発光領域８３ａより広くしても、発光領域８３ａに比べて発光領域８３ｂの輝度が低下することを抑制できる。
【０２２１】
図２０（Ａ）、（Ｂ）では、半導体層７２ｂ２が、半導体層７２ｂ１よりも、チャネル幅方向に長い例を示すが、これに限られない。駆動トランジスタ７０ｂ１と駆動トランジスタ７０ｂ２は、チャネル長Ｌ及びチャネル幅Ｗのうち少なくとも一方を異ならせることができる。
【０２２２】
図２１（Ａ）、（Ｂ）では、画素１４９の駆動トランジスタ７０ｂを、デュアルゲート型トランジスタとし、画素１４１の駆動トランジスタ７０ｃを、シングルゲート型トランジスタとしている。前述の通り、シングルゲート型のトランジスタに比べて、デュアルゲート型のトランジスタは、大きな電流を流すことができる。そのため、発光領域８３ｂを発光領域８３ａより広くしても、発光領域８３ａに比べて発光領域８３ｂの輝度が低下することを抑制できる。
【０２２３】
駆動トランジスタ７０ｃは、駆動トランジスタ７０ｂにゲート７７を追加した構成である。図２１（Ａ）、（Ｂ）では、駆動トランジスタ７０ｃが有する２つのゲートが互いに接続されている例を示すが、これに限られない。駆動トランジスタ７０ｃが有する２つのゲートは、互いに接続されていなくてもよい。この場合、２つのゲートに異なる電位を与えることができる。例えば、駆動トランジスタ７０ｃとしてｎチャネル型のトランジスタを用いた場合、一方のゲートにしきい値電圧をマイナス方向にシフトさせる電位を与えることで、他方のゲートに所定の電位が与えられたときに流れる電流を大きくすることができる。
【０２２４】
なお、図１（Ａ）等、全ての画素において、表示素子の表示領域の面積が等しい場合には、全ての画素の駆動トランジスタ、さらには画素のレイアウトを同一の構成とすることができる。例えば、図２０（Ａ）、（Ｂ）及び図２１（Ａ）、（Ｂ）に示す画素１４１及び画素１４９のレイアウトのうち、いずれか一を適用することができる。
【０２２５】
＜表示素子の表示領域＞
以下では、表示素子の表示領域のレイアウトについて説明する。
【０２２６】
図２２（Ａ）には、表示パネルが有する４行４列分の画素の配置例を示す。図２２（Ａ）の各画素が有する表示素子の表示領域のレイアウトの一例を図２２（Ｂ）〜（Ｅ）に示す。図２２（Ｂ）〜（Ｅ）では、画素１４１が有する表示素子の表示領域４１と、画素１４９が有する表示素子の表示領域４９と、示す。また、各表示領域に対応する画素の色をアルファベット（赤色はＲ、緑色はＧ、青色はＢ、白色はＷ）で示す。
【０２２７】
各色の並び順は特に限定されない。色の種類及び数も特に限定されない。表示素子の表示領域の面積は、色によって異ならせることができる。または、表示素子の表示領域の面積は、全ての色で等しくすることができる。
【０２２８】
図２２（Ｂ）は、ＲＧＢの３色の画素が有する表示素子の表示領域のレイアウトの例である。ｎ−２列目の表示領域４１は赤色（Ｒ）の画素１４１に対応する。ｎ−１列目の表示領域４１は緑色（Ｇ）の画素１４１に対応する。ｎ列目の表示領域４１は、青色（Ｂ）の画素１４１に対応する。ｎ＋１列目の表示領域４９はいずれも青色（Ｂ）の画素１４９に対応する。ｍ＋１行ｊ列目の表示領域４９とｍ行ｊ列目の表示領域４１は、互いに同じ色の画素１４１、１４９と対応する。表示領域４１の面積は、全ての表示素子で等しい。表示領域４１と表示領域４９の面積も等しい。
【０２２９】
図２２（Ｃ）は、ＲＧＢＷの４色の画素が有する表示素子の表示領域のレイアウトの例である。赤色（Ｒ）の画素と青色（Ｂ）の画素が同じ行に位置する。緑色（Ｇ）の画素と白色（Ｂ）の画素が同じ行に位置する。赤色（Ｒ）の画素と緑色（Ｇ）の画素が同じ列に位置する。青色（Ｂ）の画素と白色（Ｗ）の画素が同じ列に位置する。ｍ＋１行ｊ列目の画素１４９は、ｍ行ｊ列目の画素１４１と同じ色である。ｉ行ｎ＋１列目の画素１４９は、ｉ行ｎ列目の画素１４１と同じ色である。画素１４１（ｍ，ｎ）と画素１４９（ｍ＋１，ｎ＋１）はどちらも青色である。
【０２３０】
図２２（Ｄ）は、ＲＧＢの３色の画素が有する表示素子の表示領域のレイアウトの例である。赤色（Ｒ）の画素と青色（Ｂ）の画素が同じ行に位置する。緑色（Ｇ）の画素と青色（Ｂ）の画素が同じ行に位置する。赤色（Ｒ）の画素と緑色（Ｇ）の画素は、同じ行に存在しない。赤色（Ｒ）の画素と緑色（Ｇ）の画素が同じ列に位置する。青色（Ｂ）の画素が位置する列には、他の色の画素は存在しない。図２２（Ｄ）では、青色の画素が有する表示素子の表示領域４１、４９が、他の色の画素が有する表示素子の表示領域４１、４９よりも狭い。
【０２３１】
図２２（Ｅ）は、ＲＧＢの３色の画素が有する表示素子の表示領域のレイアウトの例である。同じ行に位置する複数の画素であっても、表示素子の表示領域も同じ行に位置するとは限らない。図２２（Ｅ）は、各行の画素が有する表示素子の表示領域４１、４９を、２行に分けて並べた例である。青色の画素は、他の色の画素よりも下側に、表示素子の表示領域４１、４９を有する。このようなレイアウトは、例えば、塗り分け方式を用いて発光素子を作製する際に好適である。
【０２３２】
画素は、ｍ行ｎ列に配置される構成に限られない。例えば、図２３（Ａ）、（Ｃ）に示すように、表示パネル１００を、ｍ行ｎ列の一部の座標に画素を有さない構成とすることができる。
【０２３３】
図２３（Ａ）の各画素が有する表示素子の表示領域のレイアウトの一例を図２３（Ｂ）に示す。図２３（Ｃ）の各画素が有する表示素子の表示領域のレイアウトの一例を図２３（Ｄ）に示す。図２３（Ａ）、（Ｃ）では、ｍ個の画素を有する列と、ｍ／２個の画素を有する列と、が交互に設けられている。図２３（Ａ）〜（Ｄ）において、ｍは偶数とする。図２３（Ａ）は、表示領域１０１の最も端に位置するｎ列目がｍ個の画素を有する例である。図２３（Ｃ）は、表示領域１０１の最も端に位置するｎ列目がｍ／２個の画素を有する例である。
【０２３４】
図２３（Ｂ）において、青色の画素が有する表示素子の表示領域４１、４９は、他の色の画素が有する表示素子の表示領域４１、４９よりも広い。青色の画素が有する表示素子の表示領域４１、４９は、どの色の画素も設けられていない領域にまで延在している。図２３（Ｄ）における、青色の画素が有する表示素子の表示領域４１と、他の色の画素が有する表示素子の表示領域４１も同様である。なお、図２３（Ｄ）における、青色の画素が有する表示素子の表示領域４９は、他の色の画素が有する表示素子の表示領域４９と同様の面積とすることができる。
【０２３５】
以上のように、本発明の一態様において、画素（画素回路）の配置と、表示素子の表示領域の配置と、は必ずしも一致するものではなく、様々なレイアウトを適用することができる。
【０２３６】
＜表示装置のその他の構成例＞
図２４（Ａ）に、表示装置１２の表示面側の斜視図を示す。図２４（Ｂ）に、表示装置１２の表示面側とは反対側の斜視図を示す。図２４（Ａ）、（Ｂ）に示す表示装置１２は、表示パネル１００を２×２のマトリクス状に（縦方向及び横方向にそれぞれ２つずつ）計４つ有する。図２４（Ａ）、（Ｂ）では、各表示パネルがＦＰＣと電気的に接続されている例を示す。
【０２３７】
表示装置１２には、本実施の形態で説明した各種表示パネルを適用することができる。図２４（Ａ）、（Ｂ）では、表示領域１０９を有さない表示パネル（図９（Ａ）等に対応）を用いる例を示すが、表示領域１０９を有する表示パネル（図６（Ａ）等に対応）を用いることもできる。
【０２３８】
表示装置１２の少なくとも一部は、可撓性を有する。表示パネル１００の少なくとも一部は、可撓性を有する。可撓性を有する表示パネル１００の表示素子には、有機ＥＬ素子を好適に用いることができる。
【０２３９】
可撓性を有する表示パネル１００を用いることで、図２４（Ａ）、（Ｂ）に示すように、表示パネル１００ａのＦＰＣ１１２ａの近傍を湾曲させ、ＦＰＣ１１２ａに隣接する表示パネル１００ｂの表示領域１０１ｂの下側に、表示パネル１００ａの一部、及びＦＰＣ１１２ａの一部を配置することができる。その結果、ＦＰＣ１１２ａを表示パネル１００ｂの裏面と物理的に干渉することなく配置することができる。また、表示パネル１００ａと表示パネル１００ｂとを重ねて固定する場合に、ＦＰＣ１１２ａの厚さを考慮する必要がないため、可視光を透過する領域１１０ｂの上面と、表示パネル１００ａの上面との高さの差を低減できる。その結果、表示領域１０１ａ上に位置する表示パネル１００ｂの端部を目立たなくすることができる。
【０２４０】
さらに、各表示パネル１００に可撓性を持たせることで、表示パネル１００ｂの表示領域１０１ｂにおける上面の高さを、表示パネル１００ａの表示領域１０１ａにおける上面の高さと一致するように、表示パネル１００ｂを緩やかに湾曲させることができる。そのため、表示パネル１００ａと表示パネル１００ｂとが重なる領域近傍を除き、各表示領域の高さを揃えることが可能で、表示装置１２の表示領域１３に表示する画像の表示品位を高めることができる。
【０２４１】
上記では、表示パネル１００ａと表示パネル１００ｂの関係を例に説明したが、他の隣接する２つの表示パネル間でも同様である。
【０２４２】
隣接する２つの表示パネル１００間の段差を軽減するため、表示パネル１００の厚さは薄い方が好ましい。例えば表示パネル１００の厚さを１ｍｍ以下、好ましくは３００μｍ以下、より好ましくは１００μｍ以下とすることが好ましい。また、表示パネルが薄いと、表示装置全体の薄型化又は軽量化にもつながるため、好ましい。
【０２４３】
図２５（Ａ）は、図２４（Ａ）、（Ｂ）に示す表示装置１２を表示面側から見た上面図である。
【０２４４】
ここで、表示パネル１００における可視光を透過する領域１１０は、可視光を、少なからず反射又は吸収する。したがって、下側に配置される表示パネル１００の表示は、可視光を透過する領域１１０を介して視認される部分と、該領域を介さずに視認される部分とで、輝度（明るさ）に差が生じてしまう場合がある。また、表示領域１０１に重なる表示パネル１００の枚数に応じて、表示する画像の輝度（明るさ）は低下する。
【０２４５】
例えば、図２５（Ａ）中の領域Ａでは、表示パネル１００ａの表示領域１０１ａ上に、１枚の表示パネル１００ｃが重なっている。また、領域Ｂでは、表示パネル１００ｂの表示領域１０１ｂ上に、表示パネル１００ｃ、１００ｄの計２枚の表示パネル１００が重なっている。そして、領域Ｃでは、表示パネル１００ａの表示領域１０１ａ上に、表示パネル１００ｂ、１００ｃ、１００ｄの計３枚の表示パネル１００が重なっている。
【０２４６】
このような場合に、表示領域１０１上に重なる表示パネル１００の枚数に応じて、画素の階調を局所的に高めるような補正を、表示させる画像データに対して施すことが好ましい。こうすることで、表示装置１２の表示領域１３に表示される画像の表示品位の低下を抑制することが可能となる。または、駆動回路から供給するデータ電圧を調整することで、画素の輝度を調整することができる。
【０２４７】
また、上部に配置する表示パネル１００の端部の位置を他の表示パネル１００の端部とずらすことで、下部の表示パネル１００の表示領域１０１上に重なる表示パネル１００の枚数を減らすことができる。
【０２４８】
図２５（Ｂ）では、表示パネル１００ａ、１００ｂ上に配置する表示パネル１００ｃ、１００ｄを一方向にずらして配置した場合を示す。具体的には、表示パネル１００ａ、１００ｂに対して表示パネル１００ｃ、１００ｄをＸ方向の正方向に可視光を透過する領域１１０の幅Ｗ１の距離だけ相対的にずらした場合を示している。このとき、表示領域１０１上に１つの表示パネル１００が重ねられた領域Ｄと、表示領域１０１上に２つの表示パネル１００が重ねられた領域Ｅとが存在する。
【０２４９】
また、表示パネルをＸ方向に対して直交する方向（Ｙ方向）にずらして配置してもよい。図２５（Ｃ）では、表示パネル１００ａ、１００ｃに対して、表示パネル１００ｂ、１００ｄを、Ｙ方向の正方向に可視光を透過する領域１１０の幅Ｗ１の距離だけずらして配置した場合を示している。
【０２５０】
なお、上部に位置する表示パネル１００を下部に位置する表示パネル１００に対してずらして配置する場合には、各表示パネル１００の表示領域１０１を組み合わせた領域の輪郭が矩形形状とは異なる形状となる。そのため、図２５（Ｂ）、（Ｃ）に示すように表示装置１２の表示領域１３を矩形にする場合には、これよりも外側に位置する表示パネル１００の表示領域１０１に画像を表示しないように駆動することが好ましい。表示パネル１００の表示領域１０１には、画像を表示しない領域における画素の数を考慮し、表示領域１３の全画素数を表示パネル１００の枚数で割った数よりも多くの画素を設けることが好ましい。
【０２５１】
なお、上記では、各々の表示パネル１００を相対的にずらす場合の距離を、可視光を透過する領域１１０の幅Ｗ１の整数倍としたがこれに限られず、表示パネル１００の形状、又はこれを組み合わせた表示装置１２の表示領域１３の形状などを考慮して適宜設定することができる。
【０２５２】
図２６及び図２７は、それぞれ、２つの表示パネルを貼り合わせた際の断面図の一例である。以下では、図４（Ａ）に示す表示パネルを用いる場合を例に挙げて説明する。
【０２５３】
図２６（Ａ）〜（Ｅ）の各図において、下側の表示パネルは、表示領域１０１ａ、可視光を透過する領域１１０ａ、及び可視光を遮る領域１２０ａを有する。下側の表示パネルには、ＦＰＣ１１２ａが電気的に接続されている。上側（表示面側）の表示パネルは、表示領域１０１ｂ、可視光を透過する領域１１０ｂ、及び可視光を遮る領域１２０ｂを有する。上側の表示パネルには、ＦＰＣ１１２ｂが電気的に接続されている。なお、図１（Ａ）に示す表示パネルを用いる場合には、表示領域１０１ａと可視光を遮る領域１２０ａとの間に、表示領域１０９ａを有することとなる。
【０２５４】
図２６（Ａ）では、ＦＰＣ１１２ａが下側の表示パネルの表示面（おもて面）側に接続され、ＦＰＣ１１２ｂが上側の表示パネルの表示面側に接続されている例を示す。
【０２５５】
ここで、上側に位置する表示パネルの可視光を透過する領域と、下側に位置する表示パネルの表示領域との間に空気が存在すると、表示領域から取り出される光の一部は、表示領域と大気の界面、並びに、大気と可視光を透過する領域の界面で、それぞれ反射し、表示の輝度の低下の原因となる場合がある。これにより、複数の表示パネルが重なっている領域の光取り出し効率が低下してしまう。また、上側に位置する表示パネルの可視光を透過する領域と重なる部分と、重ならない部分とで、下側に位置する表示パネルの表示領域の輝度に差が出てしまい、使用者から表示パネルの継ぎ目が認識されやすくなる場合がある。
【０２５６】
そこで、図２６（Ｂ）に示すように、表示装置は、表示領域と可視光を透過する領域の間に、空気よりも屈折率が高く、可視光を透過する透光層１０３を有することが好ましい。これにより、表示領域と可視光を透過する領域の間に空気が入ることを抑制でき、屈折率の差による界面での反射を低減することができる。そして、表示装置における表示ムラ又は輝度ムラの抑制が可能となる。
【０２５７】
なお、透光層の可視光の透過率が高いほど、表示装置の光取り出し効率を高められるため、好ましい。透光層において、波長４５０ｎｍ以上７００ｎｍ以下の範囲の光の透過率の平均値は８０％以上が好ましく、９０％以上がより好ましい。
【０２５８】
また、透光層と、透光層と接する層は、屈折率の差が小さいほど、光の反射を抑制することができるため、好ましい。例えば、透光層の屈折率は、空気よりも高ければよく、１．３以上１．８以下であると好ましい。透光層と、透光層と接する層（例えば、表示パネルを構成する基板）は、屈折率の差が０．３０以下であると好ましく、０．２０以下であるとより好ましく、０．１５以下であるとさらに好ましい。
【０２５９】
透光層は、下側の表示パネル及び上側の表示パネルのうち少なくとも一方と、着脱自在に接することが好ましい。表示装置を構成する表示パネルをそれぞれ独立に取り外しできると、例えば、一つの表示パネルの表示に不具合が生じた場合、当該表示不良となった表示パネルのみを、新しい表示パネルに交換することができる。他の表示パネルは継続して使用することで、表示装置をより長く、低コストに使用することができる。
【０２６０】
なお、表示パネルが着脱自在である必要がない場合は、透光層に接着性を有する材料（接着剤等）を用いて表示パネル同士を固定することができる。
【０２６１】
透光層には、無機材料又は有機材料のいずれも用いることができる。透光層には、液状物質、ゲル状物質、又は固体状物質を用いることができる。
【０２６２】
透光層には、例えば、水、水溶液、フッ素系不活性液体、屈折液、シリコーンオイル等の液状物質を用いることができる。
【０２６３】
表示装置を、水平面（重力が働く方向に垂直な面）に傾けて配置する場合、又は水平面と垂直になるように配置する場合等において、液状物質の粘度は、１ｍＰａ・ｓ以上が好ましく、１Ｐａ・ｓ以上がより好ましく、１０Ｐａ・ｓ以上がさらに好ましく、１００Ｐａ・ｓ以上が特に好ましい。なお、表示装置を水平面と平行になるように配置する場合等においては、これに限られない。
【０２６４】
透光層は不活性であると、表示装置を構成する他の層にダメージ等を与えることを抑制でき、好ましい。
【０２６５】
透光層に含まれる材料は不揮発性であることが好ましい。これにより、透光層に用いた材料が揮発することで界面に空気が入ってしまうことを抑制することができる。
【０２６６】
また、透光層には、高分子材料を用いることができる。例えば、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等の樹脂が挙げられる。また、二液混合型の樹脂を用いることができる。これら樹脂のいずれか一以上を含む、紫外線硬化型等の光硬化型接着剤、反応硬化型接着剤、熱硬化型接着剤、嫌気型接着剤などの各種硬化型接着剤又は接着シート等を用いることができる。表示パネル同士を固定したくない場合等は、接着剤は硬化させなくてもよい。
【０２６７】
透光層は、被着体に対する自己吸着性が高い層であると好ましい。また、透光層は、被着体に対する剥離性が高い層であると好ましい。表示パネルに貼り付けた透光層を剥離した後、表示パネルと再び貼り合わせることができることが好ましい。
【０２６８】
また、透光層は粘着性を有さない、又は粘着性が低いことが好ましい。これにより被着体の表面を傷つける、又は汚すことなく、被着体への透光層の吸着、及び、被着体からの透光層の剥離を、繰り返すことができる。
【０２６９】
透光層には、例えば、吸着性を有するフィルム又は粘着性を有するフィルムを用いることができる。フィルムにおける、吸着性を有する面又は粘着性を有する面は、片面又は両面とすることができる。吸着層又は粘着層と、基材と、の積層構造を有する吸着フィルムを用いる場合、吸着層又は粘着層を、表示装置における透光層として機能させ、基材を、表示パネルを構成する基板として機能させることができる。または、表示装置が吸着フィルムの基材とは別に基板を有していてもよい。吸着フィルムは、アンカー層を、吸着層又は粘着層と、基材との間に有していてもよい。アンカー層は、吸着層又は粘着層と、基材との接着力を向上させる機能を有する。また、アンカー層は、基材の吸着層又は粘着層の塗工面を平滑にする機能を有する。これにより、被着体と透光層の間の気泡を発生しにくくすることができる。
【０２７０】
例えば、表示装置には、シリコーン樹脂層とポリエステルフィルムとが積層されたフィルムを好適に用いることができる。このとき、シリコーン樹脂層が吸着性を有し、透光層として機能する。また、ポリエステルフィルムは、透光層として機能する、もしくは、表示パネルを構成する基板として機能する。シリコーン樹脂は、ポリエステルフィルムの片面又は両面に設けられる。
【０２７１】
透光層の厚さに特に限定はない。例えば、１μｍ以上５０μｍ以下とすることができる。透光層の厚さは５０μｍより厚くてもよいが、可撓性を有する表示装置を作製する場合には、表示装置の可撓性を損なわない程度の厚さとすることが好ましい。例えば、透光層の厚さは、１０μｍ以上３０μｍ以下が好ましい。また、透光層の厚さは、１μｍ未満であってもよい。
【０２７２】
表示領域１０１ａは、透光層１０３を介して、可視光を透過する領域１１０ｂと重なる。したがって、表示領域１０１ａと可視光を透過する領域１１０ｂの間に空気が入ることを抑制でき、屈折率の差による界面での反射を低減することができる。
【０２７３】
これにより、可視光を透過する領域１１０ｂと重なる部分と重ならない部分とで、表示領域１０１ａの輝度に差が生じることを抑制し、表示装置の使用者に表示パネルの継ぎ目が認識されにくくすることができる。また、表示装置における表示ムラ又は輝度ムラの抑制が可能となる。
【０２７４】
可視光を遮る領域１２０ａ及びＦＰＣ１１２ａは、それぞれ、表示領域１０１ｂと重なる。したがって、非表示領域の面積を十分に確保し、かつ、継ぎ目のない表示領域の大型化を図ることができ、信頼性が高い大型の表示装置を実現できる。
【０２７５】
図２６（Ｃ）では、ＦＰＣ１１２ａが下側の表示パネルの表示面とは反対側の面（裏面）側に接続され、ＦＰＣ１１２ｂが上側の表示パネルの表示面とは反対側の面（裏面）側に接続されている例を示す。
【０２７６】
図２６（Ｃ）では、透光層１０３が、下側の表示パネルの可視光を遮る領域１２０ａと上側の表示パネルの表示領域１０１ｂとの間にまで設けられている。
【０２７７】
ＦＰＣが表示パネルの裏面側に接続される構成とすることで、下側の表示パネルの端部を上側の表示パネルの裏面に貼り付けることが可能なため、これらの接着面積を大きくでき、貼り合わせ部分の機械的強度を高めることができる。
【０２７８】
図２６（Ｄ）では、表示領域１０１ａの、上側の表示パネルと重ならない領域と、透光層１０３とが重なっている。さらに、可視光を透過する領域１１０ａと透光層１０３とが重なっている。
【０２７９】
透光層の材質によっては、大気中のほこりなど細かなゴミが吸着してしまう場合がある。このような場合は、表示領域１０１ａの、上側の表示パネルと重ならない領域と、透光層１０３とが重ならない方が好ましい。これにより、透光層１０３に付着したゴミ等により、表示装置の表示が不鮮明になることを抑制できる。
【０２８０】
図２６（Ｅ）では、上側の表示パネルの、表示領域１０１ａと重ならない領域と、透光層１０３とが重なっている。
【０２８１】
図２６（Ｅ）の構成では、表示装置の表示面側の最表面に透光層が位置しないため、透光層１０３に付着したゴミ等により、表示装置の表示が不鮮明になることを防止できる。また、表示装置の裏面に吸着性を有する透光層を配置すると、表示パネルと接していない面を用いて、表示装置を所望の位置に着脱自在に貼り付けることができる。
【０２８２】
図２７（Ａ）では、樹脂層１３１が、表示パネル１００ａ及び表示パネル１００ｂのおもて面を覆っている。表示パネル１００ａ及び表示パネル１００ｂの各々の表示領域と、表示パネル１００ａと表示パネル１００ｂとが重畳する領域とを覆って、樹脂層１３１を設けることが好ましい。
【０２８３】
樹脂層１３１を複数の表示パネル１００にわたって設けることで、表示装置１２の機械的強度を高めることができる。また、樹脂層１３１の表面が平坦になるように形成すると、表示領域１３に表示される画像の表示品位を高めることができる。例えば、スリットコータ、カーテンコータ、グラビアコータ、ロールコータ、スピンコータなどのコーティング装置を用いると、平坦性の高い樹脂層１３１を形成することができる。
【０２８４】
また、樹脂層１３１の屈折率は、表示パネル１００の表示面側に用いる基板の屈折率の０．８倍以上１．２倍以下であると好ましく、０．９倍以上１．１倍以下であるとより好ましく、０．９５倍以上１．１５倍以下であるとさらに好ましい。表示パネル１００と樹脂層１３１の屈折率の差が小さいほど、光を効率よく外部に取り出すことができる。また、このような屈折率を有する樹脂層１３１を表示パネル１００ａと表示パネル１００ｂとの段差部を覆うように設けることで、当該段差部が視認しにくくなるため、表示領域１３に表示される画像の表示品位を高めることができる。
【０２８５】
樹脂層１３１は、可視光を透過する層である。樹脂層１３１には、例えば、エポキシ樹脂、アラミド樹脂、アクリル樹脂、ポリイミド樹脂、ポリアミド樹脂、ポリアミドイミド樹脂等の有機樹脂を用いることができる。
【０２８６】
また、図２７（Ｂ）に示すように、樹脂層１３１を介して表示装置１２上に保護基板１３２を設けることが好ましい。このとき、樹脂層１３１は表示装置１２と保護基板１３２とを接着する接着層としての機能を有していてもよい。保護基板１３２により、表示装置１２の表面を保護するだけでなく、表示装置１２の機械的強度を高めることができる。保護基板１３２としては、少なくとも表示領域１３と重なる領域に透光性を有する材料を用いる。また、保護基板１３２は表示領域１３と重なる領域以外の領域が視認されないように、遮光性を備えていてもよい。
【０２８７】
保護基板１３２は、タッチパネルとしての機能を有していてもよい。また、表示パネル１００が可撓性を有し、湾曲可能な場合には、保護基板１３２も同様に可撓性を有していることが好ましい。
【０２８８】
また、保護基板１３２は、表示パネル１００の表示面側に用いる基板、又は樹脂層１３１との屈折率の差が２０％以下であると好ましく、１０％以下であるとより好ましく、５％以下であるとさらに好ましい。
【０２８９】
保護基板１３２としては、フィルム状のプラスチック基板を用いることができる。例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂（ナイロン、アラミド等）、ポリシクロオレフィン樹脂、ポリスチレン樹脂、ポリアミドイミド樹脂、ポリ塩化ビニル樹脂、ポリエーテルエーテルケトン（ＰＥＥＫ）樹脂、ポリスルホン（ＰＳＦ）樹脂、ポリエーテルイミド（ＰＥＩ）樹脂、ポリアリレート（ＰＡＲ）樹脂、ポリブチレンテレフタレート（ＰＢＴ）樹脂、ポリテトラフルオロエチレン（ＰＴＦＥ）樹脂、シリコーン樹脂等が挙げられる。また、繊維体に樹脂を含浸した基板（プリプレグともいう）、又は無機フィラーを有機樹脂に混ぜて線膨張係数を下げた基板を使用することもできる。また、保護基板１３２は、樹脂フィルムに限定されず、パルプを連続シートに加工した透明な不織布、フィブロインと呼ばれるたんぱく質を含む人工くも糸繊維を含むシート、これらと樹脂とを混合させた複合体、繊維幅が４ｎｍ以上１００ｎｍ以下のセルロース繊維からなる不織布と樹脂膜の積層体、又は人工くも糸繊維を含むシートと樹脂膜の積層体を用いてもよい。なお、本発明の一態様の表示装置又は表示パネルをアクリル板、ガラス板、木板、金属板等に貼り付けて用いてもよい。表示装置又は表示パネルは、これらの板に、表示面側を貼り付けてもよい（この場合は可視光を透過する板を用いる）し、表示面と対向する面側を貼り付けてもよい。また、表示装置又は表示パネルは、これらの板に着脱自在に貼り付けてあることが好ましい。
【０２９０】
また、保護基板１３２として、偏光板、円偏光板、位相差板、又は光学フィルム等の少なくとも一つを用いてもよい。
【０２９１】
また、図２７（Ｃ）に示すように、表示パネル１００ａ及び表示パネル１００ｂの表示面とは反対側の面に樹脂層１３３及び保護基板１３４を、設けることができる。表示パネルの裏面に、表示パネルを支持する基板を配置することで、表示パネルに意図しない反り又は曲げが生じることを抑制し、表示面を平滑に保つことで、表示領域１３に表示される画像の表示品位を高めることができる。
【０２９２】
なお、表示面とは反対側に設けられる樹脂層１３３及び保護基板１３４は、必ずしも透光性を有している必要はなく、可視光を吸収又は反射する材料を用いてもよい。
【０２９３】
また、図２７（Ｄ）に示すように、表示パネルのおもて面に、樹脂層１３１及び保護基板１３２を、裏面に、樹脂層１３３及び保護基板１３４を設けることができる。このように、表示パネル１００ａ及び表示パネル１００ｂを２枚の保護基板によって挟むことで、表示装置１２の機械的強度をさらに高めることができる。
【０２９４】
また、樹脂層１３１及び保護基板１３２の厚さの合計と、樹脂層１３３及び保護基板１３４の厚さの合計と、が、概略同一であると好ましい。例えば、樹脂層１３１及び樹脂層１３３を同等の厚さとし、保護基板１３２及び保護基板１３４に同一の厚さの材料を用いることが好ましい。これにより、複数の表示パネル１００をこれら積層体の厚さ方向における中央部に配置することができる。例えば、表示パネル１００を含む積層体を湾曲させる際には、表示パネル１００が厚さ方向における中央部に位置することで、湾曲に伴って表示パネル１００にかかる横方向の応力が緩和され、表示パネル１００の破損を防止することができる。
【０２９５】
なお、樹脂層及び保護基板の厚さが、表示装置の端部と中央部とで異なる場合などは、平均の厚さ、最大の厚さ、最小の厚さ等を適宜選択し、同じ条件で、樹脂層１３１及び保護基板１３２の厚さの合計と、樹脂層１３３及び保護基板１３４の厚さの合計を比較することが好ましい。
【０２９６】
図２７（Ｄ）において、樹脂層１３１と樹脂層１３３に同一の材料を用いると、作成コストを低減でき、好ましい。同様に、保護基板１３２と保護基板１３４に同一の材料を用いると、作製コストを低減でき、好ましい。
【０２９７】
また、図２７（Ｃ）、（Ｄ）に示すように、表示パネル１００ａ及び表示パネル１００ｂの裏面側に配置される樹脂層１３３及び保護基板１３４には、ＦＰＣ１１２ａを取り出すための開口部を設けることが好ましい。特に、図２７（Ｄ）に示すように、ＦＰＣ１１２ａの一部を覆うように樹脂層１３３を設けると、表示パネル１００ａとＦＰＣ１１２ａとの接続部における機械的強度を高めることができ、ＦＰＣ１１２ａが剥がれてしまうなどの不具合を抑制できる。同様に、ＦＰＣ１１２ｂの一部を覆うように樹脂層１３３を設けることが好ましい。
【０２９８】
本発明の一態様の表示装置は、ＦＨＤ（１９２０×１０８０）、４Ｋ２Ｋ（３８４０×２０４８もしくは４０９６×２１８０等）、又は８Ｋ４Ｋ（７６８０×４３２０もしくは８１９２×４３２０等）のような高解像度であることが好ましい。
【０２９９】
＜表示パネルの構成例＞
前述の通り、表示パネル１００では、可視光を透過する領域１１０と表示領域１０１が隣接している。また、表示領域１０９が、表示領域１０１と可視光を遮る領域１２０との間に位置し、双方に隣接する。以下では、これらの境界近傍の構成について説明する。
【０３００】
図２８（Ａ）に、表示パネル１００の上面図を示す。図２８（Ａ）に示す表示パネル１００は、表示領域１０１、表示領域１０９、及び領域１０２を有する。領域１０２は、可視光を透過する領域１１０及び可視光を遮る領域１２０を有する。可視光を透過する領域１１０は、表示領域１０１と隣接する。表示領域１０９は、表示領域１０１と可視光を遮る領域１２０との間に位置し、双方に隣接する。
【０３０１】
図２８（Ａ）に示す表示パネル１００では、可視光を透過する領域１１０が、表示領域１０１の２辺に沿って配置されている。また、表示領域１０９が、表示領域１０１の他の２辺に沿って配置されている。表示領域１０１の対向する２辺のうち、一方の辺に沿って、可視光を透過する領域１１０が配置され、他方の辺に沿って、表示領域１０９が配置されている。また、可視光を遮る領域１２０が、表示領域１０９に沿って配置されている。
【０３０２】
図２８（Ｂ）に、図２８（Ａ）に示す領域Ｚ１の拡大図を示す。領域Ｚ１は、可視光を遮る領域１２０と表示領域１０９との境界近傍の領域である。
【０３０３】
図２８（Ｃ）に、図２８（Ａ）に示す領域Ｚ２の拡大図を示す。領域Ｚ２は、可視光を透過する領域１１０と表示領域１０１との境界近傍の領域である。
【０３０４】
１つの画素１４１には配線１４２ａ及び配線１４２ｂが電気的に接続されている。１つの画素１４９には配線１４２ａ及び配線１４２ｂが電気的に接続されている。複数の配線１４２ａのそれぞれは配線１４２ｂと交差し、回路１４３ａと電気的に接続されている。また、複数の配線１４２ｂは回路１４３ｂと電気的に接続されている。回路１４３ａ及び回路１４３ｂのうち一方が走査線駆動回路であり、他方が信号線駆動回路である。なお、回路１４３ａもしくは回路１４３ｂ、又は両方を設けない構成としてもよい。
【０３０５】
図２８（Ｂ）では、回路１４３ａ又は回路１４３ｂに電気的に接続する複数の配線１４５が設けられている。配線１４５は、図示しない領域でＦＰＣと電気的に接続され、外部からの信号を回路１４３ａ及び回路１４３ｂに供給する。
【０３０６】
図２８（Ｂ）において、回路１４３ａ、回路１４３ｂ、複数の配線１４５等を含む領域が、可視光を遮る領域１２０に相当する。
【０３０７】
図２８（Ａ）において、最も端に設けられる画素１４１よりも外側の領域が可視光を透過する領域１１０に相当する。可視光を透過する領域１１０は、画素１４１、配線１４２ａ及び配線１４２ｂ等の可視光を遮る部材を有していない。なお、画素１４１の一部、配線１４２ａ又は配線１４２ｂが可視光を透過する場合には、可視光を透過する領域１１０にまで延在して設けられていてもよい。
【０３０８】
図２８（Ｄ）は、図２８（Ｃ）中の切断線Ａ１−Ａ２における断面図である。表示パネル１００は、それぞれ可視光を透過する一対の基板（基板１５１及び基板１５２）を有する。また、基板１５１と基板１５２は接着層１５４によって接着されている。ここで、画素１４１及び配線１４２ｂ等が形成されている側の基板を基板１５１とする。
【０３０９】
図２８（Ｃ）、（Ｄ）に示すように、画素１４１が表示領域１０１の最も端に位置する場合には、可視光を透過する領域１１０の幅Ｗ１は、基板１５１又は基板１５２の端部から画素１４１の端部までの長さとなる。
【０３１０】
なお、画素１４１の端部とは、画素１４１に含まれる可視光を遮る部材のうち、最も端に位置する部材の端部を指す。または、画素１４１に、一対の電極間に発光材料を含む層を備える発光素子を用いた場合には、画素１４１の端部は下部電極の端部、発光材料を含む層の端部、上部電極の端部のいずれかであってもよい。
【０３１１】
図２９（Ａ）は、領域Ｚ２を拡大した上面図の一例であり、配線１４２ａの位置が図２８（Ｃ）とは異なる。また、図２９（Ａ）中の一点鎖線Ｂ１−Ｂ２間の断面図を図２９（Ｂ）に示し、一点鎖線Ｃ１−Ｃ２間の断面図を図２９（Ｃ）に示す。
【０３１２】
図２９（Ａ）〜（Ｃ）に示すように、表示領域１０１の最も端に配線１４２ａが位置する場合には、可視光を透過する領域１１０の幅Ｗ１は、基板１５１又は基板１５２の端部から配線１４２ａの端部までの長さとなる。なお、配線１４２ａが可視光を透過する場合、配線１４２ａが設けられる領域は可視光を透過する領域１１０に含まれていてもよい。
【０３１３】
以上のように、本発明の一態様の表示装置は２つの表示パネルを重ねて有する。下側の表示パネルの表示領域は、表示を行う面側で、上側の表示パネルの可視光を透過する領域と重なる。表示パネルは、可視光を遮る領域に最も近い画素が有する表示素子の面積が、他の画素が有する表示素子の面積よりも大きい。または、表示パネルには、可視光を遮る領域と表示領域との間に、ダミー画素を有する表示領域が設けられている。ダミー画素は、表示領域のダミー画素に最も近い画素と同じ色である。ダミー画素に供給されるゲート信号及びソース信号は、表示領域のダミー画素に最も近い画素に供給されるゲート信号及びソース信号と等しい。そのため、表示パネルの位置が、２つの表示パネルが離れる方向にずれた場合に、２つの表示パネルの境界近傍で画像が途切れて見えることを抑制できる。そして、使用者から、表示パネルの継ぎ目が視認されやすくなることを抑制できる。
【０３１４】
本実施の形態は、他の実施の形態と適宜組み合わせることができる。
【０３１５】
（実施の形態２）
本実施の形態では、本発明の一態様の表示装置に用いることができる表示パネルについて図を用いて説明する。
【０３１６】
本実施の形態では、表示素子としてＥＬ素子が適用された表示パネルを例に説明する。
【０３１７】
表示パネルには、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、又はＲ、Ｇ、Ｂ、Ｙ（黄）の４色の副画素で１つの色を表現する構成等を適用できる。色要素に限定はなく、ＲＧＢＷＹ以外の色（例えば、シアン又はマゼンタ等）を用いてもよい。
【０３１８】
＜構成例１＞
図３０（Ａ）、（Ｂ）に、表示パネル３７０の上面図を示す。
【０３１９】
図３０（Ａ）、（Ｂ）に示す表示パネル３７０は、それぞれ、可視光を透過する領域１１０、表示部３８１、及び駆動回路部３８２を有する。図３０（Ａ）では、可視光を透過する領域１１０が、表示部３８１に隣接し、表示部３８１の２辺に沿って配置されている例を示す。図３０（Ｂ）では、可視光を透過する領域１１０が、表示部３８１に隣接し、表示部３８１の３辺に沿って配置されている例を示す。
【０３２０】
図３０（Ｃ）に、カラーフィルタ方式が適用されたトップエミッション構造の表示パネル３７０の断面図を示す。図３０（Ｃ）は、図３０（Ａ）、（Ｂ）における一点鎖線Ａ１−Ａ２間及びＡ３−Ａ４間の断面図に相当する。
【０３２１】
表示パネル３７０は、可撓性基板３７１、接着層３７７、絶縁層３７８、複数のトランジスタ、容量素子３０５、導電層３０７、絶縁層３１２、絶縁層３１３、絶縁層３１４、絶縁層３１５、発光素子３０４、導電層３５５、スペーサ３１６、接着層３１７、着色層３２５、遮光層３２６、可撓性基板３７２、接着層３７５、及び絶縁層３７６を有する。可視光を透過する領域１１０に含まれる各層は、可視光を透過する。
【０３２２】
駆動回路部３８２はトランジスタ３０１を有する。表示部３８１は、トランジスタ３０２及びトランジスタ３０３を有する。
【０３２３】
各トランジスタは、ゲート、ゲート絶縁層３１１、半導体層、ソース、及びドレインを有する。ゲートと半導体層は、ゲート絶縁層３１１を介して重なる。ゲート絶縁層３１１の一部は、容量素子３０５の誘電体としての機能を有する。トランジスタ３０２のソース又はドレインとして機能する導電層は、容量素子３０５の一方の電極を兼ねる。
【０３２４】
図３０（Ｃ）では、ボトムゲート構造のトランジスタを示す。駆動回路部３８２と表示部３８１とで、トランジスタの構造が異なっていてもよい。駆動回路部３８２及び表示部３８１は、それぞれ、複数の種類のトランジスタを有していてもよい。
【０３２５】
容量素子３０５は、一対の電極と、その間の誘電体とを有する。容量素子３０５は、トランジスタのゲートと同一の材料、及び同一の工程で形成した導電層と、トランジスタのソース及びドレインと同一の材料、及び同一の工程で形成した導電層と、を有する。
【０３２６】
絶縁層３１２、絶縁層３１３、及び絶縁層３１４は、それぞれ、トランジスタ等を覆って設けられる。トランジスタ等を覆う絶縁層の数は特に限定されない。絶縁層３１４は、平坦化層としての機能を有する。絶縁層３１２、絶縁層３１３、及び絶縁層３１４のうち、少なくとも一層には、水又は水素などの不純物が拡散しにくい材料を用いることが好ましい。外部から不純物がトランジスタに拡散することを効果的に抑制することが可能となり、表示パネルの信頼性を高めることができる。
【０３２７】
絶縁層３１４として有機材料を用いる場合、表示パネルの端部に露出した絶縁層３１４を通って発光素子３０４等に表示パネルの外部から水分等の不純物が侵入する恐れがある。不純物の侵入により、発光素子３０４が劣化すると、表示パネルの劣化につながる。そのため、図３０（Ｃ）に示すように、絶縁層３１４に無機膜（ここでは絶縁層３１３）に達する開口を設け、表示パネルの外部から水分等の不純物が侵入しても、発光素子３０４に到達しにくい構造とすることが好ましい。
【０３２８】
図３４（Ａ）では、絶縁層３１４に上記の開口を設けていない場合の断面図を示す。図３４（Ａ）の構成のように、絶縁層３１４が表示パネル全面にわたって設けられていると、後述の剥離工程の歩留まりを高めることができるため、好ましい。
【０３２９】
図３４（Ｂ）では、絶縁層３１４が、表示パネルの端部に位置しない場合の断面図を示す。図３４（Ｂ）の構成では、有機材料を用いた絶縁層が表示パネルの端部に位置しないため、発光素子３０４に不純物が侵入することを抑制できる。
【０３３０】
発光素子３０４は、電極３２１、ＥＬ層３２２、及び電極３２３を有する。発光素子３０４は、光学調整層３２４を有していてもよい。発光素子３０４は、着色層３２５側に光を射出する。
【０３３１】
トランジスタ、容量素子、及び配線等を、発光素子３０４の発光領域と重ねて配置することで、表示部３８１の開口率を高めることができる。
【０３３２】
電極３２１及び電極３２３のうち、一方は、陽極として機能し、他方は、陰極として機能する。電極３２１及び電極３２３の間に、発光素子３０４の閾値電圧より高い電圧を印加すると、ＥＬ層３２２に陽極側から正孔が注入され、陰極側から電子が注入される。注入された電子と正孔はＥＬ層３２２において再結合し、ＥＬ層３２２に含まれる発光物質が発光する。
【０３３３】
電極３２１は、トランジスタ３０３のソース又はドレインと電気的に接続される。これらは、直接接続されるか、他の導電層を介して接続される。電極３２１は、画素電極として機能し、発光素子３０４ごとに設けられている。隣り合う２つの電極３２１は、絶縁層３１５によって電気的に絶縁されている。
【０３３４】
ＥＬ層３２２は、発光材料を含む層である。発光素子３０４には、発光材料として有機化合物を用いた有機ＥＬ素子を好適に用いることができる。
【０３３５】
ＥＬ層３２２は少なくとも１層の発光層を有する。ＥＬ層３２２は、複数の発光層を有していてもよい。ＥＬ層３２２は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有することができる。
【０３３６】
ＥＬ層３２２には低分子系化合物及び高分子系化合物のいずれを用いることもでき、無機化合物を含んでいてもよい。ＥＬ層３２２を構成する層は、それぞれ、蒸着法（真空蒸着法を含む）、転写法、印刷法、インクジェット法、塗布法等の方法で形成することができる。
【０３３７】
発光素子３０４は、２種類以上の発光物質を含んでいてもよい。これにより、例えば、白色発光の発光素子を実現することができる。例えば２種類以上の発光物質の各々の発光が補色の関係となるように、発光物質を選択することにより白色発光を得ることができる。例えば、Ｒ（赤）、Ｇ（緑）、Ｂ（青）、Ｙ（黄）、もしくはＯ（橙）等の発光を示す発光物質、又は、Ｒ、Ｇ、Ｂのうち２以上の色のスペクトル成分を含む発光を示す発光物質を用いることができる。例えば、青の発光を示す発光物質と、黄の発光を示す発光物質を用いてもよい。このとき、黄の発光を示す発光物質の発光スペクトルは、緑及び赤のスペクトル成分を含むことが好ましい。また、発光素子３１の発光スペクトルは、可視領域の波長（例えば３５０ｎｍ以上７５０ｎｍ以下、又は４００ｎｍ以上８００ｎｍ以下など）の範囲内に２以上のピークを有することが好ましい。
【０３３８】
また、発光素子３０４は、ＥＬ層を１つ有するシングル素子であってもよいし、電荷発生層を介して積層されたＥＬ層を複数有するタンデム素子であってもよい。
【０３３９】
発光材料としては量子ドットなどの無機化合物も用いることができる。量子ドットは、数ｎｍサイズの半導体ナノ結晶であり、１×１０３個から１×１０６個程度の原子から構成されている。量子ドットはサイズに依存してエネルギーシフトするため、同じ物質から構成される量子ドットであっても、サイズによって発光波長が異なり、用いる量子ドットのサイズを変更することによって容易に発光波長を調整することができる。
【０３４０】
量子ドットは、発光スペクトルのピーク幅が狭いため、色純度のよい発光を得ることができる。さらに、量子ドットの理論的な内部量子効率はほぼ１００％であると言われており、量子ドットを発光材料として用いることによって発光効率の高い発光素子を得ることができる。その上、無機化合物である量子ドットはその本質的な安定性にも優れているため、寿命の観点からも好ましい発光素子を得ることができる。
【０３４１】
量子ドットを構成する材料としては、周期表第１４族元素、周期表第１５族元素、周期表第１６族元素、複数の周期表第１４族元素からなる化合物、周期表第４族から周期表第１４族に属する元素と周期表第１６族元素との化合物、周期表第２族元素と周期表第１６族元素との化合物、周期表第１３族元素と周期表第１５族元素との化合物、周期表第１３族元素と周期表第１７族元素との化合物、周期表第１４族元素と周期表第１５族元素との化合物、周期表第１１族元素と周期表第１７族元素との化合物、酸化鉄類、酸化チタン類、カルコゲナイドスピネル類、各種半導体クラスターなどを挙げることができる。
【０３４２】
量子ドットを構成する材料としては、例えば、セレン化カドミウム、硫化カドミウム、テルル化カドミウム、硫化亜鉛、リン化インジウム、セレン化鉛、硫化鉛、セレンと亜鉛とカドミウムの化合物、カドミウムとセレンと硫黄の化合物などが挙げられる。また、組成が任意の比率で表される、いわゆる合金型量子ドットを用いてもよい。例えば、カドミウムとセレンと硫黄の合金型量子ドットは、元素の含有比率を変化させることで発光波長を変えることができるため、青色発光を得るには有効な手段の一つである。
【０３４３】
量子ドットの構造としては、コア型、コア−シェル型、コア−マルチシェル型などがあり、そのいずれを用いてもよい。発光の量子効率が大きく改善するため、コア−シェル型又はコア−マルチシェル型の量子ドットを用いることが好ましい。シェルの材料の例としては、硫化亜鉛や酸化亜鉛が挙げられる。
【０３４４】
量子ドット材料としては、コロイド状量子ドット材料、合金型量子ドット材料、コア・シェル型量子ドット材料、コア型量子ドット材料、などが挙げられる。量子ドット材料は、例えば、カドミウム（Ｃｄ）、セレン（Ｓｅ）、亜鉛（Ｚｎ）、硫黄（Ｓ）、リン（Ｐ）、インジウム（Ｉｎ）、テルル（Ｔｅ）、鉛（Ｐｂ）、ガリウム（Ｇａ）、ヒ素（Ａｓ）、アルミニウム（Ａｌ）等の元素を有していてもよい。
【０３４５】
量子ドットは、表面原子の割合が高いことから、反応性が高く、凝集が起こりやすい。そのため、量子ドットの表面には保護剤が付着している又は保護基が設けられていることが好ましい。これにより、量子ドットの凝集を防ぎ、溶媒への溶解性を高めることができる。また、反応性を低減させ、電気的安定性を向上させることもできる。
【０３４６】
量子ドットのサイズ（直径）は０．５ｎｍ以上２０ｎｍ以下、好ましくは１ｎｍ以上１０ｎｍ以下の範囲のものが通常よく用いられる。なお、量子ドットはそのサイズ分布が狭いほど、発光スペクトルがより狭線化し、色純度の良好な発光を得ることができる。また、量子ドットの形状は特に限定されず、球状、棒状、円盤状、その他の形状であってもよい。
【０３４７】
量子ドットはホスト材料を用いずに量子ドットのみで発光層を構成しても発光効率を保つことができるため、この点でも寿命という観点から好ましい発光素子を得ることができる。量子ドットのみで発光層を形成する場合には、量子ドットはコア−シェル構造（コア−マルチシェル構造を含む）であることが好ましい。
【０３４８】
電極３２３は、共通電極として機能し、複数の発光素子３０４にわたって設けられている。電極３２３には、定電位が供給される。
【０３４９】
発光素子３０４は、接着層３１７を介して着色層３２５と重なる。スペーサ３１６は、接着層３１７を介して遮光層３２６と重なる。図３０（Ｃ）では、発光素子３０４と遮光層３２６との間に隙間がある場合を示しているが、これらが接していてもよい。図３０（Ｃ）では、スペーサ３１６を可撓性基板３７１側に設ける構成を示したが、可撓性基板３７２側（例えば遮光層３２６よりも可撓性基板３７１側）に設けてもよい。
【０３５０】
カラーフィルタ（着色層３２５）とマイクロキャビティ構造（光学調整層３２４）との組み合わせにより、表示パネルからは、色純度の高い光を取り出すことができる。光学調整層３２４の膜厚は、各画素の色に応じて変化させる。
【０３５１】
着色層は特定の波長帯域の光を透過する有色層である。例えば、赤色、緑色、青色、又は黄色の波長帯域の光を透過するカラーフィルタなどを用いることができる。着色層に用いることのできる材料としては、金属材料、樹脂材料、又は、顔料もしくは染料が含まれた樹脂材料などが挙げられる。
【０３５２】
なお、本発明の一態様は、カラーフィルタ方式に限られず、塗り分け方式、色変換方式、又は量子ドット方式等を適用してもよい。
【０３５３】
遮光層は、隣接する着色層の間に設けられている。遮光層は隣接する発光素子からの光を遮り、隣接する発光素子間における混色を抑制する。ここで、着色層の端部を、遮光層と重なるように設けることにより、光漏れを抑制することができる。遮光層としては、発光素子の光を遮る材料を用いることができ、例えば、金属材料、又は、顔料もしくは染料を含む樹脂材料等を用いてブラックマトリクスを形成することができる。なお、遮光層は、駆動回路などの画素部以外の領域に設けると、導波光などによる意図しない光漏れを抑制できるため好ましい。
【０３５４】
図３４（Ａ）に示すように、表示パネルは、オーバーコート３２９を有することが好ましい。オーバーコート３２９は、着色層３２５に含有された不純物等の発光素子３０４への拡散を防止することができる。オーバーコート３２９は、発光素子３０４の光を透過する材料から構成される。例えば、窒化シリコン膜、酸化シリコン膜等の無機絶縁膜、又は、アクリル膜、ポリイミド膜等の有機絶縁膜を用いることができ、有機絶縁膜と無機絶縁膜との積層構造としてもよい。
【０３５５】
また、接着層３１７の材料を着色層３２５及び遮光層３２６上に塗布する場合、オーバーコート３２９の材料として接着層３１７の材料に対して濡れ性の高い材料を用いることが好ましい。例えば、オーバーコート３２９として、インジウム錫酸化物（ＩＴＯ：Ｉｎｄｉｕｍ  Ｔｉｎ  Ｏｘｉｄｅ）膜などの酸化物導電膜、又は透光性を有する程度に薄いＡｇ膜等の金属膜を用いることが好ましい。
【０３５６】
オーバーコート３２９に、接着層３１７の材料に対して濡れ性の高い材料を用いることで、接着層３１７の材料を均一に塗布することができる。これにより、一対の基板を貼り合わせた際に気泡が混入することを抑制でき、表示不良を抑制できる。
【０３５７】
絶縁層３７８と可撓性基板３７１は接着層３７７によって貼り合わされている。また、絶縁層３７６と可撓性基板３７２は接着層３７５によって貼り合わされている。絶縁層３７６及び絶縁層３７８に防湿性の高い膜を用いることが好ましい。一対の防湿性の高い絶縁層の間に発光素子３０４及びトランジスタ等を配置することで、これらの素子に水等の不純物が侵入することを抑制でき、表示パネルの信頼性が高くなるため好ましい。
【０３５８】
防湿性の高い絶縁膜としては、窒化シリコン膜、窒化酸化シリコン膜等の窒素と珪素を含む膜、及び、窒化アルミニウム膜等の窒素とアルミニウムを含む膜等が挙げられる。また、酸化シリコン膜、酸化窒化シリコン膜、酸化アルミニウム膜等を用いてもよい。
【０３５９】
例えば、防湿性の高い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０３６０】
接続部３０６は、導電層３０７及び導電層３５５を有する。導電層３０７と導電層３５５は、電気的に接続されている。導電層３０７は、トランジスタのソース及びドレインと同一の材料、及び同一の工程で形成することができる。導電層３５５は、駆動回路部３８２に外部からの信号又は電位を伝達する外部入力端子と電気的に接続する。ここでは、外部入力端子としてＦＰＣ３７３を設ける例を示している。接続体３１９を介してＦＰＣ３７３と導電層３５５は電気的に接続する。
【０３６１】
接続体３１９としては、様々な異方性導電フィルム（ＡＣＦ：Ａｎｉｓｏｔｒｏｐｉｃ  Ｃｏｎｄｕｃｔｉｖｅ  Ｆｉｌｍ）及び異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０３６２】
可撓性基板３７１及び可撓性基板３７２としては、それぞれ、可撓性を有する程度の厚さのガラス、石英、樹脂、金属、合金、半導体などの材料を用いることができる。発光素子からの光を取り出す側の基板は、該光を透過する材料を用いる。例えば、可撓性基板の厚さは、１μｍ以上２００μｍ以下が好ましく、１μｍ以上１００μｍ以下がより好ましく、１０μｍ以上５０μｍ以下がさらに好ましく、１０μｍ以上２５μｍ以下がさらに好ましい。可撓性基板の厚さ及び硬さは、機械的強度及び可撓性を両立できる範囲とする。可撓性基板は単層構造であっても積層構造であってもよい。
【０３６３】
ガラスに比べて樹脂は比重が小さいため、可撓性基板として樹脂を用いると、ガラスを用いる場合に比べて表示パネルを軽量化でき、好ましい。
【０３６４】
基板には、靱性が高い材料を用いることが好ましい。これにより、耐衝撃性に優れ、破損しにくい表示パネルを実現できる。例えば、樹脂基板、又は、厚さの薄い金属基板もしくは合金基板を用いることで、ガラス基板を用いる場合に比べて、軽量であり、破損しにくい表示パネルを実現できる。
【０３６５】
金属材料及び合金材料は熱伝導性が高く、基板全体に熱を容易に伝導できるため、表示パネルの局所的な温度上昇を抑制することができ、好ましい。金属材料又は合金材料を用いた基板の厚さは、１０μｍ以上２００μｍ以下が好ましく、２０μｍ以上５０μｍ以下であることがより好ましい。
【０３６６】
金属基板又は合金基板を構成する材料としては、特に限定はないが、例えば、アルミニウム、銅、ニッケル、又は、アルミニウム合金もしくはステンレス等の金属の合金などを好適に用いることができる。半導体基板を構成する材料としては、シリコン等が挙げられる。
【０３６７】
また、基板に、熱放射率が高い材料を用いると表示パネルの表面温度が高くなることを抑制でき、表示パネルの破壊、及び信頼性の低下を抑制できる。例えば、基板を金属基板と熱放射率の高い層（例えば、金属酸化物又はセラミック材料を用いることができる）の積層構造としてもよい。
【０３６８】
可撓性及び透光性を有する材料としては、例えば、ＰＥＴ、ＰＥＮ等のポリエステル樹脂、ポリアクリロニトリル樹脂、アクリル樹脂、ポリイミド樹脂、ポリメチルメタクリレート樹脂、ＰＣ樹脂、ＰＥＳ樹脂、ポリアミド樹脂（ナイロン、アラミド等）、ポリシロキサン樹脂、シクロオレフィン樹脂、ポリスチレン樹脂、ポリアミドイミド樹脂、ポリウレタン樹脂、ポリ塩化ビニル樹脂、ポリ塩化ビニリデン樹脂、ポリプロピレン樹脂、ＰＴＦＥ樹脂、ＡＢＳ樹脂等が挙げられる。特に、線膨張係数の低い材料を用いることが好ましく、例えば、ポリアミドイミド樹脂、ポリイミド樹脂、ポリアミド樹脂、ＰＥＴ等を好適に用いることができる。また、繊維体に樹脂を含浸した基板、及び、無機フィラーを樹脂に混ぜて線膨張係数を下げた基板等を使用することもできる。
【０３６９】
可撓性基板としては、上記材料を用いた層が、装置の表面を傷などから保護するハードコート層（例えば、窒化シリコン層など）、押圧を分散可能な材質の層（例えば、アラミド樹脂層など）等の少なくとも一と積層されて構成されていてもよい。
【０３７０】
可撓性基板は、ガラス層を有する構成とすると、水及び酸素に対するバリア性を向上させ、信頼性の高い表示パネルとすることができる。
【０３７１】
例えば、発光素子に近い側からガラス層、接着層、及び樹脂層を積層した可撓性基板を用いることができる。当該ガラス層の厚さとしては２０μｍ以上２００μｍ以下、好ましくは２５μｍ以上１００μｍ以下とする。このような厚さのガラス層は、水及び酸素に対する高いバリア性と可撓性を同時に実現できる。また、樹脂層の厚さとしては、１０μｍ以上２００μｍ以下、好ましくは２０μｍ以上５０μｍ以下とする。このような樹脂層を設けることにより、ガラス層の割れ及びクラックを抑制し、機械的強度を向上させることができる。このようなガラス材料と樹脂の複合材料を基板に適用することにより、極めて信頼性が高いフレキシブルな表示パネルとすることができる。
【０３７２】
接着層には、紫外線硬化型等の光硬化型接着剤、反応硬化型接着剤、熱硬化型接着剤、嫌気型接着剤などの各種硬化型接着剤を用いることができる。また、接着シート等を用いてもよい。
【０３７３】
また、接着層には乾燥剤を含んでいてもよい。例えば、アルカリ土類金属の酸化物（酸化カルシウム、酸化バリウム等）のように、化学吸着によって水分を吸着する物質を用いることができる。または、ゼオライト又はシリカゲル等のように、物理吸着によって水分を吸着する物質を用いてもよい。乾燥剤が含まれていると、水分などの不純物が機能素子に侵入することを抑制でき、表示パネルの信頼性が向上するため好ましい。
【０３７４】
また、接着層に屈折率の高いフィラー又は光散乱部材を含ませることで、発光素子からの光取り出し効率を向上させることができる。例えば、酸化チタン、酸化バリウム、ゼオライト、ジルコニウム等を用いることができる。
【０３７５】
発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。なお、本発明の一態様の表示パネルには、様々な表示素子を用いることができる。例えば、液晶素子、電気泳動素子、ＭＥＭＳを用いた表示素子等を適用してもよい。
【０３７６】
発光素子は、トップエミッション型、ボトムエミッション型のいずれであってもよい。光を取り出す側の電極には、可視光を透過する導電膜を用いる。また、光を取り出さない側の電極には、可視光を反射する導電膜を用いることが好ましい。
【０３７７】
可視光を透過する導電膜は、例えば、酸化インジウム、ＩＴＯ、インジウム亜鉛酸化物、酸化亜鉛（ＺｎＯ）、ガリウムを添加したＺｎＯなどを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電膜として用いることができる。例えば、銀とマグネシウムの合金とＩＴＯの積層膜などを用いると、導電性を高めることができるため好ましい。また、グラフェン等を用いてもよい。
【０３７８】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料又は合金に、ランタン、ネオジム、又はゲルマニウム等が添加されていてもよい。また、アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、銀とマグネシウムの合金等の銀を含む合金を用いてもよい。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０３７９】
電極は、それぞれ、蒸着法又はスパッタリング法を用いて形成することができる。そのほか、インクジェット法などの吐出法、スクリーン印刷法などの印刷法、又はメッキ法を用いて形成することができる。
【０３８０】
表示パネルが有するトランジスタの構造は特に限定されない。例えば、プレーナ型のトランジスタとしてもよいし、スタガ型のトランジスタとしてもよいし、逆スタガ型のトランジスタとしてもよい。また、トップゲート型又はボトムゲート型のいずれのトランジスタ構造としてもよい。または、チャネルの上下にゲート電極が設けられていてもよい。
【０３８１】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０３８２】
トランジスタに用いる半導体材料は特に限定されず、例えば、第１４族の元素、化合物半導体又は酸化物半導体を半導体層に用いることができる。代表的には、シリコンを含む半導体、ガリウムヒ素を含む半導体、又はインジウムを含む酸化物半導体などを適用できる。
【０３８３】
特に、トランジスタのチャネルが形成される半導体に、酸化物半導体を適用することが好ましい。特にシリコンよりもバンドギャップの大きな酸化物半導体を適用することが好ましい。シリコンよりもバンドギャップが広く、且つキャリア密度の小さい半導体材料を用いると、トランジスタのオフ状態における電流を低減できるため好ましい。
【０３８４】
例えば、上記酸化物半導体として、少なくともインジウム（Ｉｎ）もしくは亜鉛（Ｚｎ）を含むことが好ましい。より好ましくは、Ｉｎ−Ｍ−Ｚｎ酸化物（ＭはＡｌ、Ｔｉ、Ｇａ、Ｇｅ、Ｙ、Ｚｒ、Ｓｎ、Ｌａ、Ｃｅ、Ｈｆ又はＮｄ等の金属）で表記される酸化物を含む。
【０３８５】
トランジスタに用いる半導体材料として、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは非晶質とは異なり、欠陥準位が少なく、トランジスタの信頼性を高めることができる。また、ＣＡＡＣ−ＯＳは結晶粒界が確認されないという特徴を有するため、大面積に安定で均一な膜を形成することが可能で、また可撓性を有する表示装置を湾曲させたときの応力によってＣＡＡＣ−ＯＳ膜にクラックが生じにくい。
【０３８６】
ＣＡＡＣ−ＯＳは、膜面に対して、結晶のｃ軸が概略垂直配向した結晶性酸化物半導体のことである。酸化物半導体の結晶構造としては他にナノスケールの微結晶集合体であるナノ結晶（ｎｃ：ｎａｎｏｃｒｙｓｔａｌ）など、単結晶とは異なる多彩な構造が存在することが確認されている。ＣＡＡＣ−ＯＳは、単結晶よりも結晶性が低く、ｎｃに比べて結晶性が高い。
【０３８７】
また、ＣＡＡＣ−ＯＳは、ｃ軸配向性を有し、かつａ−ｂ面方向において複数のペレット（ナノ結晶）が連結し、歪みを有した結晶構造となっている。よって、ＣＡＡＣ−ＯＳを、ＣＡＡ  ｃｒｙｓｔａｌ（ｃ−ａｘｉｓ−ａｌｉｇｎｅｄ  ａ−ｂ−ｐｌａｎｅ−ａｎｃｈｏｒｅｄ  ｃｒｙｓｔａｌ）を有する酸化物半導体と称することもできる。
【０３８８】
表示パネルが有する絶縁層には、有機絶縁材料又は無機絶縁材料を用いることができる。樹脂としては、例えば、アクリル樹脂、エポキシ樹脂、ポリイミド樹脂、ポリアミド樹脂、ポリイミドアミド樹脂、シロキサン樹脂、ベンゾシクロブテン系樹脂、フェノール樹脂等が挙げられる。無機絶縁膜としては、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜、及び酸化ネオジム膜等が挙げられる。
【０３８９】
表示パネルが有する導電層には、それぞれ、アルミニウム、チタン、クロム、ニッケル、銅、イットリウム、ジルコニウム、モリブデン、銀、タンタル、もしくはタングステンなどの金属、又はこれを主成分とする合金を単層構造又は積層構造として用いることができる。または、酸化インジウム、ＩＴＯ、タングステンを含むインジウム酸化物、タングステンを含むインジウム亜鉛酸化物、チタンを含むインジウム酸化物、チタンを含むＩＴＯ、インジウム亜鉛酸化物、ＺｎＯ、ガリウムを添加したＺｎＯ、又はシリコンを含むインジウム錫酸化物等の透光性を有する導電性材料を用いてもよい。また、不純物元素を含有させるなどして低抵抗化させた、多結晶シリコンもしくは酸化物半導体等の半導体、又はニッケルシリサイド等のシリサイドを用いてもよい。また、グラフェンを含む膜を用いることもできる。グラフェンを含む膜は、例えば膜状に形成された酸化グラフェンを含む膜を還元して形成することができる。また、不純物元素を含有させた酸化物半導体等の半導体を用いてもよい。または、銀、カーボン、もしくは銅等の導電性ペースト、又はポリチオフェン等の導電性ポリマーを用いて形成してもよい。導電性ペーストは、安価であり、好ましい。導電性ポリマーは、塗布しやすく、好ましい。
【０３９０】
図３０（Ｃ）に示す表示パネル３７０を２枚重ねて有する表示装置の断面図の一例を、図３１に示す。
【０３９１】
図３１では、下側の表示パネルの表示領域１０１ａ（図３０（Ｃ）に示す表示部３８１と対応）及び可視光を遮る領域１２０ａ（図３０（Ｃ）に示す駆動回路部３８２等に対応）、並びに、上側の表示パネルの表示領域１０１ｂ（図３０（Ｃ）に示す表示部３８１と対応）及び可視光を透過する領域１１０ｂ（図３０（Ｃ）に示す可視光を透過する領域１１０に対応）を示す。
【０３９２】
図３１に示す表示装置において、表示面側（上側）に位置する表示パネルは、可視光を透過する領域１１０ｂを表示領域１０１ｂと隣接して有する。下側の表示パネルの表示領域１０１ａは、上側の表示パネルの可視光を透過する領域１１０ｂと重なっている。したがって、重ねた２つの表示パネルの表示領域の間の非表示領域を縮小すること、さらには無くすことができる。これにより、使用者から表示パネルの継ぎ目が認識されにくい、大型の表示装置を実現することができる。
【０３９３】
また、図３１に示す表示装置は、表示領域１０１ａと可視光を透過する領域１１０ｂの間に、空気よりも屈折率が高く、可視光を透過する透光層１０３を有する。これにより、表示領域１０１ａと可視光を透過する領域１１０ｂの間に空気が入ることを抑制でき、屈折率の差による界面での反射を低減することができる。そして、表示装置における表示ムラ又は輝度ムラの抑制が可能となる。
【０３９４】
透光層１０３は、下側の表示パネルの可撓性基板３７２又は上側の表示パネルの可撓性基板３７１の表面全体に重なっていてもよいし、表示領域１０１ａ及び可視光を透過する領域１１０ｂのみと重なっていてもよい。また、透光層１０３は、可視光を遮る領域１２０ａと重なっていてもよい。
【０３９５】
例えば、透光層１０３としては、基材の両面に吸着層を有する吸着フィルムを適用することができる。
【０３９６】
＜構成例１の作製方法例＞
図３２及び図３３を用いて構成例１の作製方法の一例を説明する。図３２及び図３３は、表示パネル３７０の表示部３８１の作製方法を説明する断面図である。
【０３９７】
まず、図３２（Ａ）に示すように、作製基板４０１上に剥離層４０３を形成する。次に、剥離層４０３上に被剥離層を形成する。ここで、剥離層４０３上に形成する被剥離層は、図３０における絶縁層３７８から発光素子３０４までの各層である。
【０３９８】
作製基板４０１には、少なくとも作製工程中の処理温度に耐えうる耐熱性を有する基板を用いる。作製基板４０１としては、例えばガラス基板、石英基板、サファイア基板、半導体基板、セラミック基板、金属基板、樹脂基板、プラスチック基板などを用いることができる。
【０３９９】
なお、量産性を向上させるため、作製基板４０１として大型のガラス基板を用いることが好ましい。例えば、第３世代（５５０ｍｍ×６５０ｍｍ）以上第１０世代（２９５０ｍｍ×３４００ｍｍ）以下のガラス基板、又はこれよりも大型のガラス基板を用いることが好ましい。
【０４００】
作製基板４０１にガラス基板を用いる場合、作製基板４０１と剥離層４０３との間に、下地膜として、酸化シリコン膜、酸化窒化シリコン膜、窒化シリコン膜、又は窒化酸化シリコン膜等の絶縁膜を形成すると、ガラス基板からの汚染を防止でき、好ましい。
【０４０１】
剥離層４０３は、タングステン、モリブデン、チタン、タンタル、ニオブ、ニッケル、コバルト、ジルコニウム、亜鉛、ルテニウム、ロジウム、パラジウム、オスミウム、イリジウム、シリコンから選択された元素、該元素を含む合金材料、又は該元素を含む化合物材料等を用いて形成できる。シリコンを含む層の結晶構造は、非晶質、微結晶、多結晶のいずれでもよい。また、酸化アルミニウム、酸化ガリウム、二酸化チタン、酸化インジウム、ＩＴＯ、インジウム亜鉛酸化物、Ｉｎ−Ｇａ−Ｚｎ酸化物等の金属酸化物を用いてもよい。剥離層４０３に、タングステン、チタン、モリブデンなどの高融点金属材料を用いると、被剥離層の形成工程の自由度が高まるため好ましい。
【０４０２】
剥離層４０３は、例えばスパッタリング法、プラズマＣＶＤ法、塗布法（スピンコーティング法、液滴吐出法、ディスペンス法等を含む）、印刷法等により形成できる。剥離層４０３の厚さは例えば１ｎｍ以上２００ｎｍ以下、好ましくは１０ｎｍ以上１００ｎｍ以下とする。
【０４０３】
剥離層４０３が単層構造の場合、タングステン層、モリブデン層、又はタングステンとモリブデンの混合物を含む層を形成することが好ましい。また、タングステンの酸化物もしくは酸化窒化物を含む層、モリブデンの酸化物もしくは酸化窒化物を含む層、又はタングステンとモリブデンの混合物の酸化物もしくは酸化窒化物を含む層を形成してもよい。なお、タングステンとモリブデンの混合物とは、例えば、タングステンとモリブデンの合金に相当する。
【０４０４】
また、剥離層４０３として、タングステンを含む層とタングステンの酸化物を含む層の積層構造を形成する場合、タングステンを含む層を形成し、その上に酸化物で形成される絶縁膜を形成することで、タングステン層と絶縁膜との界面に、タングステンの酸化物を含む層が形成されることを活用してもよい。また、タングステンを含む層の表面を、熱酸化処理、酸素プラズマ処理、亜酸化窒素（Ｎ２Ｏ）プラズマ処理、オゾン水等の酸化力の強い溶液での処理等を行ってタングステンの酸化物を含む層を形成してもよい。プラズマ処理又は加熱処理は、酸素、窒素、亜酸化窒素単独、あるいは該ガスとその他のガスとの混合気体雰囲気下で行うことができる。上記プラズマ処理又は加熱処理により、剥離層４０３の表面状態を変えることで、剥離層４０３と後に形成される絶縁膜との密着性を制御することが可能である。
【０４０５】
なお、作製基板と被剥離層の界面で剥離が可能な場合には、剥離層を設けなくてもよい。例えば、作製基板としてガラスを用い、ガラスに接してポリイミド、ポリエステル、ポリオレフィン、ポリアミド、ポリカーボネート、アクリル等の有機樹脂を形成する。次に、レーザ照射又は加熱処理を行うことで、作製基板と有機樹脂の密着性を向上させる。そして、有機樹脂上に絶縁膜及びトランジスタ等を形成する。その後、先のレーザ照射よりも高いエネルギー密度でレーザ照射を行う、又は、先の加熱処理よりも高い温度で加熱処理を行うことで、作製基板と有機樹脂の界面で剥離することができる。また、剥離の際には、作製基板と有機樹脂の界面に液体を浸透させて分離してもよい。
【０４０６】
なお、該有機樹脂を、装置を構成する基板として用いてもよいし、該有機樹脂を除去し、被剥離層の露出した面に接着剤を用いて別の基板を貼り合わせてもよい。
【０４０７】
または、作製基板と有機樹脂の間に金属層を設け、該金属層に電流を流すことで該金属層を加熱し、金属層と有機樹脂の界面で剥離を行ってもよい。
【０４０８】
絶縁層３７８は、窒化シリコン膜、酸化窒化シリコン膜、酸化シリコン膜、又は窒化酸化シリコン膜等を用いて、単層又は積層で形成することが好ましい。
【０４０９】
絶縁層３７８は、スパッタリング法、プラズマＣＶＤ法、塗布法、印刷法等を用いて形成することが可能であり、例えば、プラズマＣＶＤ法によって成膜温度を２５０℃以上４００℃以下として形成することで、緻密で非常に防湿性の高い膜とすることができる。なお、絶縁層３７８の厚さは１０ｎｍ以上３０００ｎｍ以下、さらには２００ｎｍ以上１５００ｎｍ以下が好ましい。
【０４１０】
また、図３２（Ｂ）に示すように、作製基板４１１上に剥離層４１３を形成する。次に、剥離層４１３上に被剥離層を形成する。ここで、剥離層４１３上に形成する被剥離層は、図３０における絶縁層３７６、遮光層３２６、及び着色層３２５である。
【０４１１】
作製基板４１１、剥離層４１３、及び絶縁層３７６には、それぞれ、作製基板４０１、剥離層４０３、及び絶縁層３７８に用いることができる材料を適用することができる。
【０４１２】
次に、図３２（Ｃ）に示すように、作製基板４０１と作製基板４１１とを、接着層３１７を用いて貼り合わせる。
【０４１３】
次に、図３３（Ａ）に示すように、作製基板４０１と絶縁層３７８とを分離する。なお、作製基板４０１と作製基板４１１のどちらを先に分離してもよい。
【０４１４】
作製基板４０１と絶縁層３７８とを分離する前に、レーザ光又は鋭利な刃物等を用いて、剥離の起点を形成することが好ましい。絶縁層３７８の一部にクラックを入れる（膜割れ又はひびを生じさせる）ことで、剥離の起点を形成できる。例えば、レーザ光の照射によって、絶縁層３７８の一部を溶解、蒸発、又は熱的に破壊することができる。
【０４１５】
そして、形成した剥離の起点から、物理的な力（人間の手もしくは治具で引き剥がす処理、又は基板に密着させたローラーを回転させることで分離する処理等）によって絶縁層３７８と作製基板４０１とを分離する。図３３（Ａ）の下部に、絶縁層３７８から分離された剥離層４０３と作製基板４０１を示す。その後、図３３（Ａ）に示すように、露出した絶縁層３７８と、可撓性基板３７１とを、接着層３７７を用いて貼り合わせる。
【０４１６】
次に、図３３（Ｂ）に示すように、作製基板４１１と絶縁層３７６とを分離する。図３３（Ｂ）の上部に、絶縁層３７６から分離された剥離層４１３と作製基板４１１を示す。そして、露出した絶縁層３７６と、可撓性基板３７２とを、接着層３７５を用いて貼り合わせる。
【０４１７】
以上のように、本発明の一態様では、表示パネルを構成する機能素子等は、全て作製基板上で形成するため、精細度の高い表示パネルを作製する場合においても、可撓性基板には、高い位置合わせ精度が要求されない。よって、簡便に可撓性基板を貼り付けることができる。また、高温をかけて機能素子等を作製できるため、信頼性の高い表示パネルを実現できる。
【０４１８】
＜構成例２＞
図３５（Ａ）に、カラーフィルタ方式が適用された表示パネルの断面図を示す。なお、以降の構成例では、先の構成例と同様の構成については、詳細な説明を省略する。
【０４１９】
図３５（Ａ）に示す表示パネルは、可撓性基板３７１、接着層３７７、絶縁層３７８、複数のトランジスタ、導電層３０７、絶縁層３１２、絶縁層３１３、絶縁層３１４、絶縁層３１５、発光素子３０４、導電層３５５、接着層３１７、着色層３２５、可撓性基板３７２、及び絶縁層３７６を有する。
【０４２０】
駆動回路部３８２はトランジスタ３０１を有する。表示部３８１は、トランジスタ３０３を有する。
【０４２１】
各トランジスタは、２つのゲート、ゲート絶縁層３１１、半導体層、ソース、及びドレインを有する。２つのゲートは、それぞれ、絶縁層を介して半導体層と重なる。図３５（Ａ）では、各トランジスタに、半導体層を２つのゲートで挟持する構成を適用した例を示している。このようなトランジスタは他のトランジスタと比較して電界効果移動度を高めることができ、オン電流を増大させることができる。その結果、高速動作が可能な回路を作製することができる。さらには、回路の占有面積を縮小することができる。オン電流の大きなトランジスタを適用することで、表示パネルを大型化又は高精細化し配線数が増大しても、各配線における信号遅延を低減することができ、表示の輝度のばらつきを低減することができる。図３５（Ａ）では、電極３２１と同一の材料、及び同一の工程で、一方のゲートを作製する例を示す。
【０４２２】
発光素子３０４は、着色層３２５側に光を射出する。発光素子３０４は、絶縁層３１４を介して着色層３２５と重なる。着色層３２５は、発光素子３０４と可撓性基板３７１の間に配置される。図３５（Ａ）では、着色層３２５を絶縁層３１３上に配置する例を示す。図３５（Ａ）では、遮光層及びスペーサを設けない例を示す。
【０４２３】
＜構成例３＞
図３５（Ｂ）に、塗り分け方式が適用された表示パネルの断面図を示す。
【０４２４】
図３５（Ｂ）に示す表示パネルは、可撓性基板３７１、接着層３７７、絶縁層３７８、複数のトランジスタ、導電層３０７、絶縁層３１２、絶縁層３１３、絶縁層３１４、絶縁層３１５、スペーサ３１６、発光素子３０４、接着層３１７、可撓性基板３７２、及び絶縁層３７６を有する。
【０４２５】
駆動回路部３８２はトランジスタ３０１を有する。表示部３８１は、トランジスタ３０２、トランジスタ３０３、及び容量素子３０５を有する。
【０４２６】
各トランジスタは、２つのゲート、ゲート絶縁層３１１、半導体層、ソース、及びドレインを有する。２つのゲートは、それぞれ、絶縁層を介して半導体層と重なる。図３５（Ｂ）では、各トランジスタに、半導体層を２つのゲートで挟持する構成を適用した例を示している。図３５（Ｂ）では、絶縁層３１３と絶縁層３１４の間に、一方のゲートを作製する例を示す。
【０４２７】
発光素子３０４は、可撓性基板３７２側に光を射出する。図３５（Ｂ）では、発光素子３０４が光学調整層を有さない例を示す。絶縁層３７６は、発光素子３０４の封止層として機能する。
【０４２８】
接続部３０６は、導電層３０７を有する。導電層３０７は接続体３１９を介してＦＰＣ３７３と電気的に接続する。
【０４２９】
＜応用例＞
本発明の一態様では、タッチセンサが搭載された表示装置（入出力装置またはタッチパネルともいう）を作製することができる。
【０４３０】
本発明の一態様のタッチパネルが有する検知素子（センサ素子ともいう）に限定は無い。指もしくはスタイラスなどの被検知体の近接又は接触を検知することのできる様々なセンサを、検知素子として適用することができる。
【０４３１】
例えばセンサの方式としては、静電容量方式、抵抗膜方式、表面弾性波方式、赤外線方式、光学方式、感圧方式など様々な方式を用いることができる。
【０４３２】
本実施の形態では、静電容量方式の検知素子を有するタッチパネルを例に挙げて説明する。
【０４３３】
静電容量方式としては、表面型静電容量方式、投影型静電容量方式等がある。また、投影型静電容量方式としては、自己容量方式、相互容量方式等がある。相互容量方式を用いると、同時多点検出が可能となるため好ましい。
【０４３４】
本発明の一態様のタッチパネルは、別々に作製された表示パネルと検知素子とを貼り合わせる構成、表示素子を支持する基板及び対向基板の一方又は双方に検知素子を構成する電極等を設ける構成等、様々な構成を適用することができる。
【０４３５】
＜構成例４＞
図３６（Ａ）は、タッチパネル３００の斜視概略図である。図３６（Ｂ）は、図３６（Ａ）を展開した斜視概略図である。なお明瞭化のため、代表的な構成要素のみを示している。図３６（Ｂ）では、一部の構成要素（可撓性基板３３０、可撓性基板３７２等）を破線で輪郭のみ明示している。
【０４３６】
タッチパネル３００は、入力装置３１０と、表示パネル３７０とを有し、これらが重ねて設けられている。タッチパネル３００は、可視光を透過する領域１１０を有する。可視光を透過する領域１１０は、表示部３８１に隣接し、表示部３８１の２辺に沿って配置されている。
【０４３７】
入力装置３１０は、可撓性基板３３０、電極３３１、電極３３２、複数の配線３４１、及び複数の配線３４２を有する。ＦＰＣ３５０は、複数の配線３４１及び複数の配線３４２の各々と電気的に接続する。ＦＰＣ３５０にはＩＣ３５１が設けられている。
【０４３８】
表示パネル３７０は、対向して設けられた可撓性基板３７１と可撓性基板３７２とを有する。表示パネル３７０は、表示部３８１及び駆動回路部３８２を有する。可撓性基板３７１上には、配線３８３等が設けられている。ＦＰＣ３７３は、配線３８３と電気的に接続される。ＦＰＣ３７３にはＩＣ３７４が設けられている。
【０４３９】
配線３８３は、表示部３８１及び駆動回路部３８２に信号及び電力を供給する機能を有する。当該信号及び電力は、それぞれ、外部又はＩＣ３７４から、ＦＰＣ３７３を介して、配線３８３に入力される。
【０４４０】
図３７に、タッチパネル３００の断面図の一例を示す。図３７では、表示部３８１、駆動回路部３８２、可視光を透過する領域１１０、ＦＰＣ３７３を含む領域、及びＦＰＣ３５０を含む領域等の断面構造を示す。さらに、図３７では、トランジスタのゲートと同一の導電層を加工して形成された配線と、トランジスタのソース及びドレインと同一の導電層を加工して形成された配線とが交差する交差部３８７の断面構造を示している。
【０４４１】
可撓性基板３７１と可撓性基板３７２とは、接着層３１７によって貼り合わされている。可撓性基板３７２と可撓性基板３３０とは、接着層３９６によって貼り合わされている。ここで、可撓性基板３７１から可撓性基板３７２までの各層が、表示パネル３７０に相当する。また、可撓性基板３３０から電極３３４までの各層が入力装置３１０に相当する。つまり、接着層３９６は、表示パネル３７０と入力装置３１０を貼り合わせているといえる。または、可撓性基板３７１から絶縁層３７６までの各層が、表示パネル３７０に相当する。そして、可撓性基板３３０から可撓性基板３７２までの各層が入力装置３１０に相当する。つまり、接着層３７５が、表示パネル３７０と入力装置３１０を貼り合わせているともいえる。
【０４４２】
図３７に示す表示パネル３７０の構成は、図３０に示す表示パネルと同様の構成であるため、詳細な説明は省略する。
【０４４３】
＜入力装置３１０＞
可撓性基板３３０の可撓性基板３７２側には、電極３３１及び電極３３２が設けられている。ここでは、電極３３１が、電極３３３及び電極３３４を有する場合の例を示している。図３７中の交差部３８７に示すように、電極３３２と電極３３３は同一平面上に形成されている。絶縁層３９５は、電極３３２及び電極３３３を覆うように設けられている。電極３３４は、絶縁層３９５に設けられた開口を介して、電極３３２を挟むように設けられる２つの電極３３３と電気的に接続している。
【０４４４】
可撓性基板３３０の端部に近い領域には、接続部３０８が設けられている。接続部３０８は、配線３４２と、電極３３４と同一の導電層を加工して得られた導電層とを積層して有する。接続部３０８は、接続体３０９を介してＦＰＣ３５０が電気的に接続されている。
【０４４５】
可撓性基板３３０は、接着層３９１によって絶縁層３９３と貼り合わされている。構成例１の作製方法と同様に、入力装置３１０も、作製基板上で素子を作製し、作製基板を剥離した後、可撓性基板３３０に素子を転置することで作製することができる。または、可撓性基板３３０上に直接、絶縁層３９３及び素子等を形成してもよい（図３８（Ａ）参照）。
【０４４６】
＜構成例５＞
図３８（Ａ）に示すタッチパネルは、接着層３９１を有していない点、及び、トランジスタ３０１、３０２、３０３、及び容量素子３０５の構成が異なる点で、図３７に示すタッチパネルと異なる。
【０４４７】
図３８（Ａ）では、タッチパネルに、トップゲート構造のトランジスタを適用する例を示す。
【０４４８】
各トランジスタは、ゲート、ゲート絶縁層３１１、半導体層、ソース、及びドレインを有する。ゲートと半導体層は、ゲート絶縁層３１１を介して重なる。半導体層は、低抵抗化された領域３４８を有していてもよい。低抵抗化された領域３４８は、トランジスタのソース及びドレインとして機能する。
【０４４９】
絶縁層３１３上に設けられた導電層は引き回し配線として機能する。該導電層は、絶縁層３１３、絶縁層３１２、及びゲート絶縁層３１１に設けられた開口を介して、領域３４８と電気的に接続している。
【０４５０】
図３８（Ａ）では、容量素子３０５が、半導体層と同一の半導体層を加工して形成した層と、ゲート絶縁層３１１と、ゲートと同一の導電層を加工して形成した層の積層構造を有する。ここで、容量素子３０５の半導体層の一部には、トランジスタのチャネルが形成される領域３４７よりも導電性の高い領域３４９が形成されていることが好ましい。
【０４５１】
領域３４８及び領域３４９は、それぞれ、トランジスタのチャネルが形成される領域３４７よりも不純物を多く含む領域、キャリア濃度の高い領域、又は結晶性が低い領域などとすることができる。
【０４５２】
本発明の一態様の表示装置には、図３８（Ｂ）〜（Ｄ）に示すトランジスタ８４８を適用することもできる。
【０４５３】
図３８（Ｂ）に、トランジスタ８４８の上面図を示す。図３８（Ｃ）は、本発明の一態様の表示装置の、トランジスタ８４８のチャネル長方向の断面図である。図３８（Ｃ）に示すトランジスタ８４８は、図３８（Ｂ）における一点鎖線Ｘ１−Ｘ２間の断面に相当する。図３８（Ｄ）は、本発明の一態様の表示装置の、トランジスタ８４８のチャネル幅方向の断面図である。図３８（Ｄ）に示すトランジスタ８４８は、図３８（Ｂ）における一点鎖線Ｙ１−Ｙ２間の断面に相当する。
【０４５４】
トランジスタ８４８はバックゲートを有するトップゲート型のトランジスタの一種である。
【０４５５】
トランジスタ８４８では、絶縁層７７２に設けた凸部上に半導体層７４２が形成されている。絶縁層７７２に設けた凸部上に半導体層７４２を設けることによって、半導体層７４２の側面もゲート７４３で覆うことができる。すなわち、トランジスタ８４８は、ゲート７４３の電界によって、半導体層７４２を電気的に取り囲むことができる構造を有している。このように、導電膜の電界によって、チャネルが形成される半導体膜を電気的に取り囲むトランジスタの構造を、ｓｕｒｒｏｕｎｄｅｄ  ｃｈａｎｎｅｌ（ｓ−ｃｈａｎｎｅｌ）構造とよぶ。また、ｓ−ｃｈａｎｎｅｌ構造を有するトランジスタを、「ｓ−ｃｈａｎｎｅｌ型トランジスタ」もしくは「ｓ−ｃｈａｎｎｅｌトランジスタ」ともいう。
【０４５６】
ｓ−ｃｈａｎｎｅｌ構造では、半導体層７４２の全体（バルク）にチャネルを形成することもできる。ｓ−ｃｈａｎｎｅｌ構造では、トランジスタのドレイン電流を大きくすることができ、さらに大きいオン電流を得ることができる。また、ゲート７４３の電界によって、半導体層７４２に形成されるチャネル形成領域の全領域を空乏化することができる。したがって、ｓ−ｃｈａｎｎｅｌ構造では、トランジスタのオフ電流をさらに小さくすることができる。
【０４５７】
バックゲート７２３は絶縁層３７８上に設けられている。
【０４５８】
絶縁層７２９上に設けられた導電層７４４ａは、ゲート絶縁層３１１、絶縁層７２８、及び絶縁層７２９に設けられた開口７４７ｃにおいて、半導体層７４２と電気的に接続されている。また、絶縁層７２９上に設けられた導電層７４４ｂは、ゲート絶縁層３１１、絶縁層７２８、及び絶縁層７２９に設けられた開口７４７ｄにおいて、半導体層７４２と電気的に接続されている。
【０４５９】
ゲート絶縁層３１１上に設けられたゲート７４３は、ゲート絶縁層３１１及び絶縁層７７２に設けられた開口７４７ａ及び開口７４７ｂにおいて、バックゲート７２３と電気的に接続されている。よって、ゲート７４３とバックゲート７２３には、同じ電位が供給される。また、開口７４７ａ及び開口７４７ｂは、どちらか一方を設けなくてもよい。また、開口７４７ａ及び開口７４７ｂの両方を設けなくてもよい。開口７４７ａ及び開口７４７ｂの両方を設けない場合は、バックゲート７２３とゲート７４３に異なる電位を供給することができる。
【０４６０】
なお、ｓ−ｃｈａｎｎｅｌ構造を有するトランジスタに用いる半導体としては、酸化物半導体、又は、多結晶シリコン、もしくは単結晶シリコン基板等から転置された単結晶シリコン等のシリコンなどが挙げられる。
【０４６１】
＜構成例６＞
図３９に示すタッチパネルは、ボトムエミッション型の表示パネルと、入力装置と、を接着層３９６で貼り合わせた例である。
【０４６２】
図３９の表示パネルは、絶縁層３７６を有する点で、図３５（Ａ）の構成と異なる。また、図３９の入力装置は、絶縁層３９３を有さず、可撓性基板３３０上に直接、電極３３１及び電極３３２等が設けられている点で図３８の構成と異なる。
【０４６３】
＜構成例７＞
図４０に示すタッチパネルは、塗り分け方式が適用された表示パネルと、入力装置と、を接着層３７５で貼り合わせた例である。
【０４６４】
図４０の表示パネルは、図３５（Ｂ）の構成と同様である。
【０４６５】
図４０の入力装置は、可撓性基板３９２上に絶縁層３７６を有し、絶縁層３７６上に電極３３４及び配線３４２を有する。電極３３４及び配線３４２は、絶縁層３９５で覆われている。絶縁層３９５上には、電極３３２及び電極３３３を有する。可撓性基板３３０は接着層３９６によって可撓性基板３９２と貼り合わされている。
【０４６６】
＜構成例８＞
図４１は、一対の可撓性基板（可撓性基板３７１及び可撓性基板３７２）の間に、タッチセンサ及び発光素子３０４を有する例である。可撓性基板を２枚とすることで、タッチパネルの薄型化、軽量化、さらにはフレキシブル化が可能となる。
【０４６７】
図４１の構成は、構成例１の作製方法例において、作製基板４１１上に形成する被剥離層の構成を変えることで、作製することができる。構成例１の作製方法例では、作製基板４１１上の被剥離層として、絶縁層３７６、着色層３２５、及び遮光層３２６を形成した（図３２（Ｂ））。
【０４６８】
図４１に示す構成を作製する場合は、絶縁層３７６を形成した後、絶縁層３７６上に電極３３２、電極３３３、及び配線３４２を形成する。次に、これら電極を覆う絶縁層３９５を形成する。次に、絶縁層３９５上に電極３３４を形成する。次に、電極３３４を覆う絶縁層３２７を形成する。そして、絶縁層３２７上に、着色層３２５及び遮光層３２６を形成する。そして、作製基板４０１と貼り合わせ、各作製基板を剥離し、可撓性基板を貼り合わせることで、図４１に示す構成のタッチパネルを作製することができる。
【０４６９】
＜構成例９＞
図４２（Ａ）、（Ｂ）は、タッチパネル３２０の斜視概略図である。
【０４７０】
タッチパネル３２０は、可視光を透過する領域１１０を有する。可視光を透過する領域１１０は、表示部３８１に隣接し、表示部３８１の２辺に沿って配置されている。
【０４７１】
図４２（Ａ）、（Ｂ）において、入力装置３１８は、表示パネル３７９が有する可撓性基板３７２に設けられている。また、入力装置３１８の配線３４１及び配線３４２等は、表示パネル３７９に設けられたＦＰＣ３５０と電気的に接続する。
【０４７２】
このような構成とすることで、タッチパネル３２０に接続するＦＰＣを１つの基板側（ここでは可撓性基板３７１側）にのみ配置することができる。図４２（Ａ）、（Ｂ）では、タッチパネル３２０に２つのＦＰＣを取り付けた構成を示す。タッチパネル３２０は、複数のＦＰＣを取り付ける構成に限られない。タッチパネル３２０に１つのＦＰＣを設け、該ＦＰＣから、表示パネル３７９と入力装置３１８の両方に信号を供給する構成とすると、より構成を簡略化できる。
【０４７３】
ＩＣ３７４は表示パネル３７９を駆動する機能を有する。ＩＣ３５１は、入力装置３１８を駆動する機能を有する。
【０４７４】
図４３に、タッチパネル３２０の断面図の一例を示す。図４３では、表示部３８１、駆動回路部３８２、接続部３８５、可視光を透過する領域１１０、及びＦＰＣ３７３を含む領域等の断面構造を示す。さらに、図４３では、トランジスタのゲートと同一の導電層を加工して形成された配線と、トランジスタのソース及びドレインと同一の導電層を加工して形成された配線とが交差する交差部３８７の断面構造を示している。
【０４７５】
接続部３８５には、配線３４２（又は配線３４１）の１つと、導電層３０７の１つとが、接続体３８６を介して電気的に接続している。
【０４７６】
接続体３８６としては、例えば導電性の粒子を用いることができる。導電性の粒子としては、有機樹脂又はシリカなどの粒子の表面を金属材料で被覆したものを用いることができる。金属材料としてニッケル又は金を用いると接触抵抗を低減できるため好ましい。またニッケルをさらに金で被覆するなど、２種類以上の金属材料を層状に被覆させた粒子を用いることが好ましい。また接続体３８６として弾性変形もしくは塑性変形する材料を用いることが好ましい。このとき導電性の粒子は図４３に示すように上下方向に潰れた形状となる場合がある。こうすることで接続体３８６と、これと電気的に接続する導電層との接触面積が増大し、接触抵抗が低減できるほか、接続不良などの不具合の発生を抑制できる。
【０４７７】
接続体３８６は接着層３１７に覆われるように配置することが好ましい。例えば接着層３１７となるペースト等を塗布した後に、接続部３８５に接続体３８６を散布すれよい。接着層３１７が設けられる部分に接続部３８５を配置することで、図４３のように接着層３１７を発光素子３０４上にも配置する構成（固体封止構造ともいう）だけでなく、例えば中空封止構造の発光パネル、又は液晶表示パネル等、接着層３１７を周辺に用いる構成であれば同様に適用することができる。
【０４７８】
図４３では、光学調整層３２４が電極３２１の端部を覆わない例を示す。図４３では、スペーサ３１６が駆動回路部３８２にも設けられている例を示す。
【０４７９】
＜構成例１０＞
図４４（Ａ）に示すタッチパネルは、タッチセンサを構成する電極等と、可撓性基板３７２との間に遮光層３２６が設けられている。具体的には、絶縁層３７６と絶縁層３２８の間に遮光層３２６が設けられている可撓性基板３７２側からみて、絶縁層３２８上には、電極３３２、電極３３３、配線３４２等の導電層と、これらを覆う絶縁層３９５と、絶縁層３９５上の電極３３４等が設けられている。また、電極３３４及び絶縁層３９５上に、絶縁層３２７が設けられ、絶縁層３２７上に着色層３２５が設けられている。
【０４８０】
絶縁層３２７及び絶縁層３２８は、平坦化膜としての機能を有する。なお、絶縁層３２７及び絶縁層３２８は、それぞれ不要であれば設けなくてもよい。
【０４８１】
このような構成とすることで、タッチセンサを構成する電極等よりも可撓性基板３７２側に設けられた遮光層３２６によって、当該電極等が使用者から視認されてしまうことを抑制することができる。したがって、厚さが薄いだけでなく、表示品位が向上したタッチパネルを実現することができる。
【０４８２】
また、図４４（Ｂ）に示すように、タッチパネルは、絶縁層３７６と絶縁層３２８の間に遮光層３２６ａを有し、かつ、絶縁層３２７と接着層３１７の間に遮光層３２６ｂを有していてもよい。遮光層３２６ｂを設けることで、光漏れをより確実に抑制することができる。
【０４８３】
本実施の形態は、他の実施の形態と適宜組み合わせることができる。
【０４８４】
（実施の形態３）
本実施の形態では、本発明の一態様の電子機器及び照明装置について図を用いて説明する。
【０４８５】
電子機器としては、例えば、テレビジョン装置、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０４８６】
また、本発明の一態様の電子機器又は照明装置は可撓性を有するため、家屋もしくはビルの内壁もしくは外壁、又は、自動車の内装もしくは外装の曲面に沿って組み込むことも可能である。
【０４８７】
また、本発明の一態様の電子機器は、二次電池を有していてもよく、非接触電力伝送を用いて、二次電池を充電することができると好ましい。
【０４８８】
二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０４８９】
本発明の一態様の電子機器は、アンテナを有していてもよい。アンテナで信号を受信することで、表示部で映像又は情報等の表示を行うことができる。また、電子機器がアンテナ及び二次電池を有する場合、アンテナを、非接触電力伝送に用いてもよい。
【０４９０】
本発明の一態様の表示装置は、表示パネルの数を増やすことにより、表示領域の面積を上限なく大きくすることが可能である。したがって、本発明の一態様の表示装置はデジタルサイネージ又はＰＩＤなどに好適に用いることができる。また、本発明の一態様の表示装置は、表示パネルの配置方法を変えることで、表示領域の外形を様々な形状にすることができる。
【０４９１】
図４５（Ａ）では、柱１５及び壁１６に、それぞれ、本発明の一態様の表示装置１０を適用した例を示している。表示装置１０に用いる表示パネルとして、可撓性を有する表示パネルを用いることで、曲面に沿って表示装置１０を設置することが可能となる。
【０４９２】
ここで特に、デジタルサイネージ又はＰＩＤに本発明の一態様の表示装置を用いる場合には、表示パネルにタッチパネルを適用することで、表示領域に画像又は動画を表示するだけでなく観察者が直感的に操作することが可能となるため好ましい。また、路線情報又は交通情報などの情報を提供するための用途に用いる場合には、直感的な操作によりユーザビリティを高めることができる。なお、ビル又は公共施設などの壁面に設置する場合などは、表示パネルにタッチパネルを適用しなくてもよい。
【０４９３】
図４５（Ｂ）〜（Ｅ）に、湾曲した表示部７０００を有する電子機器の一例を示す。表示部７０００はその表示面が湾曲して設けられ、湾曲した表示面に沿って表示を行うことができる。なお、表示部７０００は可撓性を有していてもよい。
【０４９４】
図４５（Ｂ）〜（Ｅ）に示す各電子機器が有する表示部７０００は、本発明の一態様の表示装置を用いて作製される。
【０４９５】
図４５（Ｂ）に携帯電話機の一例を示す。携帯電話機７１００は、筐体７１０１、表示部７０００、操作ボタン７１０３、外部接続ポート７１０４、スピーカ７１０５、マイク７１０６等を有する。
【０４９６】
図４５（Ｂ）に示す携帯電話機７１００は、表示部７０００にタッチセンサを備える。電話を掛ける、或いは文字を入力するなどのあらゆる操作は、指又はスタイラスなどで表示部７０００に触れることで行うことができる。
【０４９７】
また、操作ボタン７１０３の操作により、電源のＯＮ、ＯＦＦ動作、又は表示部７０００に表示される画像の種類を切り替えることができる。例えば、メール作成画面から、メインメニュー画面に切り替えることができる。
【０４９８】
図４５（Ｃ）にテレビジョン装置の一例を示す。テレビジョン装置７２００は、筐体７２０１に表示部７０００が組み込まれている。ここでは、スタンド７２０３により筐体７２０１を支持した構成を示している。
【０４９９】
図４５（Ｃ）に示すテレビジョン装置７２００の操作は、筐体７２０１が備える操作スイッチ、又は別体のリモコン操作機７２１１により行うことができる。または、表示部７０００にタッチセンサを備えていてもよく、指等で表示部７０００に触れることで操作してもよい。リモコン操作機７２１１は、当該リモコン操作機７２１１から出力する情報を表示する表示部を有していてもよい。リモコン操作機７２１１が備える操作キー又はタッチパネルにより、チャンネル又は音量の操作を行うことができ、表示部７０００に表示される映像を操作することができる。
【０５００】
なお、テレビジョン装置７２００は、受信機又はモデムなどを備えた構成とする。受信機により一般のテレビ放送の受信を行うことができる。また、モデムを介して有線又は無線による通信ネットワークに接続することにより、一方向（送信者から受信者）又は双方向（送信者と受信者間、あるいは受信者間同士など）の情報通信を行うことも可能である。
【０５０１】
図４５（Ｄ）に携帯情報端末の一例を示す。携帯情報端末７３００は、筐体７３０１及び表示部７０００を有する。さらに、操作ボタン、外部接続ポート、スピーカ、マイク、アンテナ、又はバッテリ等を有していてもよい。表示部７０００にはタッチセンサを備える。携帯情報端末７３００の操作は、指又はスタイラスなどで表示部７０００に触れることで行うことができる。
【０５０２】
図４５（Ｄ）は、携帯情報端末７３００の斜視図であり、図４５（Ｅ）は携帯情報端末７３００の上面図である。
【０５０３】
本実施の形態で例示する携帯情報端末は、例えば、電話機、手帳又は情報閲覧装置等から選ばれた一つ又は複数の機能を有する。具体的には、スマートフォンとしてそれぞれ用いることができる。本実施の形態で例示する携帯情報端末は、例えば、移動電話、電子メール、文章閲覧及び作成、音楽再生、インターネット通信、コンピュータゲームなどの種々のアプリケーションを実行することができる。
【０５０４】
携帯情報端末７３００は、文字又は画像をその複数の面に表示することができる。例えば、図４５（Ｄ）に示すように、３つの操作ボタン７３０２を一の面に表示し、矩形で示す情報７３０３を他の面に表示することができる。図４５（Ｄ）、（Ｅ）では、携帯情報端末の上側に情報が表示される例を示す。または、携帯情報端末の横側に情報が表示されてもよい。また、携帯情報端末の３面以上に情報を表示してもよい。
【０５０５】
なお、情報の例としては、ＳＮＳ（ソーシャル・ネットワーキング・サービス）の通知、電子メール又は電話などの着信を知らせる表示、電子メールなどの題名もしくは送信者名、日時、時刻、バッテリの残量、アンテナ受信の強度などがある。又は、情報が表示されている位置に、情報の代わりに、操作ボタン、アイコンなどを表示してもよい。
【０５０６】
例えば、携帯情報端末７３００の使用者は、洋服の胸ポケットに携帯情報端末７３００を収納した状態で、その表示（ここでは情報７３０３）を確認することができる。
【０５０７】
具体的には、着信した電話の発信者の電話番号又は氏名等を、携帯情報端末７３００の上方から観察できる位置に表示する。使用者は、携帯情報端末７３００をポケットから取り出すことなく、表示を確認し、電話を受けるか否かを判断できる。
【０５０８】
図４５（Ｆ）に、湾曲した発光部を有する照明装置の一例を示している。
【０５０９】
図４５（Ｆ）に示す照明装置が有する発光部は、本発明の一態様の表示装置を用いて作製される。
【０５１０】
図４５（Ｆ）に示す照明装置７４００は、波状の発光面を有する発光部７４０２を備える。したがってデザイン性の高い照明装置となっている。
【０５１１】
また、照明装置７４００の備える各々の発光部は可撓性を有していてもよい。発光部を可塑性の部材又は可動なフレームなどの部材で固定し、用途に合わせて発光部の発光面を自在に湾曲可能な構成としてもよい。
【０５１２】
照明装置７４００は、操作スイッチ７４０３を備える台部７４０１と、台部７４０１に支持される発光部を有する。
【０５１３】
なおここでは、台部によって発光部が支持された照明装置について例示したが、発光部を備える筐体を天井に固定する、又は天井からつり下げるように用いることもできる。発光面を湾曲させて用いることができるため、発光面を凹状に湾曲させて特定の領域を明るく照らす、又は発光面を凸状に湾曲させて部屋全体を明るく照らすこともできる。
【０５１４】
図４６（Ａ１）、（Ａ２）、（Ｂ）〜（Ｉ）に、可撓性を有する表示部７００１を有する携帯情報端末の一例を示す。
【０５１５】
表示部７００１は、本発明の一態様の表示装置を用いて作製される。例えば、曲率半径０．０１ｍｍ以上１５０ｍｍ以下で曲げることができる表示パネルを有する表示装置を適用できる。また、表示部７００１はタッチセンサを備えていてもよく、指等で表示部７００１に触れることで携帯情報端末を操作することができる。
【０５１６】
図４６（Ａ１）は、携帯情報端末の一例を示す斜視図であり、図４６（Ａ２）は、携帯情報端末の一例を示す側面図である。携帯情報端末７５００は、筐体７５０１、表示部７００１、引き出し部材７５０２、操作ボタン７５０３等を有する。
【０５１７】
携帯情報端末７５００は、筐体７５０１内にロール状に巻かれた可撓性を有する表示部７００１を有する。
【０５１８】
また、携帯情報端末７５００は内蔵された制御部によって映像信号を受信可能で、受信した映像を表示部７００１に表示することができる。また、携帯情報端末７５００にはバッテリが内蔵されている。また、筐体７５０１にコネクターを接続する端子部を備え、映像信号又は電力を有線により外部から直接供給する構成としてもよい。
【０５１９】
また、操作ボタン７５０３によって、電源のＯＮ、ＯＦＦ動作又は表示する映像の切り替え等を行うことができる。なお、図４６（Ａ１）、（Ａ２）、（Ｂ）では、携帯情報端末７５００の側面に操作ボタン７５０３を配置する例を示すが、これに限られず、携帯情報端末７５００の表示面と同じ面（おもて面）又は裏面に配置してもよい。
【０５２０】
図４６（Ｂ）には、表示部７００１を引き出した状態の携帯情報端末７５００を示す。この状態で表示部７００１に映像を表示することができる。表示部７００１は、引き出し部材７５０２を用いて引き出すことができる。また、表示部７００１の一部がロール状に巻かれた図４６（Ａ１）の状態と表示部７００１を引き出した図４６（Ｂ）の状態とで、携帯情報端末７５００が異なる表示を行う構成としてもよい。例えば、図４６（Ａ１）の状態のときに、表示部７００１のロール状に巻かれた部分を非表示とすることで、携帯情報端末７５００の消費電力を下げることができる。
【０５２１】
なお、表示部７００１を引き出した際に表示部７００１の表示面が平面状となるように固定するため、表示部７００１の側部に補強のためのフレームを設けていてもよい。
【０５２２】
なお、この構成以外に、筐体にスピーカを設け、映像信号と共に受信した音声信号によって音声を出力する構成としてもよい。
【０５２３】
図４６（Ｃ）〜（Ｅ）に、折りたたみ可能な携帯情報端末の一例を示す。図４６（Ｃ）では、展開した状態、図４６（Ｄ）では、展開した状態又は折りたたんだ状態の一方から他方に変化する途中の状態、図４６（Ｅ）では、折りたたんだ状態の携帯情報端末７６００を示す。携帯情報端末７６００は、折りたたんだ状態では可搬性に優れ、展開した状態では、継ぎ目のない広い表示領域により一覧性に優れる。
【０５２４】
表示部７００１はヒンジ７６０２によって連結された３つの筐体７６０１に支持されている。ヒンジ７６０２を介して２つの筐体７６０１間を屈曲させることにより、携帯情報端末７６００を展開した状態から折りたたんだ状態に可逆的に変形させることができる。
【０５２５】
図４６（Ｆ）、（Ｇ）に、折りたたみ可能な携帯情報端末の一例を示す。図４６（Ｆ）では、表示部７００１が内側になるように折りたたんだ状態、図４６（Ｇ）では、表示部７００１が外側になるように折りたたんだ状態の携帯情報端末７６５０を示す。携帯情報端末７６５０は表示部７００１及び非表示部７６５１を有する。携帯情報端末７６５０を使用しない際に、表示部７００１が内側になるように折りたたむことで、表示部７００１の汚れ又は傷つきを抑制できる。
【０５２６】
図４６（Ｈ）に、可撓性を有する携帯情報端末の一例を示す。携帯情報端末７７００は、筐体７７０１及び表示部７００１を有する。さらに、入力手段であるボタン７７０３ａ、７７０３ｂ、音声出力手段であるスピーカ７７０４ａ、７７０４ｂ、外部接続ポート７７０５、マイク７７０６等を有していてもよい。また、携帯情報端末７７００は、可撓性を有するバッテリ７７０９を搭載することができる。バッテリ７７０９は例えば表示部７００１と重ねて配置してもよい。
【０５２７】
筐体７７０１、表示部７００１、及びバッテリ７７０９は可撓性を有する。そのため、携帯情報端末７７００を所望の形状に湾曲させること、又は携帯情報端末７７００に捻りを加えることが容易である。例えば、携帯情報端末７７００は、表示部７００１が内側又は外側になるように折り曲げて使用することができる。又は、携帯情報端末７７００をロール状に巻いた状態で使用することもできる。このように、筐体７７０１及び表示部７００１を自由に変形することが可能であるため、携帯情報端末７７００は、落下した場合、又は意図しない外力が加わった場合であっても、破損しにくいという利点がある。
【０５２８】
また、携帯情報端末７７００は軽量であるため、筐体７７０１の上部をクリップ等で把持してぶら下げて使用する、又は、筐体７７０１を磁石等で壁面に固定して使用するなど、様々な状況において利便性良く使用することができる。
【０５２９】
図４６（Ｉ）に腕時計型の携帯情報端末の一例を示す。携帯情報端末７８００は、バンド７８０１、表示部７００１、入出力端子７８０２、操作ボタン７８０３等を有する。バンド７８０１は、筐体としての機能を有する。また、携帯情報端末７８００は、可撓性を有するバッテリ７８０５を搭載することができる。バッテリ７８０５は例えば表示部７００１又はバンド７８０１と重ねて配置してもよい。
【０５３０】
バンド７８０１、表示部７００１、及びバッテリ７８０５は可撓性を有する。そのため、携帯情報端末７８００を所望の形状に湾曲させることが容易である。
【０５３１】
操作ボタン７８０３は、時刻設定のほか、電源のオン、オフ動作、無線通信のオン、オフ動作、マナーモードの実行及び解除、省電力モードの実行及び解除など、様々な機能を持たせることができる。例えば、携帯情報端末７８００に組み込まれたオペレーティングシステムにより、操作ボタン７８０３の機能を自由に設定することもできる。
【０５３２】
また、表示部７００１に表示されたアイコン７８０４に指等で触れることで、アプリケーションを起動することができる。
【０５３３】
また、携帯情報端末７８００は、通信規格された近距離無線通信を実行することが可能である。例えば無線通信可能なヘッドセットと相互通信することによって、ハンズフリーで通話することもできる。
【０５３４】
また、携帯情報端末７８００は入出力端子７８０２を有していてもよい。入出力端子７８０２を有する場合、他の情報端末とコネクターを介して直接データのやりとりを行うことができる。また入出力端子７８０２を介して充電を行うこともできる。なお、本実施の形態で例示する携帯情報端末の充電動作は、入出力端子を介さずに非接触電力伝送により行ってもよい。
【０５３５】
本発明の一態様の表示装置は、可撓性を有し、薄型及び軽量であるという特徴を有する。そのため、図４７（Ａ）〜（Ｃ）に示すデバイス８１のように、衣服に取り付けて使用することができる。
【０５３６】
デバイス８１を取り付ける位置としては、特に限定はなく、例えば、前身頃、後身頃、襟、袖、又はフードなどが挙げられる。
【０５３７】
取り付ける衣服に限定はなく、例えば、シャツ、ブラウスなどのトップス、ズボン、スカートなどのボトムス、ワンピース、又はつなぎなどが挙げられる。スカーフ又はネクタイ等に取り付けてもよい。
【０５３８】
図４７（Ａ）ではシャツの前身頃、図４７（Ｂ）では、ポロシャツの前身頃、図４７（Ｃ）ではシャツの襟及び袖にデバイス８１がそれぞれ取り付けられている例を示す。
【０５３９】
デバイス８１は、衣服に着脱可能に取り付けられていてもよい。例えば、洗濯によりデバイス８１が破損する可能性がある場合は、衣服から取り外せることが好ましい。
【０５４０】
本実施の形態は、他の実施の形態と適宜組み合わせることができる。
【符号の説明】
【０５４１】
１０    表示装置
１２    表示装置
１３    表示領域
１５    柱
１６    壁
３１    発光素子
３６    画素電極
３８    共通電極
４０    発光素子
４１    表示領域
４９    表示領域
５１    信号線
５２    走査線
５５    電源線
７０ａ    選択トランジスタ
７０ｂ    駆動トランジスタ
７０ｂ１    駆動トランジスタ
７０ｂ２    駆動トランジスタ
７０ｃ    駆動トランジスタ
７２ａ    半導体層
７２ｂ１    半導体層
７２ｂ２    半導体層
７４ｂ    導電層
７６    導電層
７７    ゲート
８０    画素回路
８１    デバイス
８３ａ    発光領域
８３ｂ    発光領域
８５    容量素子
１００    表示パネル
１００ａ    表示パネル
１００ｂ    表示パネル
１００ｃ    表示パネル
１００ｄ    表示パネル
１０１    表示領域
１０１ａ    表示領域
１０１ｂ    表示領域
１０１ｃ    表示領域
１０１ｄ    表示領域
１０２    領域
１０２ａ    領域
１０２ｂ    領域
１０３    透光層
１０９    表示領域
１０９ａ    表示領域
１０９ｂ    表示領域
１１０    領域
１１０ａ    領域
１１０ｂ    領域
１１０ｃ    領域
１１０ｄ    領域
１１２ａ    ＦＰＣ
１１２ｂ    ＦＰＣ
１１５ｂ    ＩＣ
１２０    領域
１２０ａ    領域
１２０ｂ    領域
１３１    樹脂層
１３２    保護基板
１３３    樹脂層
１３４    保護基板
１４１    画素
１４１ａ    画素
１４１ｂ    画素
１４１ｃ    画素
１４１ｄ    画素
１４２ａ    配線
１４２ｂ    配線
１４５    配線
１４９    画素
１４９ａ    画素
１５４    接着層
３００    タッチパネル
３０１    トランジスタ
３０２    トランジスタ
３０３    トランジスタ
３０４    発光素子
３０５    容量素子
３０６    接続部
３０７    導電層
３０８    接続部
３０９    接続体
３１０    入力装置
３１１    ゲート絶縁層
３１２    絶縁層
３１３    絶縁層
３１４    絶縁層
３１５    絶縁層
３１６    スペーサ
３１７    接着層
３１８    入力装置
３１９    接続体
３２０    タッチパネル
３２１    電極
３２２    ＥＬ層
３２３    電極
３２４    光学調整層
３２５    着色層
３２６    遮光層
３２６ａ    遮光層
３２６ｂ    遮光層
３２７    絶縁層
３２８    絶縁層
３２９    オーバーコート
３３０    可撓性基板
３３１    電極
３３２    電極
３３３    電極
３３４    電極
３４１    配線
３４２    配線
３４７    領域
３４８    領域
３４９    領域
３５０    ＦＰＣ
３５１    ＩＣ
３５５    導電層
３７０    表示パネル
３７１    可撓性基板
３７２    可撓性基板
３７３    ＦＰＣ
３７４    ＩＣ
３７５    接着層
３７６    絶縁層
３７７    接着層
３７８    絶縁層
３７９    表示パネル
３８１    表示部
３８２    駆動回路部
３８３    配線
３８５    接続部
３８６    接続体
３８７    交差部
３９１    接着層
３９２    可撓性基板
３９３    絶縁層
３９５    絶縁層
３９６    接着層
４０１    作製基板
４０３    剥離層
４１１    作製基板
４１３    剥離層
７２３    バックゲート
７２８    絶縁層
７２９    絶縁層
７４２    半導体層
７４３    ゲート
７４４ａ    導電層
７４４ｂ    導電層
７４７ａ    開口
７４７ｂ    開口
７４７ｃ    開口
７４７ｄ    開口
７７２    絶縁層
８４８    トランジスタ
７０００    表示部
７００１    表示部
７１００    携帯電話機
７１０１    筐体
７１０３    操作ボタン
７１０４    外部接続ポート
７１０５    スピーカ
７１０６    マイク
７２００    テレビジョン装置
７２０１    筐体
７２０３    スタンド
７２１１    リモコン操作機
７３００    携帯情報端末
７３０１    筐体
７３０２    操作ボタン
７３０３    情報
７４００    照明装置
７４０１    台部
７４０２    発光部
７４０３    操作スイッチ
７５００    携帯情報端末
７５０１    筐体
７５０２    引き出し部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
【図１】
0006789732.tif 000002
【図２】
0006789732.tif 000003
【図３】
0006789732.tif 000004
【図４】
0006789732.tif 000005
【図５】
0006789732.tif 000006
【図６】
0006789732.tif 000007
【図７】
0006789732.tif 000008
【図８】
0006789732.tif 000009
【図９】
0006789732.tif 000010
【図１０】
0006789732.tif 000011
【図１１】
0006789732.tif 000012
【図１２】
0006789732.tif 000013
【図１３】
0006789732.tif 000014
【図１４】
0006789732.tif 000015
【図１５】
0006789732.tif 000016
【図１６】
0006789732.tif 000017
【図１７】
0006789732.tif 000018
【図１８】
0006789732.tif 000019
【図１９】
0006789732.tif 000020
【図２０】
0006789732.tif 000021
【図２１】
0006789732.tif 000022
【図２２】
0006789732.tif 000023
【図２３】
0006789732.tif 000024
【図２４】
0006789732.tif 000025
【図２５】
0006789732.tif 000026
【図２６】
0006789732.tif 000027
【図２７】
0006789732.tif 000028
【図２８】
0006789732.tif 000029
【図２９】
0006789732.tif 000030
【図３０】
0006789732.tif 000031
【図３１】
0006789732.tif 000032
【図３２】
0006789732.tif 000033
【図３３】
0006789732.tif 000034
【図３４】
0006789732.tif 000035
【図３５】
0006789732.tif 000036
【図３６】
0006789732.tif 000037
【図３７】
0006789732.tif 000038
【図３８】
0006789732.tif 000039
【図３９】
0006789732.tif 000040
【図４０】
0006789732.tif 000041
【図４１】
0006789732.tif 000042
【図４２】
0006789732.tif 000043
【図４３】
0006789732.tif 000044
【図４４】
0006789732.tif 000045
【図４５】
0006789732.tif 000046
【図４６】
0006789732.tif 000047
【図４７】
0006789732.tif 000048